(57)【特許請求の範囲】
【請求項１】
免許不要のワイヤレスネットワークにおけるアクセスポイント（ＡＰ）のための方法であって、
免許不要のワイヤレスネットワークにおける複数の局のうちの少なくとも１つの局と前記ＡＰとの間の第１のワイヤレス通信に参加することと、
前記少なくとも１つの局と前記ＡＰとの間のアップリンク／ダウンリンク（ＵＬ／ＤＬ）経路損失の不均衡を決定することと、
前記少なくとも１つの局と前記ＡＰとの間のアップリンク（ＵＬ）送信のＵＬ電力制御を調整するために、前記ＵＬ／ＤＬ経路損失の不均衡に少なくとも部分的に基づくＵＬ送信電力パラメータを使用することと、ここにおいて、ＵＬ電力制御が、前記少なくとも１つの局からのＵＬ送信電力の制御を指す、
を備える方法。
【請求項２】
免許不要のワイヤレスネットワークにおける複数の局のうちの少なくとも１つの局のための方法であって、
前記免許不要のワイヤレスネットワークにおけるアクセスポイント（ＡＰ）と前記少なくとも１つの局との間の第１のワイヤレス通信に参加することと、
前記少なくとも１つの局と前記ＡＰとの間のアップリンク／ダウンリンク（ＵＬ／ＤＬ）経路損失の不均衡を決定することと、
前記少なくとも１つの局と前記ＡＰとの間のアップリンク（ＵＬ）送信のＵＬ電力制御を調整するために、前記ＵＬ／ＤＬ経路損失の不均衡に少なくとも部分的に基づくＵＬ送信電力パラメータを使用することと、ここにおいて、ＵＬ電力制御が、前記少なくとも１つの局からのＵＬ送信電力の制御を指す、
を備える方法。
【請求項３】
前記少なくとも１つの局と前記ＡＰとの間の前記ＵＬ送信をトリガするトリガフレームで前記ＵＬ送信電力パラメータを送信すること
をさらに備える請求項１に記載の方法。
【請求項４】
前記少なくとも１つの局と前記ＡＰとの間の前記ＵＬ送信をトリガするトリガフレームとは別の電力制御フレームで前記ＵＬ送信電力パラメータを送信すること
をさらに備える請求項１に記載の方法。
【請求項５】
前記第１のワイヤレス通信に参加することが、
直交周波数分割多元接続（ＯＦＤＭＡ）またはマルチユーザ（ＭＵ）多入力多出力（ＭＩＭＯ）環境において通信すること
を備える、請求項１に記載の方法。
【請求項６】
前記少なくとも１つの局と前記ＡＰとの間の前記ＵＬ送信のための受信電力を決定することと、
前記ＡＰへのＵＬ送信が前記少なくとも１つの局についての前記受信電力と実質的に同じである受信電力を有する前記複数の局のうちの他の局を識別することと、
前記ＵＬ送信電力パラメータとして、前記少なくとも１つの局および実質的に同じ受信電力を有する前記他の局の識別を記憶することと、
前記少なくとも１つの局と、前記ＵＬ送信電力パラメータによって識別された前記他の局とにトリガフレームを送信することと
をさらに備える請求項１に記載の方法。
【請求項７】
前記少なくとも１つの局と前記ＡＰとの間のＵＬ送信の前記電力を調整するために開ループ電力制御を使用すること
をさらに備える請求項１に記載の方法。
【請求項８】
前記少なくとも１つの局から前記ＡＰへのＵＬ送信のための目標受信電力を決定することと、
前記目標受信電力とＡＰ送信電力を前記少なくとも１つの局に伝達するために、前記ＵＬ送信電力パラメータを使用することと
をさらに備える請求項７に記載の方法。
【請求項９】
前記目標受信電力で前記少なくとも１つの局から前記ＵＬ送信を受信すること
をさらに備える請求項８に記載の方法。
【請求項１０】
前記開ループ電力制御は、前記ＵＬ送信電力パラメータを介して、目標受信電力とＡＰ送信電力とを受信することと、
前記ＡＰ送信電力に基づいてダウンリンク（ＤＬ）経路損失を決定することと、
前記ＤＬ経路損失に基づいて、前記少なくとも１つの局から前記ＡＰへの前記ＵＬ経路損失を推定することと、
前記ＵＬ送信が前記目標受信電力を有する前記ＡＰに到着し、前記ＵＬ経路損失を考慮するように、前記少なくとも１つの局と前記ＡＰとの間のＵＬ送信のための前記ＵＬ送信電力を決定することと、
前記ＵＬ送信電力を使用して前記ＵＬ送信を送信することと
を前記少なくとも１つの局にさせることを備える請求項７に記載の方法。
【請求項１１】
前記少なくとも１つの局と前記ＡＰとの間の前記ＵＬ送信電力を調整するために閉ループ電力制御を使用すること
をさらに備える請求項１に記載の方法。
【請求項１２】
前記少なくとも１つの局から前記ＡＰへのＵＬ送信のための目標受信電力を決定することと、
前記少なくとも１つの局から前記目標受信電力に対応する前記ＡＰへの前記ＵＬ送信のための前記ＵＬ送信電力を決定することと、
前記ＵＬ送信電力を前記少なくとも１つの局に伝達するために、前記ＵＬ送信電力パラメータを使用することと
をさらに備える請求項１１に記載の方法。
【請求項１３】
前記目標受信電力で前記少なくとも１つの局から前記ＵＬ送信を受信すること
をさらに備える請求項１２に記載の方法。
【請求項１４】
前記閉ループ電力制御は、前記ＡＰが前記少なくとも１つの局と前記ＡＰとの間の前記ＵＬ経路損失を決定することができるように、前記ＵＬ送信電力でパケットを前記少なくとも１つの局から前記ＡＰに送信すること
を前記少なくとも１つの局にさせることを備える請求項１１に記載の方法。
【請求項１５】
前記閉ループ電力制御は、前記ＡＰによって決定された前記ＵＬ経路損失を考慮した前記ＵＬ送信電力を含む、前記ＡＰによって決定された前記ＵＬ送信電力パラメータを前記ＡＰから受信することと、
前記受信されたＵＬ送信電力を使用して前記ＵＬ送信を送信することと
を前記少なくとも１つの局にさせることをさらに備える請求項１４に記載の方法。
【請求項１６】
前記少なくとも１つの局から前記ＡＰへのＵＬ送信のための目標受信電力を決定することと、
前記少なくとも１つの局から前記ＡＰへのＵＬ送信のための前記目標受信電力に基づいて前記ＵＬ送信電力パラメータを決定することと
をさらに備える請求項１に記載の方法。
【請求項１７】
前記目標受信電力で前記少なくとも１つの局から前記ＵＬ送信を受信すること
をさらに備える請求項１６に記載の方法。
【請求項１８】
前記ＵＬ送信電力パラメータが前記複数の局のうちの前記少なくとも１つの局および他の局に適用可能であるという表示を、前記少なくとも１つの局および前記他の局に送信すること
をさらに備える請求項１６に記載の方法。
【請求項１９】
前記ＵＬ送信電力パラメータを、前記少なくとも１つの局および前記他の局の関数として調整すること
をさらに備える請求項１８に記載の方法。
【請求項２０】
前記少なくとも１つの局または前記他の局と前記ＡＰとの間のアップリンク／ダウンリンク（ＵＬ／ＤＬ）経路損失の不均衡を補償するために、前記ＵＬ送信電力パラメータを調整すること
をさらに備える請求項１８に記載の方法。
【請求項２１】
前記ＵＬ送信電力パラメータを決定することが、
前記少なくとも１つの局から前記目標受信電力に対応する前記ＡＰへの前記ＵＬ送信のための前記ＵＬ送信電力を決定すること、ここにおいて、前記ＵＬ送信電力が、前記少なくとも１つの局と前記ＡＰとの間の前記ＵＬ経路損失を考慮する、
を備える、請求項１６に記載の方法。
【請求項２２】
前記ＵＬ送信電力パラメータを決定することが、
前記少なくとも１つの局から前記ＡＰへの前記ＵＬ送信のための前記ＵＬ送信電力を定義する関数を使用すること、ここにおいて、前記関数が、ダウンリンク（ＤＬ）信号強度と前記ＵＬ送信電力パラメータとを含む、
を備える、請求項１６に記載の方法。
【請求項２３】
前記ＵＬ送信電力パラメータを決定することが、
前記目標受信電力に対応するために、前記少なくとも１つの局から前記ＡＰへの前記ＵＬ送信のための前記ＵＬ送信電力が変更されるべき量を示すオフセット値を決定すること
を備える、請求項１６に記載の方法。
【請求項２４】
前記ＡＰが前記少なくとも１つの局と前記ＡＰとの間の前記ＵＬ経路損失を決定することができるように、既知の送信電力でパケットを前記少なくとも１つの局から前記ＡＰに送信することと、
前記ＵＬ経路損失に基づいて前記ＡＰによって決定されたＵＬ送信のための目標受信電力に基づいて前記ＵＬ送信電力パラメータを受信することと、
前記ＡＰから受信されたダウンリンク（ＤＬ）フレームから受信信号強度を決定することと、
前記受信信号強度と前記ＵＬ送信電力パラメータとに基づいてＵＬ送信電力を決定することと、
前記決定されたＵＬ送信電力を使用してＵＬ送信を前記ＡＰに送信することと
をさらに備える請求項２に記載の方法。
【請求項２５】
前記ＡＰと前記少なくとも１つの局との間の前記第１のワイヤレス通信に参加することが、
前記少なくとも１つの局から前記ＡＰへの送信を受信することと、前記送信が、前記少なくとも１つの局から前記送信が送られた既知の電力を有する、または前記少なくとも１つの局から前記送信が送られた電力を示す、
を備える、請求項１に記載の方法。
【請求項２６】
前記少なくとも１つの局から前記ＡＰへの前記送信を要求すること
をさらに備える請求項２５に記載の方法。
【請求項２７】
前記送信が、メディアアクセス制御（ＭＡＣ）ヘッダ、または前記少なくとも１つの局から前記送信が送られた前記電力が示されているラッパーフレーム(a wrapper frame)を含む、請求項２５に記載の方法。
【請求項２８】
前記ＡＰと前記少なくとも１つの局との間の前記第１のワイヤレス通信に参加することが、
前記少なくとも１つの局から前記ＡＰへの送信を送ること、前記送信が、前記少なくとも１つの局から前記送信が送られた既知の電力を有する、または前記少なくとも１つの局から前記送信が送られた電力を示す、
を備える、請求項２に記載の方法。
【請求項２９】
前記送信を送ることが、
前記送信を定期的に送ること
を備える請求項２８に記載の方法。
【請求項３０】
前記送信を送ることが、
推定されたビーコン受信信号強度指示（ＲＳＳＩ）が、前記少なくとも１つの局と前記ＡＰとの間の以前の送信に関して所定のしきい値量を超えて変化したとき、前記送信を送ること
を備える、請求項２８に記載の方法。
【請求項３１】
前記送信を送ることが、
前記ＡＰによる要求に応答して前記送信を送ること
を備える、請求項２８に記載の方法。
【請求項３２】
前記ＡＰと前記少なくとも１つの局との間の前記第１のワイヤレス通信に参加することが、
前記ＡＰから前記少なくとも１つの局にダウンリンク（ＤＬ）フレームを送信することと、
前記少なくとも１つの局からＵＬフレームを受信することと、
前記受信されたＵＬフレームに基づいて、前記少なくとも１つの局と前記ＡＰとの間のＵＬ／ＤＬ経路損失の不均衡を決定することと、
前記ＵＬ／ＤＬ経路損失の不均衡に基づいて前記ＵＬ送信電力パラメータを生成することと
を備える、請求項１に記載の方法。
【請求項３３】
前記送信することが、
前記少なくとも１つの局が、前記ＵＬフレームの送信電力を決定する際に前記経路損失の表示を使用することができるように、前記ＡＰから前記少なくとも１つの局に経路損失の表示を送信すること
を備える、請求項３２に記載の方法。
【請求項３４】
前記送信することが、
前記少なくとも１つの局が前記ＵＬフレームの前記送信電力を使用して前記ＵＬフレームを送信することができるように、前記ＡＰから前記少なくとも１つの局に前記ＵＬフレームの送信電力を送信すること
を備える、請求項３２に記載の方法。
【請求項３５】
前記ＤＬフレームが、メディアアクセス制御（ＭＡＣ）ヘッダ、ラッパーフレーム、または前記少なくとも１つの局と前記ＡＰとの間の前記ＵＬ送信をトリガするトリガフレームを含む、請求項３２に記載の方法。
【請求項３６】
前記ＡＰと前記少なくとも１つの局との間の前記第１のワイヤレス通信に参加することが、
前記少なくとも１つの局から前記ＡＰにＵＬフレームを送信することと、
前記ＵＬフレームに応答して前記ＡＰからダウンリンク（ＤＬ）フレームを受信することと、
前記受信されたＤＬフレームに基づいて、前記少なくとも１つの局と前記ＡＰとの間のＵＬ／ＤＬ経路損失の不均衡を決定することと、
前記ＵＬ／ＤＬ経路損失の不均衡に基づいて前記ＵＬ送信電力を生成することと
を備える、請求項２に記載の方法。
【請求項３７】
前記送信することが、
前記ＡＰが前記ＤＬフレームのＤＬ送信電力を決定する際に前記経路損失の表示を使用することができるように、前記少なくとも１つの局から前記ＡＰに経路損失の表示を送信すること
を備える、請求項３６に記載の方法。
【請求項３８】
前記送信することが、
前記ＡＰが前記ＤＬフレームの所望の送信電力を使用して前記ＤＬフレームを送信することができるように、前記少なくとも１つの局から前記ＡＰに前記ＤＬフレームの所望の送信電力を送信すること
を備える、請求項３６に記載の方法。
【請求項３９】
前記ＵＬ送信電力パラメータが、前記第１のワイヤレス通信に少なくとも部分的に基づく、請求項１に記載の方法。
【請求項４０】
免許不要のワイヤレスネットワークにおけるアクセスポイント（ＡＰ）として使用される装置であって、
前記免許不要のワイヤレスネットワークにおける複数の局のうちの少なくとも１つの局と前記ＡＰとの間の第１のワイヤレス通信に参加するためのトランシーバ構成要素と、
前記少なくとも１つの局と前記ＡＰとの間のアップリンク／ダウンリンク（ＵＬ／ＤＬ）経路損失の不均衡を決定するための経路損失推定構成要素と、
前記少なくとも１つの局と前記ＡＰとの間のＵＬ送信のＵＬ電力制御を調整するために、前記ＵＬ／ＤＬ経路損失の不均衡に少なくとも部分的に基づくＵＬ送信電力パラメータを使用するためのアップリンク（ＵＬ）電力制御構成要素と、ここにおいて、ＵＬ電力制御が、前記少なくとも１つの局からのＵＬ送信電力の制御を指す、
を備える装置。
【請求項４１】
免許不要のワイヤレスネットワークにおける複数の局のうちの少なくとも１つの局として使用される装置であって、
前記免許不要のワイヤレスネットワークにおけるアクセスポイント（ＡＰ）と前記少なくとも１つの局との間の第１のワイヤレス通信に参加するためのトランシーバ構成要素と、
前記少なくとも１つの局と前記ＡＰとの間のアップリンク／ダウンリンク（ＵＬ／ＤＬ）経路損失の不均衡を決定するための経路損失推定構成要素と、
前記少なくとも１つの局と前記ＡＰとの間のＵＬ送信のＵＬ電力制御を調整するために、前記ＵＬ／ＤＬ経路損失の不均衡に少なくとも部分的に基づくＵＬ送信電力パラメータを使用するためのアップリンク（ＵＬ）電力制御構成要素と、ここにおいて、ＵＬ電力制御が、前記少なくとも１つの局からのＵＬ送信電力の制御を指す、
を備える装置。
【請求項４２】
前記少なくとも１つの局と前記ＡＰとの間の前記ＵＬ送信をトリガするトリガフレームで前記ＵＬ送信電力パラメータを送信するためのトリガフレーム構成要素
をさらに備える請求項４０に記載の装置。
【請求項４３】
前記少なくとも１つの局と前記ＡＰとの間の前記ＵＬ送信をトリガするトリガフレームとは別の電力制御フレームで前記ＵＬ送信電力パラメータを送信するための電力制御フレーム構成要素
をさらに備える請求項４０に記載の装置。
【請求項４４】
前記免許不要のワイヤレスネットワークが、直交周波数分割多元接続（ＯＦＤＭＡ）またはマルチユーザ（ＭＵ）多入力多出力（ＭＩＭＯ）環境を含む、請求項４０に記載の装置。
【請求項４５】
前記少なくとも１つの局と前記ＡＰとの間の前記ＵＬ送信のための受信電力を決定し、前記ＡＰへのＵＬ送信が前記少なくとも１つの局についての前記受信電力と実質的に同じである受信電力を有する前記複数の局のうちの他の局を識別し、前記ＵＬ送信電力パラメータとして、前記少なくとも１つの局および実質的に同じ受信電力を有する前記他の局の識別を記憶するための局グループ化構成要素と、
前記少なくとも１つの局と、前記ＵＬ送信電力パラメータによって識別された前記他の局とにトリガフレームを送信するためのトリガフレーム構成要素と
をさらに備える請求項４０に記載の装置。
【請求項４６】
前記少なくとも１つの局から前記ＡＰへのＵＬ送信のための目標受信電力を決定するための目標ＡＰ受信（ＲＸ）電力決定構成要素、ここにおいて、前記ＵＬ送信電力パラメータが、前記目標受信電力およびＡＰ送信電力を前記少なくとも１つの局に伝達するように構成される
をさらに備える請求項４０に記載の装置。
【請求項４７】
前記ＵＬ送信電力パラメータを介して、目標受信電力とＡＰ送信電力とを受信し、前記ＡＰ送信電力に基づいてダウンリンク（ＤＬ）経路損失を決定し、前記ＤＬ経路損失に基づいて、前記少なくとも１つの局から前記ＡＰへの前記ＵＬ経路損失を推定するための経路損失推定構成要素と、
前記ＵＬ送信が前記目標受信電力を有する前記ＡＰに到着し、前記ＵＬ経路損失を考慮するように、前記少なくとも１つの局と前記ＡＰとの間のＵＬ送信のための前記ＵＬ送信電力を決定するための局（ＳＴＡ）送信（ＴＸ）電力決定構成要素と
をさらに備える請求項４１に記載の装置。
【請求項４８】
前記少なくとも１つの局から前記ＡＰへのＵＬ送信のための目標受信電力を決定するための目標ＡＰ受信（ＲＸ）電力決定構成要素と、
前記少なくとも１つの局から前記目標受信電力に対応する前記ＡＰへの前記ＵＬ送信のための前記ＵＬ送信電力を決定するための局（ＳＴＡ）送信（ＴＸ）電力決定構成要素と、ここにおいて、前記ＵＬ送信電力パラメータが、前記ＵＬ送信電力を前記少なくとも１つの局に伝達するために使用されるように構成される、
をさらに備える請求項４０に記載の装置。
【請求項４９】
前記ＡＰが前記少なくとも１つの局と前記ＡＰとの間の前記ＵＬ経路損失を決定することができるように、既知の送信電力でパケットを前記少なくとも１つの局から前記ＡＰに送信するための既知の電力送信（ＴＸ）構成要素
をさらに備える請求項４１に記載の装置。
【請求項５０】
前記少なくとも１つの局から前記ＡＰへのＵＬ送信のための目標受信電力を決定するための目標ＡＰ受信（ＲＸ）電力決定構成要素と、
前記少なくとも１つの局から前記ＡＰへのＵＬ送信のための前記目標受信電力に基づいて前記ＵＬ送信電力パラメータを決定するための電力制御パラメータ決定構成要素と
をさらに備える請求項４０に記載の装置。
【請求項５１】
前記トランシーバ構成要素が、さらに、前記ＵＬ送信電力パラメータが前記複数の局のうちの前記少なくとも１つの局および前記他の局に適用可能であるという表示を、前記少なくとも１つの局および他の局に送信するために構成される、請求項５０に記載の装置。
【請求項５２】
前記ＵＬ送信電力パラメータが、前記少なくとも１つの局および前記他の局の関数である、請求項５１に記載の装置。
【請求項５３】
前記ＵＬ送信電力パラメータが、前記少なくとも１つの局または前記他の局と前記ＡＰとの間のアップリンク／ダウンリンク（ＵＬ／ＤＬ）経路損失の不均衡を補償する、請求項５１に記載の装置。
【請求項５４】
前記電力制御パラメータ決定構成要素が、さらに、前記少なくとも１つの局から前記目標受信電力に対応する前記ＡＰへの前記ＵＬ送信のための前記ＵＬ送信電力を決定するために構成され、ここにおいて、前記ＵＬ送信電力が、前記少なくとも１つの局と前記ＡＰとの間の前記ＵＬ経路損失を考慮する、請求項５０に記載の装置。
【請求項５５】
前記電力制御パラメータ決定構成要素が、さらに、前記少なくとも１つの局から前記ＡＰへのＵＬ送信のための前記ＵＬ送信電力を定義する関数を使用するために構成され、ここにおいて、前記関数が、ダウンリンク（ＤＬ）信号強度と前記ＵＬ送信電力パラメータとを含む、請求項５０に記載の装置。
【請求項５６】
前記電力制御パラメータ決定構成要素が、さらに、前記目標受信電力に対応するために、前記少なくとも１つの局から前記ＡＰへの前記ＵＬ送信のための前記ＵＬ送信電力が変更されるべき量を示すオフセット値を決定するために構成される、請求項５０に記載の装置。
【請求項５７】
前記ＡＰが前記少なくとも１つの局と前記ＡＰとの間の前記ＵＬ経路損失を決定することができるように、既知の送信電力でパケットを前記少なくとも１つの局から前記ＡＰに送信するための既知の電力送信（ＴＸ）構成要素と、
前記ＵＬ経路損失に基づいて前記ＡＰによって決定されたＵＬ送信のための目標受信電力に基づいて前記ＵＬ送信電力パラメータを受信し、前記ＡＰから受信されたダウンリンク（ＤＬ）フレームから受信信号強度を決定するための局（ＳＴＡ）受信（ＲＸ）電力決定構成要素と、
前記受信信号強度と前記ＵＬ送信電力パラメータとに基づいてＵＬ送信電力を決定するためのＳＴＡ  ＴＸ電力構成要素と
をさらに備える請求項４１に記載の装置。
【請求項５８】
前記経路損失推定構成要素が、前記少なくとも１つの局から前記ＡＰへの送信を受信することであって、前記送信が、前記少なくとも１つの局から前記送信が送られた既知の電力を有するか、または前記少なくとも１つの局から前記送信が送られた電力を示すものである、受信することと、前記少なくとも１つの局と前記ＡＰとの間のＵＬ経路損失を決定するこことをするようにさらに構成される、
請求項４０に記載の装置。
【請求項５９】
前記少なくとも１つの局から前記ＡＰへの送信を送るための既知の電力送信（ＴＸ）構成要素、前記送信が、前記少なくとも１つの局から前記送信が送られた既知の電力を有する、または前記少なくとも１つの局から前記送信が送られた電力を示す、
をさらに備える請求項４１に記載の装置。
【請求項６０】
前記経路損失推定構成要素が、前記ＡＰから前記少なくとも１つの局にダウンリンク（ＤＬ）フレームを送信し、前記少なくとも１つの局からＵＬフレームを受信し、前記受信されたＵＬフレームに基づいて、前記少なくとも１つの局と前記ＡＰとの間のＵＬ／ＤＬ経路損失の不均衡を決定するようにさらに構成され、
前記電力制御パラメータ決定構成要素が、前記ＵＬ／ＤＬ経路損失の不均衡に基づいて前記ＵＬ送信電力パラメータを生成するようにさらに構成される請求項４０に記載の装置。
【請求項６１】
前記経路損失推定構成要素が、さらに、前記少なくとも１つの局が、前記ＵＬフレームの送信電力を決定する際に前記経路損失の表示を使用することができるように、前記ＡＰから前記少なくとも１つの局に経路損失の表示を送信するために構成される、請求項６０に記載の装置。
【請求項６２】
前記経路損失推定構成要素が、前記少なくとも１つの局から前記ＡＰにＵＬフレームを送信し、前記ＵＬフレームに応答して前記ＡＰからダウンリンク（ＤＬ）フレームを受信し、前記受信されたＤＬフレームに基づいて、前記少なくとも１つの局と前記ＡＰとの間のＵＬ／ＤＬ経路損失の不均衡を決定するようにさらに構成され、
前記ＵＬ／ＤＬ経路損失の不均衡に基づいて前記ＵＬ送信電力を生成するための局（ＳＴＡ）送信（ＴＸ）電力決定構成要素をさらに備える請求項４１に記載の装置。
【請求項６３】
前記経路損失推定構成要素が、さらに、前記ＡＰが前記ＤＬフレームのＤＬ送信電力を決定する際に前記経路損失の表示を使用することができるように、前記少なくとも１つの局から前記ＡＰに経路損失の表示を送信するために構成される、請求項６２に記載の装置。
【請求項６４】
免許不要のワイヤレスネットワークにおけるアクセスポイント（ＡＰ）として使用される装置であって、
前記免許不要のワイヤレスネットワークにおけるアクセスポイント（ＡＰ）と複数の局のうちの少なくとも１つの局との間の第１のワイヤレス通信に参加するための手段と、
前記少なくとも１つの局と前記ＡＰとの間のアップリンク／ダウンリンク（ＵＬ／ＤＬ）経路損失の不均衡を決定するための手段と、
前記少なくとも１つの局と前記ＡＰとの間のアップリンク（ＵＬ）送信のＵＬ電力制御を調整するために、前記ＵＬ／ＤＬ経路損失の不均衡に少なくとも部分的に基づくＵＬ送信電力パラメータを使用するための手段と、ここにおいて、ＵＬ電力制御が、前記少なくとも１つの局からのＵＬ送信電力の制御を指す、
を備える装置。
【請求項６５】
免許不要のワイヤレスネットワークにおける複数の局のうちの少なくとも１つの局として使用される装置であって、
前記免許不要のワイヤレスネットワークにおけるアクセスポイント（ＡＰ）と前記少なくとも１つの局との間の第１のワイヤレス通信に参加するための手段と、
前記少なくとも１つの局と前記ＡＰとの間のアップリンク／ダウンリンク（ＵＬ／ＤＬ）経路損失の不均衡を決定するための手段と、
前記少なくとも１つの局と前記ＡＰとの間のＵＬ送信のＵＬ電力制御を調整するために、前記ＵＬ／ＤＬ経路損失の不均衡に少なくとも部分的に基づくＵＬ送信電力パラメータを使用するための手段と、ここにおいて、ＵＬ電力制御が、前記少なくとも１つの局からのＵＬ送信電力の制御を指す、
を備える装置。
【請求項６６】
前記少なくとも１つの局と前記ＡＰとの間の前記ＵＬ送信をトリガするトリガフレームで前記ＵＬ送信電力パラメータを送信するための手段
をさらに備える請求項６４に記載の装置。
【請求項６７】
前記少なくとも１つの局と前記ＡＰとの間の前記ＵＬ送信をトリガするトリガフレームとは別の電力制御フレームで前記ＵＬ送信電力パラメータを送信するための手段
をさらに備える請求項６４に記載の装置。
【請求項６８】
免許不要のワイヤレスネットワークにおけるアクセスポイント（ＡＰ）のためのコンピュータ実行可能コードを記憶するコンピュータ記憶媒体であって、前記コードが、
前記免許不要のワイヤレスネットワークにおける前記ＡＰとと複数の局のうちの少なくとも１つの局との間の第１のワイヤレス通信に参加することと、
前記少なくとも１つの局と前記ＡＰとの間のアップリンク／ダウンリンク（ＵＬ／ＤＬ）経路損失の不均衡を決定することと、
前記少なくとも１つの局と前記ＡＰとの間のアップリンク（ＵＬ）送信のＵＬ電力制御を調整するために、前記ＵＬ／ＤＬ経路損失の不均衡に少なくとも部分的に基づくＵＬ送信電力パラメータを使用することと、ここにおいて、ＵＬ電力制御が、前記少なくとも１つの局からのＵＬ送信電力の制御を指す、
をするようにプロセッサによって実行可能である、コンピュータ記憶媒体。
【請求項６９】
免許不要のワイヤレスネットワークにおける複数の局のうちの少なくとも１つの局のためのためのコンピュータ実行可能コードを記憶するコンピュータ記憶媒体であって、前記コードが、
前記免許不要のワイヤレスネットワークにおけるアクセスポイント（ＡＰ）と前記少なくとも１つの局との間の第１のワイヤレス通信に参加することと、
前記少なくとも１つの局と前記ＡＰとの間のアップリンク／ダウンリンク（ＵＬ／ＤＬ）経路損失の不均衡を決定することと、
前記少なくとも１つの局と前記ＡＰとの間のアップリンク（ＵＬ）送信のＵＬ電力制御を調整するために、前記ＵＬ／ＤＬ経路損失の不均衡に少なくとも部分的に基づくＵＬ送信電力パラメータを使用することと、ここにおいて、ＵＬ電力制御が、前記少なくとも１つの局からのＵＬ送信電力の制御を指す、
をするようにプロセッサによって実行可能である、コンピュータ記憶媒体。
【請求項７０】
前記少なくとも１つの局と前記ＡＰとの間の前記ＵＬ送信をトリガするトリガフレームで前記ＵＬ送信電力パラメータを送信する
ようにプロセッサによって実行可能であるコードをさらに備える、請求項６８に記載のコンピュータ記憶媒体。
【請求項７１】
前記少なくとも１つの局と前記ＡＰとの間の前記ＵＬ送信をトリガするトリガフレームとは別の電力制御フレームで前記ＵＬ送信電力パラメータを送信する
ようにプロセッサによって実行可能であるコードをさらに備える、請求項６８に記載のコンピュータ記憶媒体。
【発明の詳細な説明】
【技術分野】
【０００１】
相互参照
[0001]本特許出願は、各々が本出願の譲受人に譲渡された、２０１５年１０月２６日に出願された、「Ｕｐｌｉｎｋ  Ｐｏｗｅｒ  Ｃｏｎｔｒｏｌ  ｉｎ  Ｍｕｌｔｉ−Ｕｓｅｒ  Ｕｎｌｉｃｅｎｓｅｄ  Ｗｉｒｅｌｅｓｓ  Ｎｅｔｗｏｒｋｓ」と題する、Ｍｅｒｌｉｎらによる米国特許出願第１４／９２２，７４６号、および２０１４年１０月２８日に出願された、「Ｕｐｌｉｎｋ  Ｐｏｗｅｒ  Ｃｏｎｔｒｏｌ  ｉｎ  Ｍｕｌｔｉ−Ｕｓｅｒ  Ｕｎｌｉｃｅｎｓｅｄ  Ｗｉｒｅｌｅｓｓ  Ｎｅｔｗｏｒｋｓ」と題する、Ｍｅｒｌｉｎらによる米国仮特許出願第６２／０６９，７６６号の優先権を主張する。
【０００２】
[0002]本開示は、たとえば、ワイヤレス通信システムに関し、より具体的には、直交周波数分割多元接続（ＯＦＤＭＡ）またはマルチユーザ（ＭＵ）多入力多出力（ＭＩＭＯ）環境のようなマルチユーザワイヤレスネットワーク環境におけるアップリンク送信の電力を調整することに関する。
【背景技術】
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。ワイヤレスネットワーク、たとえば、Ｗｉ−Ｆｉ（登録商標）ネットワークなど、ワイヤレスローカルエリアネットワーク（ＷＬＡＮ）は、１つまたは複数の局（ＳＴＡ）またはモバイルデバイスと通信し得るアクセスポイント（ＡＰ）を含み得る。ＡＰは、インターネットなどのネットワークに結合され得、モバイルデバイスがネットワークを介して通信する（および／またはＡＰに結合された他のデバイスと通信する）ことを可能にし得る。
【０００４】
[0004]特定のワイヤレスネットワークでは、ＡＰは、複数の局と同時に通信することができ得る。これらのワイヤレスネットワークは、本明細書ではマルチユーザ（ＭＵ）ワイヤレスネットワークと呼ばれる。一般に、マルチユーザワイヤレスネットワークは、シングルユーザ（ＳＵ）環境における場合のように、個々の局と通信することもできる。しかしながら、ＭＵワイヤレスネットワークに複数のユーザが存在するとき、ワイヤレスネットワークは、典型的なＳＵ環境よりも性能劣化問題に敏感であり得る。特に、変調およびコーディング方式（ＭＣＳ）を使用するワイヤレスネットワークは、アップリンク電力が所定の範囲内に維持されない限り、ＭＵ環境において性能劣化が生じることがわかり得る。
【発明の概要】
【０００５】
[0005]マルチユーザワイヤレスネットワークにおけるアップリンク（ＵＬ）電力制御は、複数の局からのＵＬ送信が、ほぼ同じＡＰ受信電力（本明細書ではＡＰ  ＲＸ電力とも呼ぶ）を有するＡＰに到達することを保証することによって、性能劣化を低減し得る。これは、Ｗｉ−Ｆｉネットワークなど免許不要のワイヤレスネットワークにおいて特に有益であり得る。ＵＬ電力制御は、多くの異なる方法で実行することができる。しかしながら、各オプションは、第１のワイヤレス通信におけるＡＰと少なくとも１つのワイヤレス局の参加を伴う。この通信の結果として、ＡＰは、次いで局に送信し得るＵＬ送信電力パラメータを決定することが可能となる。ＵＬ送信電力パラメータは、局とＡＰとの間のＵＬ送信の送信スケジュールまたは電力レベルのいずれかを調整するために使用され得る。したがって、ＵＬ送信電力パラメータは、送信がほぼ同じＡＰ  ＲＸ電力を有するＡＰに到達する他の局と同時に、局がそのＵＬ送信を送信することを可能にする情報を提供し得る。代替的に、ＵＬ送信電力パラメータは、ＡＰおよび局が開ループ電力調整、閉ループ電力調整、または開ループおよび閉ループ電力調整のハイブリッドに参加することを可能にする情報を提供し得る。
【０００６】
[0006]第１の例示的な実施形態では、Ｗｉ−Ｆｉシステムにおけるワイヤレス通信のための方法が開示される。この方法は、免許不要のワイヤレスネットワークにおいてＡＰと複数の局のうちの少なくとも１つの局との間の第１のワイヤレス通信に参加することを含み得る。この方法は、少なくとも１つの局とＡＰとの間のアップリンク（ＵＬ）送信のＵＬ電力制御を調整するために、ＡＰにおいて生成されたＵＬ送信電力パラメータを使用すること、ここにおいて、ＵＬ電力制御が、少なくとも１つの局からのＵＬ送信電力の制御を指す、も含み得る。
【０００７】
[0007]一態様では、この方法は、少なくとも１つの局とＡＰとの間のＵＬ経路損失を決定することと、ＵＬ経路損失に少なくとも部分的に基づいてＵＬ送信電力パラメータを生成することとをさらに含む。別の態様では、この方法は、少なくとも１つの局とＡＰとの間のアップリンク／ダウンリンク（ＵＬ／ＤＬ）経路損失の不均衡を決定することと、ＵＬ／ＤＬ経路損失の不均衡に少なくとも部分的に基づいてＵＬ送信電力パラメータを生成することとをさらに含み得る。また別の態様では、この方法は、少なくとも１つの局とＡＰとの間のＵＬ送信をトリガするトリガフレームでＵＬ送信電力パラメータを送信することをさらに含み得る。この方法は、少なくとも１つの局とＡＰとの間のＵＬ送信をトリガするトリガフレームとは別の電力制御フレームでＵＬ送信電力パラメータを送信することをさらに含み得る。第１のワイヤレス通信に参加するステップは、直交周波数分割多元接続（ＯＦＤＭＡ）またはマルチユーザ（ＭＵ）多入力多出力（ＭＩＭＯ）環境で通信することを含み得る。
【０００８】
[0008]別の態様では、この方法は、少なくとも１つの局とＡＰとの間のＵＬ送信のための受信電力を決定することと、ＡＰへのＵＬ送信が少なくとも１つの局についての受信電力と実質的に同じである受信電力を有する複数の局のうちの他の局を識別することと、ＵＬ送信電力パラメータとして、少なくとも１つの局および実質的に同じ受信電力を有する他の局の識別を記憶することと、少なくとも１つの局と、ＵＬ送信電力パラメータによって識別された他の局とにトリガフレームを送信することとをさらに含み得る。
【０００９】
[0009]さらに別の態様では、この方法は、少なくとも１つの局とＡＰとの間のＵＬ送信の電力を調整するために開ループ電力制御を使用することを含み得る。この方法の追加のステップは、少なくとも１つの局からＡＰへのＵＬ送信のための目標受信電力を決定することと、目標受信電力とＡＰ送信電力を少なくとも１つの局に伝達するために、ＵＬ送信電力パラメータを使用することとを含み得る。この方法は、目標受信電力で少なくとも１つの局からＵＬ送信を受信することをさらに含み得る。さらに、この方法は、ＵＬ送信電力パラメータを介して、目標受信電力とＡＰ送信電力とを受信することと、ＡＰ送信電力に基づいてダウンリンク（ＤＬ）経路損失を決定することと、ＤＬ経路損失に基づいて、少なくとも１つの局からＡＰへのＵＬ経路損失を推定することと、ＵＬ送信が目標受信電力を有するＡＰに到達し、ＵＬ経路損失を考慮するように、少なくとも１つの局とＡＰとの間のＵＬ送信のためのＵＬ送信電力を決定することと、ＵＬ送信電力を使用してＵＬ送信を送信することとを含み得る。
【００１０】
[0010]別の態様では、この方法は、少なくとも１つの局とＡＰとの間のＵＬ送信の電力を調整するために、閉ループ電力制御を使用することを含み得る。この方法は、少なくとも１つの局とＡＰとの間のＵＬ経路損失を決定することと、少なくとも１つの局からＡＰへのＵＬ送信のための目標受信電力を決定することと、少なくとも１つの局から目標受信電力に対応するＡＰへのＵＬ送信のためのＵＬ送信電力を決定することと、ＵＬ送信電力を少なくとも１つの局に伝達するために、ＵＬ送信電力パラメータを使用することとをさらに含み得る。この方法は、目標受信電力で少なくとも１つの局からＵＬ送信を受信することをさらに含み得る。さらに、この方法は、ＡＰが少なくとも１つの局とＡＰとの間のＵＬ経路損失を決定することができるように、既知の送信電力でパケットを少なくとも１つの局からＡＰに送信することを含み得る。また、この方法は、ＡＰによって決定されたＵＬ経路損失を考慮したＵＬ送信電力を含む、ＡＰによって決定されたＵＬ送信電力パラメータをＡＰから受信することと、受信されたＵＬ送信電力を使用してＵＬ送信を送信することとを含み得る。
【００１１】
[0011]追加の態様では、この方法は、少なくとも１つの局とＡＰとの間のＵＬ経路損失を決定することと、少なくとも１つの局からＡＰへのＵＬ送信のための目標受信電力を決定することと、少なくとも１つの局からＡＰへのＵＬ送信のための目標受信電力に基づいてＵＬ送信電力パラメータを決定することとをさらに含み得る。この方法は、目標受信電力で少なくとも１つの局からＵＬ送信を受信することをさらに含み得る。この方法は、ＵＬ送信電力パラメータが少なくとも１つの局および他の局に適用可能であるという表示を、少なくとも１つの局および複数の局のうちの他の局に送信することも含み得る。さらに、この方法は、少なくとも１つの局および他の局の関数としてＵＬ送信電力パラメータを調整することを含み得る。この方法は、少なくとも１つの局または他の局とＡＰとの間のアップリンク／ダウンリンク（ＵＬ／ＤＬ）経路損失の不均衡を補償するために、ＵＬ送信電力パラメータを調整することも含み得る。
【００１２】
[0012]ＵＬ送信電力パラメータを決定するステップは、少なくとも１つの局から目標受信電力に対応するＡＰへのＵＬ送信のためのＵＬ送信電力を決定することを含み得、ここにおいて、ＵＬ送信電力が、少なくとも１つの局とＡＰとの間のＵＬ経路損失を考慮する。代替的に、ＵＬ送信電力パラメータを決定するステップは、少なくとも１つの局からＡＰへのＵＬ送信のためのＵＬ送信電力を定義する関数を使用することを含み得、ここにおいて、関数が、ダウンリンク（ＤＬ）信号強度とＵＬ送信電力パラメータとを含む。さらに、ＵＬ送信電力パラメータを決定するステップは、目標受信電力に対応するために、少なくとも１つの局からＡＰへのＵＬ送信のためのＵＬ送信電力が変更されるべき量を示すオフセット値を決定することを含み得る。
【００１３】
[0013]一態様では、この方法は、ＡＰが少なくとも１つの局とＡＰとの間のＵＬ経路損失を決定することができるように、既知の送信電力でパケットを少なくとも１つの局からＡＰに送信することと、ＵＬ経路損失に基づいてＡＰによって決定されたＵＬ送信のための目標受信電力に基づいてＵＬ送信電力パラメータを受信することと、ＡＰから受信されたダウンリンク（ＤＬ）フレームから受信信号強度を決定することと、受信信号強度とＵＬ送信電力パラメータとに基づいてＵＬ送信電力を決定することと、決定されたＵＬ送信電力を使用してＵＬ送信をＡＰに送信することとをさらに含み得る。
【００１４】
[0014]別の態様では、ＡＰと少なくとも１つの局との間の第１のワイヤレス通信に参加するステップは、少なくとも１つの局からＡＰへの送信を受信することと、送信が、少なくとも１つの局から送信が送られた既知の電力を有する、または少なくとも１つの局から送信が送られた電力を示す、少なくとも１つの局とＡＰとの間のＵＬ経路損失を決定することと、ＵＬ経路損失に基づいてＵＬ送信電力パラメータを生成することとを含み得る。この方法は、少なくとも１つの局からＡＰへの送信を要求することをさらに含み得る。送信は、メディアアクセス制御（ＭＡＣ）ヘッダ、または少なくとも１つの局から送信が送られた電力が示されているラッパーフレームを含み得る。
【００１５】
[0015]さらなる態様では、ＡＰと少なくとも１つの局との間の第１のワイヤレス通信に参加するステップは、少なくとも１つの局からＡＰに送信を送ること、送信が、少なくとも１つの局から送信が送られた既知の電力を有する、または少なくとも１つの局から送信が送られた電力を示す、を含み得る。送信は定期的に送られ得る。送信を送ることは、推定されたビーコン受信信号強度指示（ＲＳＳＩ）が、少なくとも１つの局とＡＰとの間の以前の送信に関して所定のしきい値量を超えて変化したとき、送信を送ることも含み得る。送信を送ることは、ＡＰによる要求に応答して送信を送ることも含み得る。
【００１６】
[0016]別の態様では、ＡＰと少なくとも１つの局との間の第１のワイヤレス通信に参加するステップは、ＡＰから少なくとも１つの局にダウンリンク（ＤＬ）フレームを送信することと、少なくとも１つの局からＵＬフレームを受信することと、受信されたＵＬフレームに基づいて、少なくとも１つの局とＡＰとの間のＵＬ／ＤＬ経路損失の不均衡を決定することと、ＵＬ／ＤＬ経路損失の不均衡に基づいてＵＬ送信電力パラメータを生成することとを含み得る。送信することは、少なくとも１つの局が、ＵＬフレームの送信電力を決定する際に経路損失の表示を使用することができるように、ＡＰから少なくとも１つの局に経路損失の表示を送信することを含み得る。送信することは、少なくとも１つの局がＵＬフレームの送信電力を使用してＵＬフレームを送信することができるように、ＡＰから少なくとも１つの局にＵＬフレームの送信電力を送信することも含み得る。ＤＬフレームは、メディアアクセス制御（ＭＡＣ）ヘッダ、ラッパーフレーム、または少なくとも１つの局とＡＰとの間のＵＬ送信をトリガするトリガフレームを含み得る。
【００１７】
[0017]また別の態様では、ＡＰと少なくとも１つの局との間の第１のワイヤレス通信に参加するステップは、少なくとも１つの局からＡＰにＵＬフレームを送信することと、ＵＬフレームに応答してＡＰからダウンリンク（ＤＬ）フレームを受信することと、受信されたＤＬフレームに基づいて、少なくとも１つの局とＡＰとの間のＵＬ／ＤＬ経路損失の不均衡を決定することと、ＵＬ／ＤＬ経路損失の不均衡に基づいてＵＬ送信電力を生成することとを含み得る。送信することは、ＡＰがＤＬフレームのＤＬ送信電力を決定する際に経路損失の表示を使用することができるように、少なくとも１つの局からＡＰに経路損失の表示を送信することを含み得る。送信することは、ＡＰがＤＬフレームの所望の送信電力を使用してＤＬフレームを送信することができるように、少なくとも１つの局からＡＰにＤＬフレームの所望の送信電力を送信することも含み得る。ＵＬ送信電力パラメータは、第１のワイヤレス通信に少なくとも部分的に基づき得る。
【００１８】
[0018]第２の例示的な実施形態では、Ｗｉ−Ｆｉシステムにおけるワイヤレス通信のための装置が開示される。この装置は、免許不要のワイヤレスネットワークにおけるＡＰと複数の局のうちの少なくとも１つの局との間の第１のワイヤレス通信に参加するためのトランシーバ構成要素と、少なくとも１つの局とＡＰとの間のＵＬ送信のＵＬ電力制御を調整するために、ＡＰにおいて生成されたＵＬ送信電力パラメータを使用するためのアップリンク（ＵＬ）電力制御構成要素と、ここにおいて、ＵＬ電力制御が、少なくとも１つの局からのＵＬ送信電力の制御を指す、を含み得る。
【００１９】
[0019]一態様では、この装置は、経路損失推定構成要素を含み得る。経路損失推定構成要素は、少なくとも１つの局とＡＰとの間のＵＬ経路損失を決定するためのものであり得、ここにおいて、ＵＬ送信電力パラメータは、ＵＬ経路損失に少なくとも部分的に基づく。経路損失推定構成要素は、少なくとも１つの局とＡＰとの間のアップリンク／ダウンリンク（ＵＬ／ＤＬ）経路損失の不均衡を決定するためのものであり得、ここにおいて、ＵＬ送信電力パラメータは、ＵＬ／ＤＬ経路損失の不均衡に少なくとも部分的に基づく。この装置は、少なくとも１つの局とＡＰとの間のＵＬ送信をトリガするトリガフレームでＵＬ送信電力パラメータを送信するためのトリガフレーム構成要素も含み得る。この装置は、少なくとも１つの局とＡＰとの間のＵＬ送信をトリガするトリガフレームとは別の電力制御フレームでＵＬ送信電力パラメータを送信するための電力制御フレーム構成要素を含み得る。免許不要のワイヤレスネットワークは、直交周波数分割多元接続（ＯＦＤＭＡ）またはマルチユーザ（ＭＵ）多入力多出力（ＭＩＭＯ）環境を含み得る。
【００２０】
[0020]一態様では、この装置は、少なくとも１つの局とＡＰとの間のＵＬ送信のための受信電力を決定し、ＡＰへのＵＬ送信が少なくとも１つの局についての受信電力と実質的に同じである受信電力を有する複数の局のうちの他の局を識別し、ＵＬ送信電力パラメータとして、少なくとも１つの局および実質的に同じ受信電力を有する他の局の識別を記憶するための局グループ化構成要素をさらに含み得る。この装置は、少なくとも１つの局と、ＵＬ送信電力パラメータによって識別された他の局とにトリガフレームを送信するためのトリガフレーム構成要素も含み得る。
【００２１】
[0021]一態様では、この装置は、少なくとも１つの局からＡＰへのＵＬ送信のための目標受信電力を決定するための目標ＡＰ受信（ＲＸ）電力決定構成要素を含み得、ここにおいて、ＵＬ送信電力パラメータが、目標受信電力およびＡＰ送信電力を少なくとも１つの局に伝達するように構成される。
【００２２】
[0022]別の態様では、この装置は、ＵＬ送信電力パラメータを介して、目標受信電力とＡＰ送信電力とを受信し、ＡＰ送信電力に基づいてダウンリンク（ＤＬ）経路損失を決定し、ＤＬ経路損失に基づいて、少なくとも１つの局からＡＰへのＵＬ経路損失を推定するための経路損失推定構成要素をさらに含み得る。この装置は、ＵＬ送信が目標受信電力を有するＡＰに到着し、ＵＬ経路損失を考慮するように、少なくとも１つの局とＡＰとの間のＵＬ送信のためのＵＬ送信電力を決定するための局（ＳＴＡ）送信（ＴＸ）電力決定構成要素も含み得る。
【００２３】
[0023]別の態様では、この装置は、少なくとも１つの局とＡＰとの間のＵＬ経路損失を決定するための経路損失推定構成要素と、少なくとも１つの局からＡＰへのＵＬ送信のための目標受信電力を決定する目標ＡＰ受信（ＲＸ）電力決定構成要素と、少なくとも１つの局から目標受信電力に対応するＡＰへのＵＬ送信のためのＵＬ送信電力を決定するための局（ＳＴＡ）送信（ＴＸ）電力決定構成要素とを含み得、ここにおいて、ＵＬ送信電力パラメータが、ＵＬ送信電力を少なくとも１つの局に伝達するために使用されるように構成される。この装置は、ＡＰが少なくとも１つの局とＡＰとの間のＵＬ経路損失を決定することができるように、既知の送信電力でパケットを少なくとも１つの局からＡＰに送信するための既知の電力送信（ＴＸ）構成要素をさらに含み得る。
【００２４】
[0024]また別の態様では、この装置は、少なくとも１つの局とＡＰとの間のＵＬ経路損失を決定するための経路損失推定構成要素と、少なくとも１つの局からＡＰへのＵＬ送信のための目標受信電力を決定するための目標ＡＰ受信（ＲＸ）電力決定構成要素と、少なくとも１つの局からＡＰへのＵＬ送信のための目標受信電力に基づいてＵＬ送信電力パラメータを決定するための電力制御パラメータ決定構成要素とをさらに含み得る。トランシーバは、さらに、ＵＬ送信電力パラメータが少なくとも１つの局および他の局に適用可能であるという表示を、少なくとも１つの局および複数の局のうちの他の局に送信するために構成され得る。ＵＬ送信電力パラメータは、少なくとも１つの局および他の局の関数であり得る。ＵＬ送信電力パラメータは、少なくとも１つの局または他の局とＡＰとの間のアップリンク／ダウンリンク（ＵＬ／ＤＬ）経路損失の不均衡を補償し得る。
【００２５】
[0025]さらに、電力制御パラメータ決定構成要素は、さらに、少なくとも１つの局から目標受信電力に対応するＡＰへのＵＬ送信のためのＵＬ送信電力を決定するために構成され得、ここにおいて、ＵＬ送信電力が、少なくとも１つの局とＡＰとの間のＵＬ経路損失を考慮する。電力制御パラメータ決定構成要素は、さらに、少なくとも１つの局からＡＰへのＵＬ送信のためのＵＬ送信電力を定義する関数を使用するために構成され得、ここにおいて、関数が、ダウンリンク（ＤＬ）信号強度とＵＬ送信電力パラメータとを含む。電力制御パラメータ決定構成要素は、さらに、目標受信電力に対応するために、少なくとも１つの局からＡＰへのＵＬ送信のためのＵＬ送信電力が変更されるべき量を示すオフセット値を決定するために構成され得る。
【００２６】
[0026]別の態様では、この装置は、ＡＰが少なくとも１つの局とＡＰとの間のＵＬ経路損失を決定することができるように、既知の送信電力でパケットを少なくとも１つの局からＡＰに送信するための既知の電力送信（ＴＸ）構成要素をさらに含み得る。この装置は、ＵＬ経路損失に基づいてＡＰによって決定されたＵＬ送信のための目標受信電力に基づいてＵＬ送信電力パラメータを受信し、ＡＰから受信されたダウンリンク（ＤＬ）フレームから受信信号強度を決定するための局（ＳＴＡ）受信（ＲＸ）電力決定構成要素も含み得る。ＳＴＡ  ＴＸ電力構成要素も、受信信号強度とＵＬ送信電力パラメータとに基づいてＵＬ送信電力を決定するために含まれ得る。
【００２７】
[0027]また別の態様では、この装置は、少なくとも１つの局からＡＰへの送信を受信するため、送信が、少なくとも１つの局から送信が送られた既知の電力を有する、または少なくとも１つの局から送信が送られた電力を示す、および少なくとも１つの局とＡＰとの間のＵＬ経路損失を決定するための経路損失推定構成要素を含み得る。この装置は、ＵＬ経路損失に基づいてＵＬ送信電力パラメータを生成するための電力制御パラメータ決定構成要素も含み得る。この装置は、少なくとも１つの局からＡＰへの送信を送るための既知の電力送信（ＴＸ）構成要素をさらに含み得、送信が、少なくとも１つの局から送信が送られた既知の電力を有する、または少なくとも１つの局から送信が送られた電力を示す。
【００２８】
[0028]別の態様では、この装置は、ＡＰから少なくとも１つの局にダウンリンク（ＤＬ）フレームを送信し、少なくとも１つの局からＵＬフレームを受信し、受信されたＵＬフレームに基づいて、少なくとも１つの局とＡＰとの間のＵＬ／ＤＬ経路損失の不均衡を決定するための経路損失推定構成要素を含み得る。この装置は、ＵＬ／ＤＬ経路損失の不均衡に基づいてＵＬ送信電力パラメータを生成するための電力制御パラメータ決定構成要素も含み得る。経路損失推定構成要素は、さらに、少なくとも１つの局が、ＵＬフレームの送信電力を決定する際に経路損失の表示を使用することができるように、ＡＰから少なくとも１つの局に経路損失の表示を送信するために構成され得る。
【００２９】
[0029]一態様では、この装置は、少なくとも１つの局からＡＰにＵＬフレームを送信し、ＵＬフレームに応答してＡＰからダウンリンク（ＤＬ）フレームを受信し、受信されたＤＬフレームに基づいて、少なくとも１つの局とＡＰとの間のＵＬ／ＤＬ経路損失の不均衡を決定するための経路損失推定構成要素をさらに含み得る。この装置は、ＵＬ／ＤＬ経路損失の不均衡に基づいてＵＬ送信電力を生成するための局（ＳＴＡ）送信（ＴＸ）電力決定構成要素も含み得る。経路損失推定構成要素は、さらに、ＡＰがＤＬフレームのＤＬ送信電力を決定する際に経路損失の表示を使用することができるように、少なくとも１つの局からＡＰに経路損失の表示を送信するために構成され得る。
【００３０】
[0030]第３の例示的な実施形態では、Ｗｉ−Ｆｉシステムにおけるワイヤレス通信のための装置が開示される。この装置は、免許不要のワイヤレスネットワークにおけるＡＰと複数の局のうちの少なくとも１つの局との間の第１のワイヤレス通信に参加するための手段と、少なくとも１つの局とＡＰとの間のアップリンク（ＵＬ）送信のＵＬ電力制御を調整するために、ＡＰにおいて生成されたＵＬ送信電力パラメータを使用するための手段とを含み得、ここにおいて、ＵＬ電力制御が、少なくとも１つの局からのＵＬ送信電力の制御を指す。
【００３１】
[0031]一態様では、この装置は、少なくとも１つの局とＡＰとの間のＵＬ経路損失を決定するための手段と、ＵＬ経路損失に少なくとも部分的に基づいてＵＬ送信電力パラメータを生成するための手段とをさらに含み得る。この装置は、少なくとも１つの局とＡＰとの間のアップリンク／ダウンリンク（ＵＬ／ＤＬ）経路損失の不均衡を決定するための手段と、ＵＬ／ＤＬ経路損失の不均衡に少なくとも部分的に基づいてＵＬ送信電力パラメータを生成するための手段とをさらに含み得る。この装置は、少なくとも１つの局とＡＰとの間のＵＬ送信をトリガするトリガフレームでＵＬ送信電力パラメータを送信するための手段も含み得る。この装置は、少なくとも１つの局とＡＰとの間のＵＬ送信をトリガするトリガフレームとは別の電力制御フレームでＵＬ送信電力パラメータを送信するための手段も含み得る。
【００３２】
[0032]また別の例示的な実施形態では、Ｗｉ−Ｆｉシステムにおけるワイヤレス通信のためのコンピュータ実行可能コードを記憶する非一時的コンピュータ可読媒体が開示される。非一時的コンピュータ可読媒体のコードは、プロセッサによって、免許不要のワイヤレスネットワークにおけるＡＰと複数の局のうちの少なくとも１つの局との間の第１のワイヤレス通信に参加し、少なくとも１つの局とＡＰとの間のアップリンク（ＵＬ）送信のＵＬ電力制御を調整するために、ＡＰにおいて生成されたＵＬ送信電力パラメータを使用する、ここにおいて、ＵＬ電力制御が、少なくとも１つの局からのＵＬ送信電力の制御を指す、ように実行可能であり得る。
【００３３】
[0033]一態様では、非一時的コンピュータ可読媒体は、プロセッサによって、少なくとも１つの局とＡＰとの間のＵＬ経路損失を決定し、ＵＬ経路損失に少なくとも部分的に基づいてＵＬ送信電力パラメータを生成するように実行可能であるコードをさらに含み得る。非一時的コンピュータ可読媒体は、プロセッサによって、少なくとも１つの局とＡＰとの間のアップリンク／ダウンリンク（ＵＬ／ＤＬ）経路損失の不均衡を決定し、ＵＬ／ＤＬ経路損失の不均衡に少なくとも部分的に基づいてＵＬ送信電力パラメータを生成するように実行可能であるコードも含み得る。非一時的コンピュータ可読媒体は、プロセッサによって、少なくとも１つの局とＡＰとの間のＵＬ送信をトリガするトリガフレームでＵＬ送信電力パラメータを送信するように実行可能であるコードをさらに含み得る。非一時的コンピュータ可読媒体は、プロセッサによって、少なくとも１つの局とＡＰとの間のＵＬ送信をトリガするトリガフレームとは別の電力制御フレームでＵＬ送信電力パラメータを送信するように実行可能であるコードをさらに含み得る。
【００３４】
[0034]上記では、以下の発明を実施するための形態がより良く理解され得るように、本開示による例の特徴および技術的利点をかなり広く概説した。追加の特徴および利点が以下で説明される。開示する概念および具体例は、本開示の同じ目的を実施するための他の構造を修正または設計するための基礎として容易に利用され得る。そのような等価な構成は、添付の特許請求の範囲から逸脱しない。本明細書で開示する概念の特性は、それらの編成と動作方法の両方とも、関連する利点とともに、以下の説明を添付の図と関連させて検討するとより良く理解されよう。図の各々は、例示および説明のみのために与えられ、特許請求の範囲の限定の定義として与えられるものではない。
【００３５】
[0035]本発明の性質と利点とについてのさらなる理解は、以下の図面を参照することによって達成され得る。添付の図では、同様の構成要素または特徴は同じ参照ラベルを有し得る。さらに、同じタイプの様々な構成要素は、ダッシュによる参照ラベルと、それらの同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００３６】
【図１】[0036]本開示の様々な態様による、ワイヤレス通信システムのブロック図。
【図２Ａ】[0037]本開示の様々な態様による、アップリンク電力制御を提供するための通信図。
【図２Ｂ】本開示の様々な態様による、アップリンク電力制御を提供するための通信図。
【図２Ｃ】本開示の様々な態様による、アップリンク電力制御を提供するための通信図。
【図２Ｄ】本開示の様々な態様による、アップリンク電力制御を提供するための通信図。
【図３Ａ】[0038]本開示の様々な態様による、ＵＬ電力制御結果の図。
【図３Ｂ】本開示の様々な態様による、ＵＬ電力制御結果の図。
【図４Ａ】[0039]本開示の様々な態様による、アップリンク電力制御を提供するための通信図。
【図４Ｂ】本開示の様々な態様による、アップリンク電力制御を提供するための通信図。
【図５Ａ】[0040]本開示の様々な態様による、アップリンク電力制御を提供するためのトリガフレームの図。
【図５Ｂ】本開示の様々な態様による、アップリンク電力制御を提供するためのトリガフレームの図。
【図６Ａ】[0041]本開示の様々な態様による、アップリンク電力制御を提供するための通信図。
【図６Ｂ】本開示の様々な態様による、アップリンク電力制御を提供するための通信図。
【図７Ａ】[0042]本開示の様々な態様による、アップリンク電力制御を提供するための電力制御フレームの図。
【図７Ｂ】本開示の様々な態様による、アップリンク電力制御を提供するための電力制御フレームの図。
【図８】[0043]本開示の様々な態様による、アップリンク電力制御を提供するための変更された高スループット制御フレームの図。
【図９Ａ】[0044]本開示の様々な態様による、アップリンク／ダウンリンク経路損失の不均衡を決定するための通信図。
【図９Ｂ】本開示の様々な態様による、アップリンク／ダウンリンク経路損失の不均衡を決定するための通信図。
【図９Ｃ】本開示の様々な態様による、アップリンク／ダウンリンク経路損失の不均衡を決定するための通信図。
【図９Ｄ】本開示の様々な態様による、アップリンク／ダウンリンク経路損失の不均衡を決定するための通信図。
【図１０Ａ】[0045]本開示の様々な態様による、アップリンク／ダウンリンク経路損失の不均衡を決定するための通信図。
【図１０Ｂ】本開示の様々な態様による、アップリンク／ダウンリンク経路損失の不均衡を決定するための通信図。
【図１１】[0046]本開示の様々な態様による、アップリンク／ダウンリンク経路損失の不均衡を決定するための通信図。
【図１２】[0047]本開示の様々な態様による、ワイヤレス通信において使用するために構成されたデバイスのブロック図。
【図１３】[0048]本開示の様々な態様による、ワイヤレス通信において使用するために構成されたデバイスのブロック図。
【図１４】[0049]本開示の様々な態様による、ワイヤレス通信システムのブロック図。
【図１５】[0050]本開示の様々な態様による、ワイヤレス通信において使用するための装置のブロック図。
【図１６】[0051]本開示の様々な態様による、ワイヤレス通信において使用するための装置のブロック図。
【図１７】[0052]本開示の様々な態様による、ワイヤレス通信において使用するためのワイヤレス局のブロック図。
【図１８】[0053]本開示の様々な態様による、ワイヤレス通信のための方法の例を示すフローチャート。
【図１９】本開示の様々な態様による、ワイヤレス通信のための方法の例を示すフローチャート。
【発明を実施するための形態】
【００３７】
[0054]いくつかの例では、アクセスポイント（ＡＰ）は、局（ＳＴＡ）と通信するときにその送信電力を調整し得る。これは、本明細書では一般に電力制御と呼ばれる。特に、以下の開示は、Ｗｉ−Ｆｉネットワークのようなマルチユーザ（ＭＵ）ネットワークにおける電力制御に関する。ＭＵワイヤレスネットワークでは、ＡＰは、複数の局と同時に通信することが可能であり得る。ＭＵワイヤレスネットワークの一例は、直交周波数分割多元接続（ＯＦＤＭＡ）環境である。別の例は、ＭＵ多入力多出力（ＭＩＭＯ）環境である。ＯＦＤＭＡまたはＭＵ  ＭＩＭＯ環境では、複数のワイヤレス局からのアップリンク（ＵＬ）送信が、同じまたは類似のＡＰ受信（ＲＸ）電力を有するＡＰに到達するように調整され得る。複数のＵＬ送信が同じまたはほぼ同じＡＰ  ＲＸ電力を有するとき、性能劣化が低減または回避され得る。したがって、ＵＬ電力制御は、これらのマルチユーザワイヤレスネットワーク、特にＵＬ電力制御が伝統的に制限されている免許不要のワイヤレスネットワークにおいて有益であり得る。
【００３８】
[0055]ＵＬ電力制御は、様々なオプションを使用して実行できる。１つのオプションでは、ＵＬ電力制御は、ＡＰ  ＲＸ電力がほぼ同じである局が各々、ほぼ同時に、対応するＵＬ送信を実行するように、スケジュールを調整するＡＰに限定される。したがって、ＡＰは、互いに地理的に近接しているか、または送信（ＴＸ）電力が同様のＡＰ  ＲＸ電力をもたらす局を識別するために、初期ワイヤレス通信を使用し得る。次いで、ＡＰは、局がそれらのＵＬ送信をいつ送信することになるかを局に示すＵＬ送信電力パラメータを局に送信し得る。他のオプションでは、ＵＬ電力制御は、開もしくは閉ループ電力制御、またはさらには開および閉ループ電力制御のハイブリッドの形であり得る。これらの例の各々において、ＡＰは、局との最初のワイヤレス通信に参加し、次いで、ＡＰ  ＲＸ電力が調整されたレベルであるように、局送信（ＳＴＡ  ＴＸ）電力を調整できるようにする情報を局に提供するＵＬ送信電力パラメータを局に伝達し得る。これらのオプションにおいて、ＵＬ送信電力パラメータは、決定されたＳＴＡ  ＴＸ電力、指定されたＡＰ  ＲＸ電力、経路損失情報などを含み得る。
【００３９】
[0056]したがって、電力制御パラメータと組み合わせてＵＬ電力制御を使用することによって、性能劣化が制限され得る。ＵＬ電力制御は、複数のワイヤレス局からのＵＬ送信が、同じまたは類似の（所定の許容内で）ＡＰ  ＲＸ電力を有するＡＰに到達するように調整され得ることを確実にする。複数のＵＬ送信が同じまたはほぼ同じＡＰ  ＲＸ電力を有するとき、性能劣化が低減または回避され得る。
【００４０】
[0057]上記および本明細書で論じた電力制御の利点は、セルラー技術で使用される電力制御とは区別可能である。たとえば、セルラー技術は、閉ループ電力制御を適用し得る。しかしながら、セルラー技術で使用される閉ループ電力制御は、Ｗｉ−Ｆｉシナリオに適用されると、結果として、ＡＰがＳＴＡの経路損失の絶えず更新された測定を必要とする可能性がある。この場合もまた、これは、Ｗｉ−Ｆｉシステムにおける非効率性をもたらし得る。したがって、本開示は、ＳＴＡに情報を提供し、ＳＴＡがそれらのＳＴＡ  ＴＸ電力を調整することを可能にするＵＬ送信電力パラメータを提供する。利点は、以下で説明するように、閉ループ電力制御、ならびにＷｉ−Ｆｉシステムに適用されるような開ループ電力制御およびハイブリッド開−閉ループ電力制御を介して実現され得る。複数の電力制御オプションを考慮することによって、利益を最大化することができる。たとえば、閉ループ電力制御では、ＡＰは、ＳＴＡグループ化を最適化し、制御パラメータを提供し得る。ＡＰは、ＳＴＡの不正確さおよびＵＬ／ＤＬの不均衡を含むあらゆる不正確さを補償するために、電力制御パラメータを介して各ＳＴＡの電力をさらに調整し得る。そのような補償が不要な場合、ＡＰは、個々のＳＴＡではなく、ＳＴＡのグループについて単一の目標を通信し得る。開ループ電力制御では、ＳＴＡは、ＤＬフレームからの測定されたＤＬ信号強度に基づいてそのＴＸ電力を計算し得る。ＳＴＡがその位置を変える、またはそのチャネルがフェードすると、ＤＬ信号強度が変化し得、ＴＸ電力が自動的に調整され得る。ハイブリッド手法は、閉ループ手法と開ループ手法の両方の利点と結果のバランスを取り得る。対照的に、セルラー技術は、複数の電力制御オプションを開示しておらず、セルラー技術は電力制御パラメータの追加も考慮していない。
【００４１】
[0058]Ｗｉ−Ｆｉの従来技術では、限られた方法でのみ電力制御を適用し得る。たとえば、過去のＷｉ−Ｆｉの方法および装置は、ＳＴＡが送信することが可能な最大電力をＳＴＡに示すＡＰからのインジケータを含み得る。この最大電力は、各国の規制要件次第であり、国によって異なる場合がある。同様に、ＡＰからＳＴＡへの指示は、最大許容電力が何であるかを決定し得る。これらの方法の以外には、Ｗｉ−Ｆｉを伴う従来技術は、電力制御を企図しない。
【００４２】
[0059]以下の説明は例を与えるものであり、特許請求の範囲に記載される範囲、適用可能性、または例を限定するものではない。本開示の範囲から逸脱することなく、説明される要素の機能および構成に変更が行われ得る。様々な例は、適宜、様々な手順または構成要素を省略、置換、または追加し得る。たとえば、説明される方法は、説明される順序とは異なる順序で実行され得、様々なステップが追加され、省略され、または組み合わせられ得る。また、いくつかの例に関して説明される特徴は、他の例では組み合わせられ得る。
【００４３】
[0060]最初に図１を参照すると、ブロック図は、ＷＬＡＮネットワーク１００の一例を示す。ＷＬＡＮネットワーク１００は、移動局、携帯情報端末（ＰＤＡ）、他のハンドヘルドデバイス、ネットブック、ノート型コンピュータ、タブレットコンピュータ、ラップトップ、ディスプレイデバイス（たとえばテレビ、コンピュータモニタなど）、プリンタなどＡＰ１０５および１つまたは複数のワイヤレスデバイスまたは局（ＳＴＡ）１１０を含むことができる。ＡＰ１０５が１つしか示されていないが、ＷＬＡＮネットワーク１００は、複数のＡＰ１０５を有し得る。移動局（ＭＳ）、モバイルデバイス、アクセス端末（ＡＴ）、ユーザ機器（ＵＥ）、加入者局（ＳＳ）、または加入者ユニットとも呼ばれ得るワイヤレス局１１０の各々は、通信リンク１１５を介してＡＰ１０５と関連付け通信することができる。各ＡＰ１０５は地理的カバレージエリア１２５を有し、それにより、そのエリア内のワイヤレス局１１０はＡＰ１０５と一般に通信することができる。ワイヤレス局１１０は地理的カバレージエリア１２５全体にわたって分散され得る。各ワイヤレス局１１０は固定またはモバイルであり得る。
【００４４】
[0061]図１には示されていないが、ワイヤレス局１１０は、１つを超えるＡＰ１０５によってカバーされ得て、したがって、異なる時間に１つまたは複数のＡＰ１０５と関連付けることができる。単一のＡＰ１０５および局の関連付けられた組は、基本サービスセット（ＢＳＳ）と呼ばれ得る。拡張サービスセット（ＥＳＳ）は、接続されたＢＳＳのセットである。配布システム（ＤＳ）（図示せず）は、拡張サービスセットのＡＰ１０５を接続するために使用される。ＡＰ１０５のための地理的カバレージエリア１２５は、カバレージエリアの一部分のみを構成するセクタ（図示せず）に分割され得る。ＷＬＡＮネットワーク１００は、異なる技術に対して異なるサイズのカバレージエリアおよび重複するカバレージエリアを有する、異なるタイプ（たとえば、都市圏、ホームネットワークなど）のＡＰ１０５を含み得る。図示されていないが、他のワイヤレスデバイスはＡＰ１０５と通信することができる。
【００４５】
[0062]ワイヤレス局１１０は、通信リンク１１５を使用してＡＰ１０５を介して互いに通信することができるが、各ワイヤレス局１１０は、直接ワイヤレスリンク１２０を介して１つまたは複数の他のワイヤレス局１１０と直接通信することもできる。２つ以上のワイヤレス局１１０は、両方のワイヤレス局１１０がＡＰ地理的カバレージエリア１２５にあるとき、または１つのワイヤレス局１１０がＡＰ地理的カバレージエリア１２５内にある、もしくは１つもない（図示せず）とき、直接ワイヤレスリンク１２０を介して通信し得る。直接ワイヤレスリンク１２０の例としては、Ｗｉ−Ｆｉ  Ｄｉｒｅｃｔ（登録商標）接続、Ｗｉ−Ｆｉトンネルドダイレクトリンクセットアップ（ＴＤＬＳ）リンクを使用して確立された接続、および他のＰ２Ｐグループ接続があり得る。これらの例におけるワイヤレス局１１０は、物理層およびＭＡＣ層を含むＷＬＡＮ無線およびベースバンドプロトコルに従って通信し得る。他の実装形態では、他のピアツーピア接続および／またはアドホックネットワークが、ＷＬＡＮネットワーク１００内で実装され得る。
【００４６】
[0063]ＷＬＡＮネットワーク１００は、直交周波数分割多元接続（ＯＦＤＭＡ）またはマルチユーザ（ＭＵ）多入力多出力（ＭＩＭＯ）環境のようなマルチユーザ（ＭＵ）ワイヤレスネットワークであり得る。したがって、ＷＬＡＮネットワーク１００では、ワイヤレス局１１０の一部またはすべてがメッセージをＡＰ１０５に同時に送信し得る。したがって、性能劣化を低減するために、ＡＰ１０５へのＵＬ送信は、同じまたはほぼ同じＡＰ  ＲＸ電力を有するＡＰ１０５に到達するように調整され得る。いくつかの例では、ワイヤレス局１１０のグループは、同様のＡＰ  ＲＸ電力を有するように編成され得る。ワイヤレス局１１０のグループ化およびワイヤレス局１１０とＡＰ１０５との間の送信のためのＵＬ電力制御は、一例では、ＡＰ１０５の構成要素であり得るＡＰ  ＵＬ電力制御構成要素１３０を使用して調整され得る。ＵＬ電力制御のいくつかの機能は、１つまたは複数のワイヤレス局１１０の構成要素であり得るＳＴＡ  ＵＬ電力制御構成要素１３５を使用して実行されてもよい。ＡＰ  ＵＬ電力制御構成要素１３０およびＳＴＡ  ＵＬ電力制御構成要素１３５を説明する追加の詳細が以下に示される。
【００４７】
[0064]ＡＰ１０５およびワイヤレス局１１０は、ＵＬ電力制御を提供するための方法およびシステムにおいて使用され得る。図２Ａ〜図２Ｄは、様々なＵＬ電力制御方法を表す通信図を示し、以下でもさらに説明される。
【００４８】
[0065]図２Ａは、ＵＬ電力制御を提供するための第１のオプションを示す通信図２００−ａを示す。通信図２００−ａは、ＡＰ１０５−ａ−１とワイヤレス局１１０−ａ−１と他のワイヤレス局１１０−ｎとの間の通信を含む。ＡＰ１０５−ａ−１は、図１に関して上述したＡＰ１０５の一例であり得る。ワイヤレス局１１０−ａ−１および他のワイヤレス局１１０−ｎは、図１に関して同様に上述したワイヤレス局１１０の例であり得る。通信図２００−ａは、ＵＬ電力制御オプションを表し、ここにおいて、ＡＰ１０５−ａ−１は、多くのワイヤレス局１１０の各々についてＡＰ  ＲＸ電力を決定し、次いで、それに応じて（補：accordingly）ワイヤレス局１１０をグループ化する。したがって、たとえば、通信図２００−ａにおいて、ワイヤレス局１１０−ａ−１および他のワイヤレス局１１０−ｎは各々、ＡＰ１０５−ａ−１との第１の通信２０５−ａ−１、２０５−ａ−２に参加する。第１の通信２０５−ａ−１、２０５−ａ−２は、ＡＰ１０５−ａ−１がワイヤレス局１１０−ａ−１、１１０−ｎの各々のＡＰ  ＲＸ電力を決定できる、ＡＰ１０５−ａ−１との任意のタイプの通信とすることができる。ＡＰ１０５−ａ−１は、ワイヤレス局１１０−ａ−１、１１０−ｎの一部またはすべてのＡＰ  ＲＸ電力を決定すると、ＡＰ  ＲＸ電力に基づいてワイヤレス局１１０−ａ−１、１１０−ｎをグループ化し得る。同様のＡＰ  ＲＸ電力を有するワイヤレス局１１０は、一緒にグループ化される。グループ化は、以下で説明するように、ＵＬ電力制御の一形態として使用され得るグループ化パラメータとしてＡＰ１０５−ａ−１に記憶され得る。
【００４９】
[0066]図２Ａのオプションでは、ワイヤレス局１１０−ａ−１、１１０−ｎは、それらの送信電力を適合させる必要がないこともある。代わりに、ＡＰ１０５−ａ−１は、ワイヤレス局１１０−ａ−１、１１０−ｎがＵＬ  ＭＵ  ＭＩＭＯ／ＯＦＤＭＡ通信に使用するのと同じ送信電力を使用するワイヤレス局１１０−ａ−１、１１０−ｎによって送られたフレームの受信に基づいてＡＰ  ＲＸ電力を推定し得る。一例では、ワイヤレス局１１０−ａ−１、１１０−ｎは、すべての送信に同じまたは同様の送信電力を使用し得る。別の例では、ワイヤレス局１１０−ａ−１、１１０−ｎは、次いでＡＰ１０５−ａ−１がＡＰ  ＲＸ電力を推定することを可能にするフレームを送信するために使用される送信電力を示し得る。ワイヤレス局１１０−ａ−１、１１０−ｎは、ワイヤレス局１１０−ａ−１、１１０−ｎがＵＬ  ＭＵ  ＭＩＭＯ／ＯＦＤＭＡにおけるデータ送信に使用する送信電力も示し得る。使用された送信電力は、ワイヤレス局１１０−ａ−１、１１０−ｎによってＡＰ１０５−ａ−１に通信されてもよく、送信に使用されるＭＣＳの関数であり得る。同様のＡＰ  ＲＸ電力または同様のＵＬ  ＭＵ  ＭＩＭＯ／ＯＦＤＭＡ電力を有するワイヤレス局１１０−ａ−１、１１０−ｎは、このグループ化がＡＰ１０５−ａ−１によって使用され得るパラメータとして記憶されて、一緒にグループ化され得る。次いで、ＡＰ１０５−ａ−１は、グループ化に従ってワイヤレス局１１０にメッセージを送信する。たとえば、ＡＰ１０５−ａ−１は、トリガフレーム２１０（たとえば、クリアツートランスミット（ＣＴＸ）フレーム）を特定のグループ内のワイヤレス局１１０のみに送信し得る。通信図２００−ａにおいて、ワイヤレス局１１０−ａ−１は、そのグループ内の唯一のワイヤレス局１１０である。したがって、ＡＰ１０５−ａ−１は、トリガフレーム２１０をワイヤレス局１１０−ａ−１にのみ送信する。他の例では、複数のワイヤレス局１１０が同じグループにあり得、ここにおいて、各々がＡＰ１０５−ａ−１からトリガフレーム２１０を受信する。トリガフレーム２１０は、それを受信する各ワイヤレス局１１０に、ワイヤレス局１１０がそのＵＬ送信２１５を送信し得ることを示し得る。したがって、同様のＡＰ  ＲＸ電力を有する各ワイヤレス局は、トリガフレーム２１０を受信し、ＵＬ送信２１５を送信し得る。通信図２００−ａにおいて、ワイヤレス局１１０−ａ−１のみがそのＵＬ送信２１５を送信する。さらに、以下で説明するように、ＡＰ１０５−ａ−１とワイヤレス局１１０−ａ−１、１１０−ｎとの間で通信する他の方法が使用され得る。たとえば、トリガフレーム２１０に加えて、ＡＰ１０５−ａ−１は、以下で説明するように、ＵＬ電力制御情報を伝達する電力制御フレームをワイヤレス局１１０−ａ−１、１１０−ｎに送信することもできる。
【００５０】
[0067]この第１のＵＬ電力制御オプションの有効性は、ＵＬ電力制御に必要とされる精度に基づき得る。たとえば、３．５経路損失指数を用いると、３ｄＢの差は、ワイヤレス局１１０の地理的位置のわずか数メートルの差をもたらす可能性がある。したがって、この第１のオプション下で、一緒にグループ化され得る適合性のあるワイヤレス局１１０を見つけることは困難であり得る。したがって、この第１のオプションは、より低い精度が必要とされるシステムに最も適している可能性があり、したがって、頻繁な再グループ化を必要とせずにチャネル変動および移動性が許容されることを可能にする。たとえば、この第１のオプションは、ＯＦＤＭＡの許容差がＭＵ  ＭＩＭＯの許容差よりも大きい可能性があるので、ＭＵ  ＭＩＭＯの代わりに、ＯＦＤＭＡにより適する可能性がある。
【００５１】
[0068]図２Ｂは、ＵＬ電力制御を提供するための第２のオプションを示す通信図２００−ｂを示す。通信図２００−ｂは、ＡＰ１０５−ａ−２とワイヤレス局１１０−ａ−２との間の通信を含む。ＡＰ１０５−ａ−２は、図１に関して上述したＡＰ１０５の一例であり得る。ワイヤレス局１１０−ａ−２は、図１に関して同様に上述したワイヤレス局１１０の一例であり得る。通信図２００−ｂは、開ループＵＬ電力制御オプションを表す。この開ループオプションにおいて、ＡＰ１０５−ａ−２は、ワイヤレス局１１０−ａ−２のための目標ＡＰ  ＲＸ電力を確立する。複数のワイヤレス局１１０がＡＰ１０５−ａ−２と通信するとき、ＡＰ１０５−ａ−２は、すべてのワイヤレス局についてこの同じ目標ＡＰ  ＲＸ電力を確立する。次いで、ＡＰ１０５−ａ−２は、目標ＡＰ  ＲＸ電力を含むメッセージ２２０をワイヤレス局１１０−ａ−２に送る。以下に説明するように、メッセージ２２０は、ＡＰ  ＴＸ電力も含み得る。メッセージ２２０は、ビーコン、関連付け応答、１つもしくは複数のワイヤレス局にＵＬ送信を要請するトリガフレームであり得、または専用の管理フレームを介して送られ得る。さらに、いくつかの例では、目標ＡＰ  ＲＸ電力は、メッセージ２２０が送られる必要がないように、規格によって設定され、したがって、ワイヤレス局１１０−ａ−２に既知であり得る。
【００５２】
[0069]ワイヤレス局１１０−ａ−２は、メッセージ２２０を受信する、または目標ＡＰ  ＲＸ電力を学習すると、ワイヤレス局のＵＬ送信２３０が目標ＡＰ  ＲＸ電力を有するＡＰ１０５−ａ−２に到着し得るように、そのＳＴＡ  ＴＸ電力を設定し得る（ブロック２２５において）。したがって、そのＳＴＡ  ＴＸ電力をそれに応じて（補：accordingly）設定するために、ワイヤレス局１１０−ａ−２は、経路損失を決定し得る（ブロック２２５において）。これを可能にするために、ＡＰ１０５−ａ−２は、そのＡＰ  ＴＸ電力をメッセージ２２０に含め得る。ワイヤレス局１１０−ａ−２は、ダウンリンク（ＤＬ）経路損失を決定するために、受信されたＡＰ  ＴＸ電力を推定された局受信（ＳＴＡ  ＲＸ）電力と比較し得る。ワイヤレス局１１０−ａ−２は、ＵＬ経路損失を決定するために、ＤＬ経路損失を使用し得る。たとえば、ワイヤレス局１１０−ａ−２は、ＤＬ経路損失からＵＬ経路損失を決定するために、ＤＬ経路損失およびＵＬ経路損失が等しいと仮定し得る、または、何らかの他のアルゴリズムを使用し得る。ワイヤレス局１１０−ａ−２における経路損失を決定するための手順は、定期的に繰り返されてもよく、経路損失の最良の可能な推定を保証するために、経時的な要因の考慮を含み得る。ワイヤレス局１１０−ａ−２がＵＬ経路損失を決定すると、ワイヤレス局１１０−ａ−２は、ＡＰ１０５−ａ−２での目標ＡＰ  ＲＸ電力の受信をもたらすそのＳＴＡ  ＴＸ電力を決定し得る。ワイヤレス局１１０−ａ−２は、その決定されたＳＴＡ  ＴＸ電力を使用してそのＵＬ送信２３０を送信し得る。
【００５３】
[0070]通信図２００−ｂに示される開ループオプションは、個々のワイヤレス局１１０の能力に基づいて制限され得る。これが図３Ａに示される。図３Ａは、開ループＵＬ電力制御オプションの使用に関する電力制御結果図３００−ａを示す。図３Ａは、ＡＰ１０５（図示せず）と通信する様々なワイヤレス局１１０−ｂ−１、１１０−ｂ−２、１１０−ｂ−３、１１０−ｂ−４、１１０−ｂ−５を示す。ＡＰ１０５にある、または信号劣化のないワイヤレス局１１０は、図示されたスケールの左端のポイント３０５に配置される。スケール上で右に延びるワイヤレス局１１０は、ＡＰ１０５からますます遠ざかるか、またはますます劣化するＵＬ送信（一般にｄＢで測定される）を有する。したがって、ワイヤレス局１１０−ｂ−１からのＵＬ送信は、ＡＰ１０５から遠くに位置するワイヤレス局１１０−ｂ−５よりも高いデシベル（減衰が少ない）を有することになる。電力制御結果図３００−ａにおいて、ＡＰ１０５は、目標ＡＰ  ＲＸ電力３１０−ａを確立している。したがって、図２Ｂを参照して説明した開ループＵＬ電力制御オプションにおいて、ＡＰ１０５は、目標ＡＰ  ＲＸ電力３１０−ａを、ワイヤレス局１１０−ｂ−１、１１０−ｂ−２、１１０−ｂ−３、１１０−ｂ−４、１１０−ｂ−５の各々に伝達し、次いで、ワイヤレス局１１０−ｂ−１、１１０−ｂ−２、１１０−ｂ−３、１１０−ｂ−４、１１０−ｂ−５各々は、受信目標ＡＰ  ＲＸ電力を達成するために、そのＳＴＡ  ＴＸ電力を調整しようとする。この例では、ワイヤレス局１１０−ｂ−１、１１０−ｂ−２は、バックオフ（ＳＴＡ  ＴＸ電力増加）が必要でないほど十分にＡＰ１０５に近接している可能性があり、これらのワイヤレス局は、目標ＡＰ  ＲＸ電力要件が満たされる電力で、すでに送信している。しかしながら、ワイヤレス局１１０−ｂ−３、１１０−ｂ−４、１１０−ｂ−５は、目標ＡＰ  ＲＸ電力３１０−ａを達成するために、それらのＳＴＡ  ＴＸ電力に対するいくらかの増加を必要とする。たとえば、ワイヤレス局１１０−ｂ−３は、そのＳＴＡ  ＴＸ電力をバックオフ量３１５−ａ−１だけ増加させなければならない。ワイヤレス局１１０−ｂ−４は、そのＳＴＡ  ＴＸ電力をバックオフ量３１５−ａ−２だけ増加させなければならない。しかしながら、ワイヤレス局１１０−ｂ−５は、そのＵＬ送信において、最大バックオフ量３１５−ａ−３だけそのＳＴＡ  ＴＸ電力を増加させなければならないほど十分な減衰を被り、その結果、目標ＡＰ  ＲＸ電力３１０−ａに満たないＡＰ  ＲＸ電力３２０が生じる。したがって、開ループＵＬ電力制御手法の１つの欠点は、一部のワイヤレス局が、受信された目標ＡＰ  ＲＸ電力に準拠できないことがあることである。
【００５４】
[0071]開ループＵＬ電力制御オプションを使用する際の別の欠点は、ＤＬ経路損失とＵＬ経路損失とが相反的でない可能性があることである。ワイヤレス局１１０がＤＬの経路損失とＵＬの経路損失が等しいと仮定する例では、仮定は、実際の経路損失が等しくないとき、誤差をもたらす可能性がある。さらなる欠点は、個々のワイヤレス局によるＳＴＡ  ＴＸ電力の設定における可能な不正確さを含む。さらに、ＡＰ１０５は、個々のワイヤレス局の誤差を補正することができず、またはワイヤレス局１１０のグループの関数として目標ＡＰ  ＲＸ電力を適合させることができない可能性がある。
【００５５】
[0072]図２Ｃは、ＵＬ電力制御を提供するための第３のオプションを示す通信図２００−ｃを示す。通信図２００−ｃは、ＡＰ１０５−ａ−３とワイヤレス局１１０−ａ−３との間の通信を含む。ＡＰ１０５−ａ−３は、図１に関して上記で説明したＡＰ１０５の一例であり得る。ワイヤレス局１１０−ａ−３は、図１に関して同様に上述したワイヤレス局１１０の一例であり得る。通信図２００−ｃは、閉ループＵＬ電力制御オプションを表す。この閉ループオプションにおいて、ＡＰ１０５−ａ−３は、各ワイヤレス局１１０、たとえば、ワイヤレス局１１０−ａ−３からのＵＬ経路損失を推定する。したがって、これを行うために、ワイヤレス局１１０−ａ−３は、何らかの既知のＳＴＡ  ＴＸ電力でパケット２３５をＡＰ１０５−ａ−３に送信する。たとえば、パケット２３５は、ＡＰ１０５−ａ−３に知られている宣言された最大電力で送られ得る。ＡＰ１０５−ａ−３がパケット２３５を受信すると、ＡＰ１０５−ａ−３は、目標ＡＰ  ＲＸ電力、ならびに目標ＡＰ  ＲＸ電力を達成するために必要なＳＴＡ  ＴＸ電力の両方を決定することができる（ブロック２４０において）。ＡＰ１０５−ａ−３によって決定された目標ＡＰ  ＲＸ電力は、ワイヤレス局１１０のグループに基づいて選択され得、すべてのワイヤレス局１１０について同じである必要はない。したがって、目標ＡＰ  ＲＸ電力は、グループ内のすべてのワイヤレス局１１０について達成可能であるように選択されてもよい。
【００５６】
[0073]既知のＳＴＡ  ＴＸ電力で送信されたパケット２３５を使用して、ＡＰ１０５−ａ−３は、ワイヤレス局１１０−ａ−３のＵＬ経路損失を決定することもできる。したがって、ＡＰ１０５−ａ−３は、ワイヤレス局１１０−ａ−３のＳＴＡ  ＴＸ電力を決定するために、その選択された目標ＡＰ  ＲＸ電力および決定されたＵＬ経路損失を使用することができる。ＡＰ１０５−ａ−３は、ＳＴＡ  ＴＸ電力を、メッセージ２４５を介してワイヤレス局１１０−ａ−３に通信する。たとえば、以下でより詳細に説明するように、ＳＴＡ  ＴＸ電力は、トリガフレームまたは電力制御フレームにおいて通信され得る。ひとたびワイヤレス局１１０−ａ−３がＳＴＡ  ＴＸ電力を受信すると、ワイヤレス局１１０−ａ−３は、受信されたＳＴＡ  ＴＸ電力を採用し（ブロック２５０において）、次いで、設定されたＳＴＡ  ＴＸ電力でそのＵＬ送信２５５を送信する。
【００５７】
[0074]閉ループオプションでは、ＡＰ１０５−ａ−３は、完全に制御されており、ワイヤレス局１１０−ａ−３に起因する補正および不正確さが可能である。しかしながら、十分な精度は、ＡＰ１０５−ａ−３が各ワイヤレス局１１０−ａ−３からの現在の経路損失測定値で絶えず更新されることを必要とし得る。
【００５８】
[0075]図２Ｄは、ＵＬ電力制御を提供するための第４のオプションを示す通信図２００−ｄを示す。通信図２００−ｄは、ＡＰ１０５−ａ−４とワイヤレス局１１０−ａ−４との間の通信を含む。ＡＰ１０５−ａ−４は、図１に関して上記で説明したＡＰ１０５の一例であり得る。ワイヤレス局１１０−ａ−４は、図１に関して同様に上述したワイヤレス局１１０の一例であり得る。通信図２００−ｄは、図２Ｂの開ループオプションと、図２Ｃの閉ループＵＬ電力制御オプションとの間のハイブリッドを表す。このハイブリッドオプションにおいて、ＡＰ１０５−ａ−４は、各ワイヤレス局１１０、たとえば、ワイヤレス局１１０−ａ−４からのＵＬ経路損失を推定する。一例では、ワイヤレス局１１０−ａ−４は、何らかの既知のＳＴＡ  ＴＸ電力でパケット２６０をＡＰ１０５−ａ−４に送信する。たとえば、パケット２６０は、ＡＰ１０５−ａ−４に知られている宣言された最大電力で送られ得る。ＡＰ１０５−ａ−４がパケット２６０を受信すると、ＡＰ１０５−ａ−４は、目標ＡＰ  ＲＸ電力を決定することができる（ブロック２６５において）。ＡＰ１０５−ａ−４によって決定された目標ＡＰ  ＲＸ電力は、ワイヤレス局１１０のグループに基づいて選択され得、すべてのワイヤレス局１１０について同じである必要はない。したがって、目標ＡＰ  ＲＸ電力は、グループ内のすべてのワイヤレス局１１０について達成可能であるように選択されてもよい。
【００５９】
[0076]既知のＳＴＡ  ＴＸ電力で送信されたパケット２６０を使用して、ＡＰ１０５−ａ−４は、電力制御（ＰＣ）パラメータを決定することもできる（ブロック２６５において）。ＰＣパラメータは、目標ＡＰ  ＲＸ電力に対応するＳＴＡ  ＴＸ電力を含む、または示し得る。代替的に、ＰＣパラメータは、そのＳＴＡ  ＴＸ電力を設定するときにワイヤレス局１１０−ａ−４によって使用され得る経路損失または他の情報を含む、または示し得る。ＡＰ１０５−ａ−４は、ワイヤレス局１１０のグループの関数としてＰＣパラメータを調整し得、ワイヤレス局ごとにＵＬ／ＤＬ経路損失の不均衡を補償するために、ＰＣパラメータを使用することもできる。ＰＣパラメータについて、以下でより詳細に説明する。
【００６０】
[0077]ＡＰ１０５−ａ−４は、フレームまたはフレームの一部が適用可能なワイヤレス局のグループを示すワイヤレス局１１０−ａ−４にフレーム２７０を送信する。フレーム２７０は、決定されたＰＣパラメータも含み得る。フレーム２７０が適用されるワイヤレス局１１０（たとえば、ワイヤレス局１１０−ａ−４）について、ワイヤレス局１１０−ａ−４は、次いで、そのＳＴＡ  ＴＸ電力を決定することが可能となる。ワイヤレス局１１０−ａ−４は、ＡＰ１０５−ａ−４によって送られたＰＣパラメータに、およびＡＰ１０５−ａ−４から受信されたＤＬフレームの信号強度（たとえば、受信信号強度インジケータ（ＲＳＳＩ））にも基づいて、そのＳＴＡ  ＴＸ電力を決定し得る（ブロック２７５）。ワイヤレス局１１０−ａ−４は、ＤＬ信号強度の変化を監視し得、ＵＬ送信２８０のためのＳＴＡ  ＴＸ電力を設定するために、これらをＰＣパラメータに関連して使用し得る。
【００６１】
[0078]したがって、ハイブリッドオプションは、図２Ｂおよび図２Ｃに関連して説明し、図３Ｂに示されているような、開ループと閉ループの両方のＵＬ電力制御オプションによって実現される利点を含む。図３Ｂは、ハイブリッドＵＬ電力制御オプションの使用のための電力制御結果図３００−ｂを示す。図３Ｂは、ワイヤレス局１１０−ｃ−１、１１０−ｃ−２、１１０−ｃ−３、１１０−ｃ−４、１１０−ｃ−５を示す。ワイヤレス局１１０−ｃ−１、１１０−ｃ−２、１１０−ｃ−３、１１０−ｃ−４、１１０−ｃ−５は、ＡＰ１０５（図示せず）と通信している。ＡＰ１０５にある、または信号劣化のないワイヤレス局１１０は、図示されたスケールの左端のポイント３０５に配置される。スケール上で右に延びるワイヤレス局１１０は、ＡＰ１０５からますます遠ざかるか、またはますます劣化したＵＬ送信（一般にｄＢで測定される）を有する。したがって、ワイヤレス局１１０−ｃ−１からのＵＬ送信は、ＡＰ１０５から遠くに位置するワイヤレス局１１０−ｃ−５よりも高いデシベル（減衰が少ない）を有することになる。電力制御結果図３００−ｂにおいて、ＡＰ１０５は、ワイヤレス局１１０の各々によって適切で達成可能な目標ＡＰ  ＲＸ電力を確立するために、ハイブリッドオプションを使用している。たとえば、ＡＰ１０５は、ワイヤレス局１１０−ｃ−１、１１０−ｃ−２によって達成可能な目標ＡＰ  ＲＸ電力３１０−ｂ−１を確立している。目標ＡＰ  ＲＸ電力３１０−ｂ−１を達成するために、ワイヤレス局１１０−ｃ−１は、バックオフを必要とせず、ワイヤレス局１１０−ｃ−２は、その能力内にあるバックオフ量３１５−ｂ−１を必要とする。ワイヤレス局１１０−ｃ−３、１１０−ｃ−４、１１０−ｃ−５は別々にグループ化されており、したがって異なる目標ＡＰ  ＲＸ電力３１０−ｂ−２を受信している。これらのワイヤレス局では、ワイヤレス局１１０−ｃ−３は、バックオフを必要とせず、ワイヤレス局１１０−ｃ−４、１１０−ｃ−５は各々、バックオフ量３１５−ｂ−２、３１５−ｂ−３をそれぞれ必要とする。ＡＰ１０５は、ワイヤレス局をグループ化し、それに応じて目標ＡＰ  ＲＸ電力を割り当てることができるので、ワイヤレス局１１０は、目標ＡＰ  ＲＸ電力を依然として達成しない最大バックオフ量を受けない。このようにして、ハイブリッドオプションは、閉ループオプションの利点の多くを含む。
【００６２】
[0079]さらに、ハイブリッドオプションは、ワイヤレス局１１０が、測定されたＤＬ信号強度に基づいて、それら自体のＳＴＡ  ＴＸ電力を決定することを可能にする。したがって、ワイヤレス局１１０がその位置を変える（モバイルデバイスとして）またはチャネルがフェードする場合、ワイヤレス局１１０は、ＤＬ信号強度の任意の対応する変化を検出し、それに応じてそのＳＴＡ  ＴＸ電力を調整することができる。
【００６３】
[0080]したがって、ＷＬＡＮネットワーク１００における所望の精度および電力制御のニーズに応じて、異なるＵＬ電力制御オプションの各々が使用され得る。高精度の電力制御が必要な場合、ハイブリッド手法が最も有益な可能性がある。
【００６４】
[0081]ハイブリッド手法は、ＡＰ１０５からワイヤレス局１１０に送信され得る電力制御パラメータの生成および使用を含む。電力制御パラメータは、異なるように定義されてもよく、情報の異なる変化を含み得る。
【００６５】
[0082]したがって、たとえば、１つのオプションでは、電力制御パラメータは、ワイヤレス局１１０によって採用されるべきＳＴＡ  ＴＸ電力の絶対値を含み得る。このシナリオでは、ＡＰ１０５は、特定のワイヤレス局１１０からの送信のための目標ＡＰ  ＲＸ電力を決定し得る。決定された目標ＡＰ  ＲＸ電力は、ワイヤレス局１１０のグループの関数であり得る。ＡＰ１０５は、（たとえば、既知のＳＴＡ  ＴＸ電力でワイヤレス局１１０から通信を受信することによって）そのワイヤレス局またはワイヤレス局１１０からのＵＬ経路損失も決定し得る。ＡＰ１０５がワイヤレス局１１０のＵＬ経路損失を知っている限り、ＡＰ１０５は、目標ＡＰ  ＲＸ電力をもたらすＳＴＡ  ＴＸ電力を決定することが可能となる。ＳＴＡ  ＴＸ電力は、一般に、目標ＡＰ  ＲＸ電力＋ＵＬ経路損失に等しい。したがって、電力制御パラメータは、閉ループオプションにおいてとまったく同様に、ＳＴＡ  ＴＸ電力を含み得る。
【００６６】
[0083]別のオプションでは、電力制御パラメータは、ＳＴＡ  ＴＸ電力を計算するために測定されたＤＬ信号強度と併せて使用され得る。これを行うために、ＳＴＡ  ＴＸ電力をＤＬ信号強度と電力制御パラメータの両方に関連付ける関数が定義され得る。したがって、ＳＴＡ  ＴＸ電力は、Ｆ（ＤＬ信号強度，ＰＣパラメータ）に等しくなり得る。この関数は、加算および減算のように単純であり得、ＡＰ１０５およびワイヤレス局１１０に既知であるように規格において定義され得る。このオプションでは、ＡＰ１０５は、関数Ｆに基づいてＰＣパラメータを決定する。また、ＡＰ１０５は、目標ＡＰ  ＲＸ電力を決定し、ＵＬ経路損失を決定する。したがって、ＡＰ１０５は、（ＳＴＡ  ＴＸ電力が関数Ｆに等しいので）Ｆ（ＤＬ信号強度，ＰＣパラメータ）−ＵＬ経路損失が目標ＡＰ  ＲＸ電力に等しくなるようにＰＣパラメータを設定することが可能となる。関数Ｆが単純な加算または減算関数である場合、ＰＣパラメータは次のように設定され得る。ＰＣパラメータ＝目標ＡＰ  ＲＸ電力−ＡＰ  ＴＸ電力＋ＤＬ経路損失−ＵＬ経路損失。いくつかの状況では、ＡＰ１０５は、ＵＬおよびＤＬの経路損失が等しいと仮定し得る。代替的に、ＡＰ１０５は、両方の経路損失を測定し得る。
【００６７】
[0084]いずれの場合も、ＡＰ１０５は、ＰＣパラメータを決定し、それをワイヤレス局１１０に送信する。ワイヤレス局１１０は、次いで最良のＳＴＡ  ＴＸ電力を決定するために、関数Ｆおよびそれら自体の測定されたＤＬ信号強度を使用する。
【００６８】
[0085]電力制御パラメータの第３のオプションは、ワイヤレス局１１０によって使用される以前のＳＴＡ  ＴＸ電力に対するオフセット値を電力制御パラメータに含めることである。このシナリオでは、ワイヤレス局１１０は、デフォルト電力レベルで第１の送信を送る。デフォルト電力レベルは、最大電力、ＡＰ１０５によって指定された電力、規格によって指定された電力、または関数Ｆを使用して計算された電力であってもよく、電力制御パラメータは、固定値、または規格によって固定された値であってもよく、あるいは、ＡＰ１０５からワイヤレス局１１０に通信されてもよい。ひとたびＡＰ１０５が既知の電力レベルで第１の送信を受信すると、ＡＰは、ＡＰ  ＲＸ電力を測定し、これを目標ＡＰ  ＲＸ電力と比較し得る。実際のＡＰ  ＲＸ電力と目標ＡＰ  ＲＸ電力との間に差が存在する場合、ＡＰ１０５は、ＳＴＡ  ＴＸ電力を一定量だけ増加させるか減少させるかをワイヤレス局に（ＰＣパラメータの形で）示し得る。
【００６９】
[0086]（ハイブリッドＵＬ電力制御オプションにおける）ＰＣパラメータに含まれるものについての異なるオプションに加えて、ＡＰ１０５からワイヤレス局１１０へのＰＣパラメータの送信は、様々なオプションを使用することもできる。
【００７０】
[0087]図４Ａは、トリガフレームを使用してＵＬ電力制御を提供するための通信図４００−ａを示す。通信図４００−ａは、ＡＰ１０５−ｂと、１つまたは複数のワイヤレス局１１０−ｄとを示す。ＡＰ１０５−ｂおよびワイヤレス局１１０−ｄは、図１および図２ＤのＡＰ１０５およびワイヤレス局１１０の例であり得る。通信図４００−ａは、ＡＰ１０５−ｂおよびワイヤレス局１１０−ｄが最初にプローブ通信４０５に参加することを示す。プローブ通信４０５は、ＡＰ１０５−ｂがワイヤレス局１１０−ｄのための経路損失を推定することを可能にするためのプロービング段階を含み得る。経路損失推定は、定期的に実行されてもよく、上記で説明したように、ワイヤレス局ごとに実行されてもよい。プローブ通信４０５は、ＵＬ／ＤＬ経路損失の不均衡を推定するためのプロービング段階も含み得る。この推定も、定期的に実行されてもよく、ワイヤレス局ごとに実行されてもよい。プローブ通信４０５の間に収集された情報を使用して、ＡＰ１０５−ｂは、各ワイヤレス局１１０−ｄのＡＰ  ＲＸ電力に従ってワイヤレス局１１０−ｄをグループ化することができる。また、ＡＰ１０５−ｂは、以下でより詳細に説明するように、経路損失量を決定し、ＵＬ／ＤＬ経路損失の不均衡を補正し得る。この決定された情報の少なくとも一部を使用して、ＡＰ１０５−ｂは、ワイヤレス局１１０−ｄの各々についてＰＣパラメータを生成することが可能となる。
【００７１】
[0088]ＰＣパラメータは、トリガフレーム４１０を介してＡＰ１０５−ｂからワイヤレス局１１０−ｄに伝達され得る。トリガフレーム４１０は、ＣＴＸフレームと呼ばれることもある。トリガフレーム４１０については、以下でより詳細に説明される。ワイヤレス局１１０−ｄは、トリガフレーム４１０をそのＰＣパラメータとともに受信し、また、（ＤＬ信号強度を決定する際に）ＣＴＸ  ＲＸ電力を推定し得る。この情報を使用して、ワイヤレス局１１０−ｄは、ＣＴＸ  ＲＸ電力およびＰＣパラメータ（経路損失および経路損失の不均衡を考慮し得る）に基づいてそのＳＴＡ  ＴＸ電力を設定することが可能となる。ワイヤレス局１１０−ｄは、ＳＴＡ  ＴＸ電力を使用して、そのＵＬ  ＭＵデータ４１５をＡＰ１０５−ｂに送信する。
【００７２】
[0089]図４Ｂは、通信図４００−ａに示される通信のタイムライン４００−ｂを示す。図４Ｂは、ＡＰ１０５−ｂとワイヤレス局１１０−ｄとの間のプローブ通信４２０が最初に行われることを示す。これらは、ＡＰ１０５−ｂが、ＣＴＸフレーム４２５を介してワイヤレス局１１０−ｄに送信されるＰＣパラメータを生成することを可能にする。ＣＴＸフレーム４２５は、トリガフレームであり、ワイヤレス局１１０−ｄに、物理レイヤコンバージェンスプロシージャ（ＰＬＣＰ）プロトコルデータユニット（ＰＰＤＵ）４３０の形でそのＵＬ送信を送るよう指示する。ＡＰ１０５−ｂによってＰＰＤＵ４３０が受信されると、ＡＰ１０５−ｂは、マルチブロック肯定応答（ＭＢＡ）４３５を介して肯定応答を送信し得る。
【００７３】
[0090]図５Ａは、上記で論じたＰＣパラメータを伝達するために使用され得る例示的なＣＴＸフレーム５００−ａの構造のブロック図である。ＣＴＸフレーム５００−ａは、ワイヤレス局１１０のグループごとにＵＬ電力制御に使用され得る。ワイヤレス局ごとの制御は、図５Ｂに示されるＣＴＸフレームを使用して実行され得る（後述）。ＣＴＸフレーム５００−ａは、フレーム制御（ＦＣ）フィールド５０５と、持続時間フィールド５１０と、送信機アドレス（ＴＡ）フィールド５１５と、制御（ＣＴＲＬ）フィールド５２０と、ＰＰＤＵ持続時間フィールド５２５と、第１のＳＴＡ情報（ｉｎｆｏ）フィールド５３０と、追加のＳＴＡ  Ｉｎｆｏフィールド５３５、５４０と、フレームチェックシーケンス（ＦＣＳ）フィールド５４５とを含む制御フレームである。ＦＣフィールド５０５は、制御サブタイプまたは拡張サブタイプを示す。持続時間フィールド５１０は、ネットワーク割振りベクトル（ＮＡＶ）を設定するようにＣＴＸフレーム５００−ａの任意の受信機に示す。ＴＡフィールド５１５は、送信機アドレスを示す。ＣＴＲＬフィールド５２０は、フレームの残りの部分のフォーマットに関する情報（たとえば、ＳＴＡ  Ｉｎｆｏフィールドの数およびＳＴＡ  Ｉｎｆｏフィールド内の任意のサブフィールドの有無）を含み得る汎用フィールドである。ＣＴＲＬフィールド５２０はまた、ＣＴＸフレーム５００−ａがＵＬ  ＭＵ  ＭＩＭＯのために使用されているのか、ＵＬ  ＯＦＤＭＡのために使用されているのか、その両方のために使用されているのかを示し、Ｎｓｓまたはトーン割振りフィールドがＳＴＡ  Ｉｎｆｏフィールド５３０、５３５、５４０中に存在するかどうかを示し得る。ＣＴＲＬフィールド５２０は、ＳＴＡ  Ｉｎｆｏフィールド５３０、５３５、５４０によって示されるワイヤレス局のグループのＰＣパラメータも含み得る。ＣＴＲＬフィールド５２０は、必要に応じて、ＡＰ  ＴＸ電力も含み得る。
【００７４】
[0091]ＰＰＤＵ持続時間フィールド５２５は、ワイヤレス局１１０が送ることを許容される後続のＵＬ−ＭＵ−ＭＩＭＯ  ＰＰＤＵの持続時間を示す。ＳＴＡ  Ｉｎｆｏフィールド５３０、５３５、５４０は、特定のＳＴＡに関する情報を含む。ＦＣＳフィールド５４５は、ＣＴＸフレーム５００−ａの誤り検出のために使用されるＦＣＳ値を示す。
【００７５】
[0092]図５Ｂは、上記で論じたＰＣパラメータを伝達するために使用され得る例示的なＣＴＸフレーム５００−ｂの構造のブロック図である。ＣＴＸフレーム５００−ｂは、ワイヤレス局ごとにＵＬ電力制御に使用され得る。ＣＴＸフレーム５００−ｂは、図５Ａに関して上述したものと同様の制御フレームであるが、ＣＴＸフレーム５００−ｂは、ＳＴＡ  Ｉｎｆｏフィールド５３０、５３５、５４０に追加の情報またはサブフィールドを含む。さらに、ＣＴＲＬフィールド５２０でＰＣパラメータを運ぶ代わりに、ＳＴＡ  Ｉｎｆｏフィールド５３０、５３５、５４０の各々でＰＣパラメータが運ばれる。
【００７６】
[0093]ＳＴＡ  Ｉｎｆｏフィールド５３０、５３５、５４０は、特定のＳＴＡに関する情報を含み、ＳＴＡごと（ワイヤレス局１１０ごと）の情報セットを含み得る。ＳＴＡ  Ｉｎｆｏフィールド５３０、５３５、５４０は各々、ＳＴＡを識別するＡＩＤまたはＭＡＣアドレスフィールド５５０と、ＳＴＡが（ＵＬ  ＭＵ  ＭＩＭＯシステムにおいて）使用し得る空間ストリームの数を示す空間ストリーム数（Ｎｓｓ）フィールド５５５と、ＳＴＡがトリガフレーム（この場合はＣＴＸフレーム５００−ｂ）の受信と比較してそれの送信を調整すべきである時間を示す時間調整フィールド５６０と、ＳＴＡが宣言された送信電力から取るべきである電力バックオフを示す電力調整フィールド５６５と、トラフィック識別子（ＴＩＤ）を示す許容ＴＩＤ５７０フィールドと、ＳＴＡが使用すべきであるＭＣＳを示すＭＣＳフィールド５７５とを含み得る。ＰＣパラメータは、電力調整フィールド５６５、またはＳＴＡ  Ｉｎｆｏフィールド５３０、５３５、５４０の他の適切なサブフィールドに含まれ得る。
【００７７】
[0094]ＰＣパラメータおよび他の情報をワイヤレス局１１０に提供するためにＣＴＸフレームのようなトリガフレームを使用する代わりに、低即時（less immediate）制御オプションが使用され得る。ＵＬ送信が予想される時点でＡＰ１０５からワイヤレス局１１０にトリガフレームが提供されるので、適切なＳＴＡ  ＴＸ電力を決定するのに十分な時間があるかどうかという、電力制御に関するタイミングの問題があり得る。または、代替的に、高速のまたは応答性の高い電力制御の必要性がない可能性がある。これらの場合、ＰＣパラメータは、先験的に(a priori)、トリガフレームとは別個の制御フレームにおいて、ＡＰ１０５からワイヤレス局１１０ａに送られ得る。この別個の電力制御フレームは、たとえば、特別なトリガフレームまたは管理フレームの形をとり得る。電力制御フレームは、グループごとに、または特定のＵＬ  ＭＵ送信のために提供され得る。
【００７８】
[0095]図６Ａは、電力制御フレームを使用してＵＬ電力制御を提供するための通信図６００−ａを示す。通信図６００−ａは、ＡＰ１０５−ｃと、１つまたは複数のワイヤレス局１１０−ｅとを示す。ＡＰ１０５−ｃおよびワイヤレス局１１０−ｅは、図１および図２ＤのＡＰ１０５およびワイヤレス局１１０の例であり得る。通信図６００−ａは、ＡＰ１０５−ｃおよびワイヤレス局１１０−ｅが最初にプローブ通信６０５に参加することを示す。プローブ通信６０５は、ＡＰ１０５−ｃがワイヤレス局１１０−ｅのための経路損失を推定することを可能にするためのプロービング段階を含み得る。経路損失推定は、定期的に実行されてもよく、上記で説明したように、ワイヤレス局ごとに実行されてもよい。プローブ通信６０５は、ＵＬ／ＤＬ経路損失の不均衡を推定するためのプロービング段階も含み得る。この推定は、定期的に実行されてもよく、ワイヤレス局ごとに実行されてもよい。プローブ通信６０５の間に収集された情報を使用して、ＡＰ１０５−ｃは、各ワイヤレス局１１０−ｅのＡＰ  ＲＸ電力に従ってワイヤレス局１１０−ｅをグループ化することができる。また、ＡＰ１０５−ｃは、以下でより詳細に説明するように、経路損失量を決定し、ＵＬ／ＤＬ経路損失の不均衡を補正し得る。この決定された情報の少なくとも一部を使用して、ＡＰ１０５−ｃは、ワイヤレス局１１０−ｅの各々についてＰＣパラメータを生成することが可能となる。
【００７９】
[0096]ＰＣパラメータは、電力制御フレーム６１０を介してＡＰ１０５−ｃからワイヤレス局１１０−ｅに伝達され得る。ワイヤレス局１１０−ｅは、電力制御フレーム６１０をそのＰＣパラメータとともに受信し、今後のＵＬ送信のためのそのＳＴＡ  ＴＸ電力を決定するために、それを（測定されたＤＬ信号強度との組合せで）使用し得る。電力制御フレーム６１０の送信後のある時間に、ＡＰ１０５−ｃはまた、決定されたＳＴＡ  ＴＸ電力を使用してＵＬ送信を送信するために、ワイヤレス局１１０−ｅをトリガするためのトリガフレーム６１５を送信する。ワイヤレス局１１０−ｅは、ＳＴＡ  ＴＸ電力を使用して、ＵＬ  ＭＵデータ６２０をＡＰ１０５−ｃに送信する。
【００８０】
[0097]図６Ｂは、通信図６００−ａに示される通信のタイムライン６００−ｂを示す。図６Ｂは、ＡＰ１０５−ｃとワイヤレス局１１０−ｅとの間のプローブ通信６２５が最初に行われることを示す。これらは、ＡＰ１０５−ｃが、ＰＣフレーム６３０−ａまたは６３０−ｂを介してワイヤレス局１１０−ｅに送信されるＰＣパラメータを生成することを可能にする。ＰＣフレーム６３０−ａは、単一のワイヤレス局１１０−ｅのために使用され得、１つの肯定応答（ＡＣＫ）６３５−ａのみが予想されることを意味する。ＰＣフレーム６３０−ｂは、複数のワイヤレス局１１０−ｅのために使用され得、複数のＡＣＫ６３５−ｂが予想されることを意味する。ＰＣフレーム６３０の送信後のある時間に、ＣＴＸフレーム６４０がワイヤレス局１１０−ｅに送信される。ＣＴＸフレーム６４０は、トリガフレームであり、ワイヤレス局１１０−ｅに、ＰＰＤＵ６４５の形でＵＬ送信を送信するよう指示する。ＡＰ１０５−ｃによってＰＰＤＵ６４５が受信されると、ＡＰ１０５−ｃは、ＭＢＡ６５０を介して肯定応答を送信し得る。
【００８１】
[0098]図７Ａは、上記で論じたＰＣパラメータを伝達するために使用され得る例示的な電力制御フレーム７００−ａの構造のブロック図である。電力制御フレーム７００−ａは、単一のワイヤレス局のために使用され得、したがって、図６ＢのＰＣフレーム６３０−ａの一例である。電力制御フレーム７００−ａは、ＦＣフィールド７０５と、持続時間フィールド７１０と、ＴＡフィールド７１５と、受信機アドレス（ＲＡ）フィールド７２０と、電力制御情報フィールド７２５とを含み得る。電力制御情報フィールド７２５は、ＰＣパラメータと、ＡＰ１０５−ｃからワイヤレス局１１０−ｅに送信され得る他の関連する電力制御情報とを含み得る。
【００８２】
[0099]図７Ｂは、ＰＣパラメータを複数のワイヤレス局１１０−ｅに伝達するために使用され得る電力制御フレーム７００−ｂの構造の一例を示す。したがって、電力制御フレーム７００−ｂは、図６ＢのＰＣフレーム６３０−ｂの一例である。電力制御フレーム７００−ｂは、電力制御フレーム７００−ａと同様の構造であるが、複数の電力制御情報フィールド７２５−ａ−１、７２５−ａ−２、７２５−ａ−３を含む。
【００８３】
[0100]電力制御フレームの代わりに変更されたＣＴＸフレームを使用することもできる。変更されたＣＴＸフレームは、電力制御フレームと同じように事前に送信され得るが、そのＣＴＲＬフィールドには、ＣＴＸフレームが電力制御のためのみであり、ＡＣＫのみが要求され、ＵＬデータ送信は不要であるという表示を含み得る。同様に、管理フレーム内の情報要素も、図７Ａ、図７Ｂに示される電力制御フレームの代わりに、ＰＣパラメータおよび他の電力制御情報を、ＡＰ１０５−ｃからワイヤレス局１１０−ｅに伝達するために使用され得る。
【００８４】
[0101]追加の通信構造は、開ループ、閉ループ、またはハイブリッドＵＬ電力制御オプションの他の態様においても使用され得る。たとえば、閉ループおよびハイブリッドのオプションでは、ＡＰ１０５は、ＵＬ経路損失を決定する必要があり得る。これは、図２Ｃ、図２Ｄに関して上記で説明したように、ワイヤレス局１１０からＡＰ１０５へのパケットの送信によって行われ得る。パケットは既知の電力で送信され、したがって、ＡＰ１０５がＵＬ経路損失を決定することを可能にする。一例では、既知の電力がパケットにおいて示されてもよい。したがって、たとえば、パケットペイロードは、パケットのためのＳＴＡ  ＴＸ電力を運ぶことができる。この例では、パケットは、他のフレームと統合され得る、多重化プロトコルデータユニット（ＭＰＤＵ）タイプとすることができる。代替的に、パケットは、そのパケットのためのＳＴＡ  ＴＸ電力を含み得る情報要素を含む管理フレームを含むことができる。代替的に、新しいフィールドがメディアアクセス制御（ＭＡＣ）ヘッダまたはラッパーフレーム、すなわち、ＭＡＣヘッダをラップするフレームに含まれ得、ここでは、新しいフィールドは、パケットのためのＳＴＡ  ＴＸ電力を含み得る。１つのオプションは、ＭＡＣヘッダにおける既存のフィールドを再利用する(repurpose)ことである。たとえば、ＭＡＣヘッダは、高スループット制御（ＨＴＣ）フィールドを含み得る。ＨＴＣフィールドは、ＡＰ１０５に伝達される電力情報を運ぶために再利用され得る。図８は、変更されたＨＴＣフィールド８００の一例を示す。変更されたＨＴＣフィールド８００は、ＨＴ制御中間フィールド８１０と、アクセス制御（ＡＣ）制約フィールド８１５と、逆方向許可（ＲＤＧ）／Ｍｏｒｅ  ＰＰＤＵフィールド８２０とを含み得る。ＨＴ制御中間フィールド８１０は、ＡＣ制約フィールド８１５、またはＲＤＧ／Ｍｏｒｅ  ＰＰＤＵフィールド８２０など、後のフィールドの意味を再定義するための１つまたは複数の予約ビットを含み得る。これらの後のフィールドは、次いで、電力情報を運ぶことができる。ＨＴ制御中間フィールド８１０が異なる目的のために使用されていることをシグナリングするために、使用の変形を示すために、バリアント高スループット（ＶＨＴ）フィールド８０５のようなヘッダが使用され得る。
【００８５】
[0102]また別のオプションでは、ワイヤレス局１１０は、高効率（ＨＥ）シグナリングフィールド（たとえばＨＥ  ＳＩＧ１、ＨＥ  ＳＩＧ２、またはＨＥ  ＳＩＧ３）など、物理（ＰＨＹ）レイヤヘッダで既知の送信電力を伝達することができる。また別のオプションでは、ＡＰ１０５に送信されるパケットに送信電力（経路損失決定のための）を含める代わりに、送信電力があらかじめ決定され得る。この場合、ワイヤレス局１１０からＡＰ１０５に送られるパケットは、それが所定の電力で送られたという表示を運ぶだけでよい。
【００８６】
[0103]ＡＰ１０５がＵＬ経路損失を決定することを可能にするために、ワイヤレス局１１０からＡＰ１０５に送られるパケットは、ＡＰ１０５によって要求されない可能性がある。たとえば、パケットは定期的に送られてもよく、または、推定されたビーコンＲＳＳＩが、パケットが最後に送られた時間に関するしきい値量を超えて変化したときに送られてもよい。更新された送信をトリガする変化の量は、ＡＰ１０５によって、または規格で設定されるように、あらかじめ決定されていてもよい。代替的に、パケットは、ＡＰ１０５によって請求され(solicited)てもよい。ＡＰ１０５は、ワイヤレス局１１０が応答することを要求するフレームを送ることができる。ＡＰによって送られるフレームは、ネットフレームタイプ、電力制御要求を有する管理フレームタイプ、または電力制御要求を搬送するラッパーフレームを有する、または有さないＭＡＣヘッダとすることができ得る。変更されたＨＴＣフィールドは、上記で説明したように使用され得る。
【００８７】
[0104]上述したハイブリッドＵＬ電力制御オプションの１つの追加の利点は、ＡＰ１０５またはワイヤレス局１１０のいずれかが任意のＵＬ／ＤＬ経路損失の不均衡を決定し、補償する能力である。これらの測定は、以下で説明するように、ＳＵ  ＰＰＤＵを使用することによってワイヤレス局ごとにＡＰ１０５によって実行され得る。いくつかの場合において、ＵＬ  ＭＵ送信のために送られた同じフレームが適切な測定値を決定する際に再利用されてもよい。さらに、補正は、ＡＰ１０５によって推定され、シグナリングされ、さらにワイヤレス局１１０によって推定され得る。図９Ａ〜図９Ｄは、これらのオプションを示す。
【００８８】
[0105]図９Ａは、ＡＰ１０５によるワイヤレス局ごとの補正を表す通信図９００−ａを示す。したがって、通信図９００−ａは、ＡＰ１０５−ｄ−１とワイヤレス局１１０−ｆ−１とを含む。ＡＰ１０５−ｄ−１およびワイヤレス局１１０−ｆ−１は、図１、図２Ｄ、図４Ａ、および図６ＡのＡＰ１０５およびワイヤレス局１１０の例であり得る。通信図９００−ａにおいて、ＡＰ１０５−ｄ−１は、オフセット表示も含むＤＬフレーム９０５をワイヤレス局１１０−ｆ−１に送る。オフセット表示は、経路損失補償値のＡＰ１０５−ｄ−１による何らかの推定であり得る。一例では、オフセット表示は、上記で論じたＰＣパラメータであり得る。ワイヤレス局１１０−ｆ−１は、受信されたオフセット表示を使用し、また、それ自体のＳＴＡ  ＴＸ電力を決定するためにＤＬフレームのＲＳＳＩを測定する。次いで、ワイヤレス局１１０−ｆ−１は、ＳＵフレーム９１０をＡＰ１０５−ｄ−１に送信するために、決定されたＳＴＡ  ＴＸ電力を使用する。このプロセスは、たとえば、図４Ａおよび図６Ａに示されるプローブ通信の間に、各ワイヤレス局１１０−ｆ−１に対して定期的に実行され得る。
【００８９】
[0106]ＳＵフレーム９１０が予想されるＡＰ  ＲＸ電力でＡＰ１０５−ｄ−１で受信された場合、ＡＰ１０５−ｄ−１は、そのオフセット表示が経路損失または経路損失の不均衡を補償するのに適切であることが再確認され得る。しかしながら、ＳＵフレーム９１０が予想外のＡＰ  ＲＸ電力で受信された場合、ＡＰ１０５−ｄ−１は、ＳＵフレーム９１０のための予想されるＡＰ  ＲＸ電力と実際のＡＰ  ＲＸ電力との間の差を補償するために、そのオフセット表示を調整することができる。
【００９０】
[0107]図９Ｂは、ＡＰ１０５によるワイヤレス局ごとの補正も表す通信図９００−ｂを示す。通信図９００−ｂは、ＡＰ１０５−ｄ−２とワイヤレス局１１０−ｆ−２とを含む。ＡＰ１０５−ｄ−２およびワイヤレス局１１０−ｆ−２は、図１、図２Ｄ、図４Ａ、および図６ＡのＡＰ１０５およびワイヤレス局１１０の例であり得る。通信図９００−ｂにおいて、ＡＰ１０５−ｄ−２は、必要なＳＴＡ  ＴＸ電力も含むＤＬフレーム９１５をワイヤレス局１１０−ｆ−２に送る。ワイヤレス局１１０−ｆ−２は、受信されたＤＬフレーム９１５のためのＳＴＡ  ＲＸ電力を含むＳＵフレーム９２０を送信するために、受信されたＳＴＡ  ＴＸ電力を使用する。したがって、ＡＰ１０５−ｄ−２は、ＤＬフレーム９１５のためのＡＰ  ＴＸ電力、ＤＬフレーム９１５のためのＳＴＡ  ＲＸ電力、ＳＵフレーム９２０のためのＳＴＡ  ＴＸ電力、およびＳＵフレーム９２０のためのＡＰ  ＲＸ電力を知っている。このようにして、ＡＰ１０５−ｄ−２は、ＤＬとＵＬの両方の経路損失、したがって任意のＵＬ／ＤＬ経路損失の不均衡を決定することが可能となる。
【００９１】
[0108]図９Ｃは、ワイヤレス局１１０によるワイヤレス局ごとの補正も表す通信図９００−ｃを示す。通信図９００−ｃは、ＡＰ１０５−ｄ−３とワイヤレス局１１０−ｆ−３とを含む。ＡＰ１０５−ｄ−３およびワイヤレス局１１０−ｆ−３は、図１、図２Ｄ、図４Ａ、および図６ＡのＡＰ１０５およびワイヤレス局１１０の例であり得る。通信図９００−Ｃにおいて、ワイヤレス局１１０−ｄ−３は、ＡＰ１０５−ｄ−３にＳＵフレーム９２５を送る。ＳＵフレーム９２５は、ワイヤレス局１１０−ｆ−３によって決定されたオフセット表示も含む。オフセット表示は、経路損失補償値のワイヤレス局１１０−ｆ−３による何らかの推定であってもよい。一例では、オフセット表示は、上記で論じたＰＣパラメータであり得る。ＡＰ１０５−ｄ−３は、受信されたオフセット表示を使用し、また、それ自体のＡＰ  ＴＸ電力を決定するためにＳＵフレーム９２５のＲＳＳＩを測定する。次いで、ＡＰ１０５−ｄ−３は、ＤＬフレーム９３０をワイヤレス局１１０−ｆ−３に送信するために、決定されたＡＰ  ＴＸ電力を使用する。このプロセスは、たとえば、図４Ａおよび図６Ａに示されるプローブ通信の間に、各ワイヤレス局１１０−ｆ−３に対して定期的に実行され得る。
【００９２】
[0109]ＤＬフレーム９３０が予想されるＳＴＡ  ＲＸ電力でワイヤレス局１１０−ｆ−３で受信された場合、ワイヤレス局１１０−ｆ−３は、そのオフセット表示が経路損失または経路損失の不均衡を補償するのに適切であることが再確認され得る。しかしながら、ＤＬフレーム９３０が予想外のＳＴＡ  ＲＸ電力で受信された場合、ワイヤレス局１１０−ｆ−３は、ＤＬフレーム９３０のための予想されるＳＴＡ  ＲＸ電力と実際のＳＴＡ  ＲＸ電力との間の差を補償するために、そのオフセット表示を調整することができる。
【００９３】
[0110]図９Ｄは、ワイヤレス局１１０によるワイヤレス局ごとの補正も表す通信図９００−ｄを示す。通信図９００−ｄは、ＡＰ１０５−ｄ−４とワイヤレス局１１０−ｆ−４とを含む。ＡＰ１０５−ｄ−４およびワイヤレス局１１０−ｆ−４は、図１、図２Ｄ、図４Ａ、および図６ＡのＡＰ１０５およびワイヤレス局１１０の例であり得る。通信図９００−ｄにおいて、ワイヤレス局１１０−ｆ−４は、必要なＡＰ  ＴＸ電力も含むＵＬフレーム９３５をＡＰ１０５−ｄ−４に送る。ＡＰ１０５−ｄ−４は、受信されたＵＬフレーム９３５のためのＡＰ  ＲＸ電力を含むＤＬフレーム９４０を送信するために、受信されたＡＰ  ＴＸ電力を使用する。したがって、ワイヤレス局１１０−ｆ−４は、ＵＬフレーム９３５のためのＳＴＡ  ＴＸ電力、ＵＬフレーム９３５のためのＡＰ  ＲＸ電力、ＤＬフレーム９４０のためのＡＰ  ＴＸ電力、およびＤＬフレーム９４０のためのＳＴＡ  ＲＸ電力を知っている。このようにして、ワイヤレス局１１０−ｆ−４は、ＤＬとＵＬの両方の経路損失、したがって任意のＵＬ／ＤＬ経路損失の不均衡を決定することが可能となる。
【００９４】
[0111]図９Ａ〜図９Ｄに示される信号交換は、即時応答を有する交換と非即時応答を有する交換とを含む異なるフレーム交換を使用して実施され得る。
【００９５】
[0112]即時応答を請求する制御フレームを使用することによって、即時応答交換が容易にされ得る。たとえば、電力制御情報は、図８に関して上記で説明したように、ＨＴＣフィールド（ＤＬフレームとＵＬフレームの両方に関して）に、予約ビットまたはビットの組合せを再利用することによってＨＴＣフィールドの内容を再定義することによって、含まれ得る。この方法は、たとえば、送信要求（ＲＴＳ）メッセージ、送信可（ＣＴＳ）メッセージ、節電（ＰＳ）ポールメッセージ、ＡＣＫメッセージ、およびブロック肯定応答要求／ブロック肯定応答（ＢＡＲ／ＢＡ）信号にも適用できる。ＨＴＣフィールドを使用する代替として、他の制御フレームタイプが開発または使用され得る。
【００９６】
[0113]即時応答交換の別の例として、データフレームが使用され得、電力制御情報を、ＨＴＣフィールド、またはＭＡＣヘッダの新しいフィールドに追加することができる。この状況では、即時応答ＡＣＫまたはＢＡは、ＨＴ制御フィールドで電力制御情報を運ぶことができる。含まれ得る電力制御情報は、電力制御交換（たとえば、シーケンス番号）の識別子、ＴＸ電力、電力制御フレームからの受信電力、または（上述したような）電力制御パラメータを含み得る。
【００９７】
[0114]非即時応答オプションでの交換は、電力制御表示を含む管理フレームを使用することを含む。この場合、応答は、電力制御情報を運ぶ管理フレームとすることができる。候補管理フレームは、新しい電力制御情報要素を有する新しい管理タイプのフレームまたはアクションフレームを含み得る。管理フレームは、他のフレーム（たとえば、関連付け要求または応答）とＭＰＤＵタイプで統合され得る。管理フレームはビーコンであってもよく、またはトリガフレームであってもよい。代替的に、データフレームは、ＨＴＣフィールド、またはＭＡＣヘッダの新しいフィールドに追加された電力制御情報とともに使用され得る。この場合、後のＵＬフレームは、ＨＴＣフィールドで電力制御情報を運び得る。
【００９８】
[0115]交換が即時ではない可能性があるので、ＵＬ電力制御情報は、明示的指示によって請求フレームに関連付けられる必要がある場合がある。これはいくつかの異なる方法で行うことができる。１つの方法では、シグナリング自体のタイプは、それが電力制御フレームであることを示し得る。たとえば、ＤＬフレームは、（たとえば、ビーコンなど）ＤＬフレームに使用されるプロトコルによって暗黙的に定義され得る。代替的に、ＵＬ電力制御情報を運ぶフレームは、ＤＬフレームのタイムスタンプ、ＤＬフレームのシーケンス番号、またはＤＬフレームに使用されるフレームのタイプでマークされてもよい。いずれの場合にも、ＤＬフレームおよびＵＬフレームは、個別に肯定応答され得る。
【００９９】
[0116]図９Ａ〜図９Ｄで上述した交換は、図１０Ａおよび図１０Ｂに示されるように、ＵＬ  ＭＵ送信と合同で行われてもよい。図１０Ａは、たとえば、ワイヤレス局がＵＬ  ＭＵ送信を使用することによるＵＬ／ＤＬ経路損失の不均衡の推定を実行する方法を示す。したがって、図１０Ａの方法は、図９Ｃおよび図９Ｄに示される方法に関する。一方、図１０Ｂは、ＡＰがＵＬ  ＭＵ送信を使用することによるＵＬ／ＤＬ経路損失の不均衡の推定を実行する方法を示す。したがって、図１０Ｂの方法は、図９Ａおよび図９Ｂに示された方法に関する。
【０１００】
[0117]図１０Ａは、ＡＰ１０５−ｅ−１とワイヤレス局１１０−ｇ−１との間の通信を示す通信図１０００−ａを含む。ＡＰ１０５−ｅ−１およびワイヤレス局１１０−ｇ−１は、図１、図２Ｄ、図４Ａ、図６Ａ、または図９Ａ〜図９ＤのＡＰ１０５およびワイヤレス局１１０の例であり得る。図１０００−ａにおいて、ワイヤレス局１１０−ｇ−１は、最初に、フレーム１００５（任意のタイプのフレームが使用され得る）をＡＰ１０５−ｅ−１に送信する。フレーム１００５は、既知のＴＸ電力を上述したＡＰ１０５と共有するための方法に従って、任意の既知のＳＴＡ  ＴＸ電力で送信される。ＡＰ１０５−ｅ−１は、同様のＡＰ  ＲＸ電力を有する他のワイヤレス局とワイヤレス局１１０−ｇ−１をグループ化するために、受信されたフレーム１００５のためのＡＰ  ＲＸ電力を使用する。ＡＰ１０５−ｅ−１はまた、所望のＡＰ  ＲＸ電力を有する信号を送信するために、ワイヤレス局１１０−ｇ−１によって使用され得る各ワイヤレス局１１０−ｇ−１についてのオフセットを決定し得る。次いで、ＡＰ１０５−ｅ−１は、ＣＴＸフレーム１０１０でオフセット表示および任意のグループ化情報をワイヤレス局１１０−ｇ−１に送信する。ＣＴＸフレーム１０１０は、ワイヤレス局１１０−ｇ−１に既知であるＡＰ  ＴＸ電力で送信される。
【０１０１】
[0118]ワイヤレス局１１０−ｇ−１は、オフセット表示を有する受信されたＣＴＸフレーム１０１０を使用して、受信されたＣＴＸ電力を推定し、次いで、受信されたＣＴＸ電力およびオフセット表示の関数としてそのＳＴＡ  ＴＸ電力を設定することができる。したがって、ワイヤレス局１１０−ｇ−１は、その計算されたＳＴＡ  ＴＸ電力を使用してそのＵＬ  ＭＵデータ１０１５を送信することができる。次いで、ＡＰ１０５−ｅ−１は、ＵＬ  ＭＵデータ１０１５を受信し、ワイヤレス局１１０−ｇ−１に送信するように第２のＣＴＸフレーム１０２０を準備する。第２のＣＴＸフレーム１０２０は、初期ＣＴＸフレーム１０１０に含まれたものと同じオフセット表示、ならびにＵＬ  ＭＵデータ１０１５のＡＰ  ＲＸ電力を含む。第２のＣＴＸフレーム１０２０はまた、ワイヤレス局１１０−ｇに既知であるＡＰ  ＴＸ電力で送信される。次いで、ワイヤレス局１１０−ｇ−１は、任意のＵＬ／ＤＬ経路損失の不均衡を決定するために、既知のＡＰ  ＴＸおよびＡＰ  ＲＸ電力に加えて、既知のＳＴＡ  ＲＸおよびＳＴＡ  ＴＸ電力を使用する。
【０１０２】
[0119]図１０Ｂは、ＡＰ１０５−ｅ−２とワイヤレス局１１０−ｇ−２との間の通信を示す通信図１０００−ｂを含む。ＡＰ１０５−ｅ−２およびワイヤレス局１１０−ｇ−２は、図１、図２Ｄ、図４Ａ、図６Ａ、または図９Ａ〜図９ＤのＡＰ１０５およびワイヤレス局１１０の例であり得る。図１０００−ｂにおいて、ワイヤレス局１１０−ｇ−２は、最初に、フレーム１０２５（任意のタイプのフレームが使用され得る）をＡＰ１０５−ｅ−２に送信する。フレーム１０２５は、既知のＴＸ電力を上述したＡＰ１０５と共有するための方法に従って、任意の既知のＳＴＡ  ＴＸ電力で送信される。ＡＰ１０５−ｅ−２は、同様のＡＰ  ＲＸ電力を有する他のワイヤレス局とワイヤレス局１１０−ｇ−２をグループ化するために、受信されたフレーム１０２５のためのＡＰ  ＲＸ電力を使用する。ＡＰ１０５−ｅ−２はまた、所望のＡＰ  ＲＸ電力を有する信号を送信するために、ワイヤレス局１１０−ｇ−２によって使用され得る各ワイヤレス局１１０−ｇ−２についてのオフセットを決定し得る。次いで、ＡＰ１０５−ｅ−２は、ＣＴＸフレーム１０３０でオフセット表示および任意のグループ化情報をワイヤレス局１１０−ｇ−２に送信する。ＣＴＸフレーム１０３０は、ワイヤレス局１１０−ｇ−２に既知ではないＡＰ  ＴＸ電力で送信される。
【０１０３】
[0120]ワイヤレス局１１０−ｇ−２は、オフセット表示を有する受信されたＣＴＸフレーム１０１０を使用して、受信されたＣＴＸ電力を推定し、次いで、受信されたＣＴＸ電力およびオフセット表示の関数としてそのＳＴＡ  ＴＸ電力を設定することができる。したがって、ワイヤレス局１１０−ｇ−２は、その計算されたＳＴＡ  ＴＸ電力を使用してそのＵＬ  ＭＵデータ１０３５を送信することができる。次いで、ＡＰ１０５−ｅ−２は、ＵＬ  ＭＵデータ１０３５を受信し、ワイヤレス局１１０−ｇ−２に送信するように第２のＣＴＸフレーム１０４０を準備する。第２のＣＴＸフレーム１０４０は、更新されたオフセット表示を含む。更新されたオフセット表示は、目標ＡＰ  ＲＸ電力を（ＵＬ  ＭＵデータ１０３５の）実際のＡＰ  ＲＸ電力と比較することによって、ＡＰ１０５−ｅ−２によって決定される。第２のＣＴＸフレーム１０４０は、ワイヤレス局１１０−ｇ−２が任意のＵＬ／ＤＬ経路損失の不均衡を正確に考慮できるように、更新されたオフセット表示とともに送信される。
【０１０４】
[0121]図１１は、アップリンク／ダウンリンク経路損失の不均衡を決定するためのいくつかのオプションの概要（通信タイムライン１１００の形で）を示す。通信タイムライン１１００は、ブロック１１０５からブロック１１４５の範囲に及ぶ学習段階を含む。ブロック１１０５において、ＡＰ１０５は、ＤＬ  ＳＵデータをワイヤレス局（ＳＴＡ１）に送信し得る。ブロック１１１０において、ワイヤレス局ＳＴＡ１は、ブロック肯定応答（ＢＡ）をＡＰ１０５に送信する。ＡＰ１０５は、他のワイヤレス局ＳＴＡ２、ＳＴＡ３、ＳＴＡ４にもメッセージングを送信し得る。ブロック１１１５において、ＡＰ１０５は、ワイヤレス局ＳＴＡ２に送信要求（ＲＴＳ）を送信する。ブロック１１２０において、ワイヤレス局ＳＴＡ２は、送信可（ＣＴＳ）信号で応答する。ブロック１１２５において、ＡＰ１０５は、ワイヤレス局ＳＴＡ３、ＳＴＡ４をポーリングする。ブロック１１３０において、ワイヤレス局ＳＴＡ３、ＳＴＡ４がＡＰポールに応答する。ブロック１１０５、１１１５、１１２５におけるメッセージングの各々は、ＡＰ１０５がＰＣパラメータまたは他のオフセットインジケータを正確に生成できるように、ＡＰ１０５がワイヤレス局ＳＴＡ１、ＳＴＡ２、ＳＴＡ３、ＳＴＡ４に関する情報を学習するのを支援するものとする。
【０１０５】
[0122]ブロック１１３５において、ＡＰ１０５は、トリガまたはＣＴＸフレームを個々のワイヤレス局ＳＴＡ５に送信する。ブロック１１４０において、ワイヤレス局ＳＴＡ５は、上述した方法のいずれかに従って、データをＡＰ１０５に送り返す。ブロック１１４５において、ＭＢＡがワイヤレス局ＳＴＡ５に戻される。
【０１０６】
[0123]さらに、ブロック１１５０において、ＡＰ１０５は、トリガまたはＣＴＸフレームを複数のワイヤレス局ＳＴＡ１、ＳＴＡ２、ＳＴＡ３に送信する。それに応答して、ワイヤレス局ＳＴＡ１、ＳＴＡ２、ＳＴＡ３は、ＰＰＤＵをＡＰ１０５に戻す。ＭＢＡ１１６０は、受信されたＰＰＤＵに肯定応答するワイヤレス局ＳＴＡ１、ＳＴＡ２、ＳＴＡ３に戻される。
【０１０７】
[0124]図１１に示される動作の概要に加えて、追加のセットアップシグナリングは、一般に、本明細書で説明するシグナリングの前に行われ得る。たとえば、ワイヤレス局１１０は、（たとえば、能力情報要素における）ワイヤレス局の能力をＡＰ１０５に通知することができ、したがって、ＡＰ１０５がワイヤレス局１１０のＵＬ送信における電力を調整するより前にこれらの能力を理解することを確実にする。たとえば、能力情報要素は、ワイヤレス局１１０の最大ＴＸ電力、ワイヤレス局１１０の最小ＴＸ電力、ワイヤレス局１１０が可能な電力適応の最小ステップ、ワイヤレス局の電力制御能力の許容差、または送信ＭＣＳと最大出力電力との間のマップを含み得る。さらに、ＡＰ１０５は、（本明細書で説明するシグナリングより前に）ワイヤレス局１１０に、ＵＬ  ＭＵ動作に許可されるべき電力制御の要件（たとえば、電力制御のステップなど）、またはＡＰ自体の最大ＴＸ電力と、送信ＭＣＳと最大出力電力との間のマップ（したがって、ＳＴＡ  ＲＸ電力を推定するために、ワイヤレス局１１０がＡＰ１０５からの任意のタイプのＤＬフレームを使用することを可能にする）の情報を示し得る。
【０１０８】
[0125]図１２は、本開示の様々な態様による、ワイヤレス通信のためにＡＰにおいて使用するためのデバイス１２０５のブロック図１２００を示す。デバイス１２０５は、図１、図２Ａ〜図２Ｄ、図４Ａ、図６Ａ、図９Ａ〜図９Ｄ、図１０Ａ、および図１０Ｂを参照して説明されたＡＰ１０５の１つまたは複数の態様の一例であり得る。デバイス１２０５は、ＡＰ受信機構成要素１２１０、ＡＰ  ＵＬ電力制御構成要素１２１５、および／またはＡＰ送信機構成要素１２２０を含み得る。デバイス１２０５はまた、プロセッサ（図示せず）であるか、またはそれを含み得る。これらの構成要素の各々は、互いに通信し得る。
【０１０９】
[0126]デバイス１２０５は、ＡＰ受信機構成要素１２１０、ＡＰ  ＵＬ電力制御構成要素１２１５、および／またはＡＰ送信機構成要素１２２０を介して、本明細書に記載の機能を実行するように構成され得る。たとえば、デバイス１２０５は、ＯＦＤＭＡおよびＭＵ  ＭＩＭＯ環境などマルチユーザワイヤレスネットワークにおいてワイヤレス局にＵＬ送信電力制御を提供するように構成され得る。
【０１１０】
[0127]デバイス１２０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。各構成要素の機能は、回路として、または回路要素内に実装することもできる。
【０１１１】
[0128]ＡＰ受信機構成要素１２１０は、パケット、ユーザデータ、および／または様々な情報チャネル（たとえば、制御チャネル、データチャネルなど）に関連付けられた制御情報などの情報を受信し得る。ＡＰ受信機構成要素１２１０は、プローブ通信、ＵＬ  ＭＵ送信、ＳＵまたは他のＵＬフレームへの応答など、様々な信号１２２５を受信するように構成され得る。受信される情報は、ＳＴＡ  ＴＸ電力または所望のＡＰ  ＴＸ電力など、ワイヤレス局から送られる電力関連の情報を含み得る。信号の形の情報１２３０は、ＡＰ  ＵＬ電力制御構成要素１２１５に、およびデバイス１２０５の他の構成要素に渡され得る。
【０１１２】
[0129]ＡＰ  ＵＬ電力制御構成要素１２１５は、ＭＵワイヤレスネットワークにおける複数のワイヤレス局についての様々なＵＬ電力制御調整を提供するために、デバイス１２０５によって使用され得る。たとえば、ＡＰ  ＵＬ電力制御構成要素１２１５は、デバイス１２０５で受信されたＡＰ  ＲＸ電力に従ってワイヤレス局をグループ化するために使用され得る。また、ＡＰ  ＵＬ電力制御構成要素１２１５は、通信するワイヤレス局からのＵＬ送信のための目標ＡＰ  ＲＸ電力を決定するために使用されてもよい。さらに、経路損失を推定し、ＳＴＡ  ＴＸ電力を決定するために、ＡＰ  ＵＬ電力制御構成要素１２１５が使用され得る。さらに、ＡＰ  ＵＬ電力制御構成要素１２１５は、たとえば、ＣＴＸフレームまたは電力制御フレームを介して１つまたは複数のワイヤレス局に送信され得る電力制御パラメータを生成し得る。信号１２３５の形の電力制御パラメータおよび他の電力制御情報は、ワイヤレス局への送信のためにＡＰ送信機構成要素１２２０に渡され得る。
【０１１３】
[0130]ＡＰ送信機構成要素１２２０は、デバイス１２０５の他の構成要素から受信された１つまたは複数の信号１２３５を送信することができる。ＡＰ送信機構成要素１２２０は、たとえば、ＣＴＸまたは電力制御フレームの形で電力制御信号１２４０を送信することができる。ＡＰ送信機構成要素１２２０は、電力制御情報を含む他のＤＬフレームもワイヤレス局に送信し得る。いくつかの例では、ＡＰ送信機構成要素１２２０は、トランシーバ構成要素においてＡＰ受信機構成要素１２１０とコロケートされ得る。
【０１１４】
[0131]図１３は、様々な例による、ワイヤレス通信のためにＡＰにおいて使用されるデバイス１２０５−ａのブロック図１３００を示す。デバイス１２０５−ａは、図１、図２Ａ〜図２Ｄ、図４Ａ、図６Ａ、図９Ａ〜図９Ｄ、図１０Ａ、および図１０Ｂを参照しながら説明したＡＰ１０５の１つまたは複数の態様の一例であり得る。デバイス１２０５−ａはまた、図１２を参照しながら説明したデバイス１２０５の一例であり得る。デバイス１２０５−ａは、ＡＰ受信機構成要素１２１０−ａ、ＡＰ  ＵＬ電力制御構成要素１２１５−ａ、および／またはＡＰ送信機構成要素１２２０−ａを含み得、これらは、デバイス１２０５の対応する構成要素の例であり得る。ＡＰ受信機構成要素１２１０−ａは、プローブ通信、ＵＬ  ＭＵ送信、ＳＵまたは他のＵＬフレームへの応答などの信号１２２５−ａを受信し得る。ＡＰ受信機構成要素１２１０−ａは、信号１２２５−ａで受信された電力関連情報を信号１２３０−ａを介してＡＰ  ＵＬ電力制御構成要素１２１５−ａに伝達し得る。ＡＰ  ＵＬ電力制御構成要素１２１５−ａによって生成された電力制御情報は、信号１２３５−ａを介してＡＰ送信構成要素１２２０−ａに送信され得る。ＡＰ送信機構成要素１２２０−ａは、たとえば、ＣＴＸまたは電力制御フレームを含み得る信号１２４０−ａを介して電力制御情報をワイヤレス局に送信し得る。デバイス１２０５−ａは、プロセッサ（図示せず）をも含み得る。これらの構成要素の各々は、互いに通信し得る。ＡＰ  ＵＬ電力制御構成要素１２１５−ａは、局グループ化構成要素１３０５と、目標ＡＰ  ＲＸ電力決定構成要素１３１０と、ＡＰ経路損失推定構成要素１３１５と、ＳＴＡ  ＴＸ電力決定構成要素１３２０と、電力制御パラメータ決定構成要素１３２５と、ＡＰ  ＣＴＸフレーム構成要素１３３０と、ＡＰ電力制御フレーム構成要素１３３５とを含み得る。ＡＰ受信機構成要素１２１０−ａおよびＡＰ送信機構成要素１２２０−ａは、それぞれ、図１２のＡＰ受信機構成要素１２１０およびＡＰ送信機構成要素１２２０の機能を実行し得る。
【０１１５】
[0132]局グループ化構成要素１３０５は、ワイヤレス局からのＵＬ送信のＡＰ  ＲＸ電力に基づいてワイヤレス局のグループ化を決定するためにデバイス１２０５−ａによって使用され得る。たとえば、局グループ化構成要素１３０５は、１つまたは複数のワイヤレス局からのＵＬ送信のプロービングおよび受信を調整し得る。次いで、局グループ化構成要素１３０５は、同様のＡＰ  ＲＸ電力を有する局に基づいて、通信するワイヤレス局をグループ化し得る。次いで、局グループ化構成要素１３０５は、同時にデバイス１２０５−ａと通信するために同じまたは同様のＡＰ  ＲＸ電力を有するワイヤレス局がトリガされるように、各グループ内のワイヤレス局へのＣＴＸフレームの送信を調整し得る。
【０１１６】
[0133]目標ＡＰ  ＲＸ電力決定構成要素１３１０は、１つまたは複数のワイヤレス局の目標ＡＰ  ＲＸ電力を決定するためにデバイス１２０５−ａによって使用され得る。多くの異なるワイヤレス局が異なるＡＰ  ＲＸ電力および最大バックオフの範囲を有することを容易にするために、目標ＡＰ  ＲＸ電力決定構成要素１３１０は、デバイス１２０５−ａと通信している各ワイヤレス局が目標ＡＰ  ＲＸ電力のうちの１つで送信することができるように、いくつかの異なる目標ＡＰ  ＲＸ電力を決定し得る。
【０１１７】
[0134]ＡＰ経路損失推定構成要素１３１５は、デバイス１２０５−ａと１つまたは複数のワイヤレス局との間のＵＬまたはＤＬのいずれかの経路損失を推定するために、デバイス１２０５−ａによって使用され得る。ＡＰ経路損失推定構成要素１３１５は、ＵＬとＤＬの両方の経路損失、ならびにおよびＵＬ／ＤＬ経路損失の不均衡を決定するために、ＡＰ  ＴＸ電力、ＡＰ  ＲＸ電力、ＳＴＡ  ＴＸ電力、およびＳＴＡ  ＲＸ電力のうちの１つまたは複数の知識を使用し得る。
【０１１８】
[0135]ＳＴＡ  ＴＸ電力決定構成要素１３２０は、１つまたは複数のＡＰ  ＲＸ電力（目標ＡＰ  ＲＸ電力決定構成要素１３１０によって決定される）をもたらす１つまたは複数のワイヤレス局のためのＳＴＡ  ＴＸ電力を決定するために使用され得る。ＳＴＡ  ＴＸ電力決定構成要素１３２０は、所与のワイヤレス局のためのＳＴＡ  ＴＸ電力を決定する際に、ＵＬ経路損失および目標ＡＰ  ＲＸ電力を考慮し得る。
【０１１９】
[0136]電力制御パラメータ決定構成要素１３２５は、１つまたは複数のワイヤレス局に送信され得る電力制御パラメータを決定するために使用され得る。上記で説明したように、電力制御パラメータは、絶対的ＳＴＡ  ＴＸ電力、差分ＳＴＡ  ＴＸ電力を表す値、またはＳＴＡ  ＴＸ電力を表す関数Ｆの構成要素である値であり得る。電力制御パラメータ決定構成要素１３２５は、ワイヤレス局への送信のために、生成された電力制御パラメータをＣＴＸまたは電力制御フレームのいずれかに挿入し得る。
【０１２０】
[0137]ＡＰ  ＣＴＸフレーム構成要素１３３０は、構成要素１３０５〜１３２５のうちの１つまたは複数によって生成される、電力制御パラメータまたは他の電力制御情報を含むＣＴＸフレームを作成するために、デバイス１２０５−ａによって使用され得る。同様に、ＡＰ電力制御フレーム構成要素１３３５は、構成要素１３０５〜１３２５のうちの１つまたは複数によって生成される、電力制御パラメータまたは他の電力制御情報を含む電力制御フレームを作成するために使用され得る。ＣＴＸまたは電力制御フレームの各々は、ＡＰ送信機構成要素１２２０−ａを使用してワイヤレス局に送信され得る。
【０１２１】
[0138]図１４を参照すると、ＭＵ環境においてワイヤレス局にＵＬ電力制御を提供するために構成されたＡＰ１０５−ｆを示す図１４００が示されている。いくつかの態様では、ＡＰ１０５−ｆは、図１、図２Ａ〜図２Ｄ、図４Ａ、図６Ａ、図９Ａ〜図９Ｄ、図１０Ａ、および図１０ＢのＡＰ１０５、または図１２および図１３のデバイス１２０５の一例であり得る。ＡＰ１０５−ｆは、ＡＰプロセッサ構成要素１４１０と、ＡＰメモリ構成要素１４２０と、ＡＰトランシーバ構成要素１４３０と、ＡＰアンテナ１４４０と、ＡＰ  ＵＬ電力制御構成要素１２１５−ｂとを含み得る。ＡＰ  ＵＬ電力制御構成要素１２１５−ｂは、図１２および図１３のＡＰ  ＵＬ電力制御構成要素１２１５の一例であり得る。いくつかの例では、ＡＰ１０５−ｆはまた、ＡＰ通信構成要素１４６０と、ネットワーク通信構成要素１４７０の一方または両方をも含み得る。これらの構成要素の各々は、少なくとも１つのバス１４０５を介して、直接または間接的に、互いに通信し得る。
【０１２２】
[0139]ＡＰメモリ構成要素１４２０は、ランダムアクセスメモリ（ＲＡＭ）と読取り専用メモリ（ＲＯＭ）とを含み得る。ＡＰメモリ構成要素１４２０は、実行されると、ＡＰプロセッサ構成要素１４１０に、たとえば、複数のワイヤレス局からのＵＬ送信電力制御を調整するための本明細書で説明する様々な機能を実行させるように構成された命令を含んでいるコンピュータ可読、コンピュータ実行可能ソフトウェア（ＳＷ）コード１４２５を記憶することもできる。代替的に、ソフトウェアコード１４２５は、ＡＰプロセッサ構成要素１４１０によって直接的に実行可能でないことがあるが、たとえば、コンパイルされ実行されたとき、本明細書で説明する機能をコンピュータに実行させるように構成され得る。
【０１２３】
[0140]ＡＰプロセッサ構成要素１４１０は、インテリジェントハードウェアデバイス、たとえば、中央処理ユニット（ＣＰＵ）、マイクロコントローラ、ＡＳＩＣなどを含み得る。ＡＰプロセッサ構成要素１４１０は、ＡＰトランシーバ構成要素１４３０、ＡＰ通信構成要素１４６０、および／またはネットワーク通信構成要素１４７０を通じて受信された情報を処理し得る。ＡＰプロセッサ構成要素１４１０はまた、ＡＰアンテナ１４４０を介する送信のためにＡＰトランシーバ構成要素１４３０に送られ、ＡＰ通信構成要素１４６０に送られ、および／またはネットワーク通信構成要素１４７０に送られる情報を処理し得る。ＡＰプロセッサ構成要素１４１０は、単独で、またはＡＰ  ＵＬ電力制御構成要素１２１５−ｂと関連して、ＵＬ送信電力制御に関連する様々な態様を処理し得る。
【０１２４】
[0141]ＡＰトランシーバ構成要素１４３０は、パケットを変調し、変調されたパケットを送信のためにＡＰアンテナ１４４０に与え、ＡＰアンテナ１４４０から受信されたパケットを復調するように構成されたモデムを含み得る。ＡＰトランシーバ構成要素１４３０は、少なくとも１つの送信機構成要素および少なくとも１つの別個の受信機構成要素として実装され得る。ＡＰトランシーバ構成要素１４３０は、たとえば、図１、図２Ａ〜図２Ｄ、図４Ａ、図６Ａ、図９Ａ〜図９Ｄ、図１０Ａ、および図１０Ｂに示すように、ＡＰアンテナ１４４０を介して、少なくとも１つのワイヤレス局１１０と双方向に通信するように構成され得る。ＡＰ１０５−ｆは通常、複数のＡＰアンテナ１４４０（たとえば、アンテナアレイ）を含み得る。ＡＰ１０５−ｆは、ネットワーク通信構成要素１４７０を通じてコアネットワーク１４８０と通信し得る。ＡＰ１０５−ｆは、ＡＰ通信構成要素１４６０を使用して、ＡＰ１０５−ｇおよびＡＰ１０５−ｈなどの他のＡＰと通信し得る。
【０１２５】
[0142]図１４のアーキテクチャによれば、ＡＰ１０５−ｆは、ＡＰ通信管理構成要素１４５０をさらに含み得る。ＡＰ通信管理構成要素１４５０は、図１のＷＬＡＮネットワーク１００内に示されるような局および／または他のデバイスとの通信を管理し得る。ＡＰ通信管理構成要素１４５０は、バスまたはバス１４０５を介してＡＰ１０５−ｆの他の構成要素の一部または全部と通信し得る。代替的に、ＡＰ通信管理構成要素１４５０の機能は、ＡＰトランシーバ構成要素１４３０の構成要素として、コンピュータプログラム製品として、および／またはＡＰプロセッサ構成要素１４１０の少なくとも１つのコントローラ要素として実装され得る。
【０１２６】
[0143]ＡＰ１０５−ｆの構成要素は、図１〜図１３に関して上記で論じた態様を実装するように構成され得、それらの態様は、簡潔のためにここでは繰り返され得ない。さらに、ＡＰ１０５−ｆの構成要素は、図１８および図１９に関連して以下で論じる態様を実装するように構成され得、それらの態様は、簡潔のためにここでは繰り返され得ない。
【０１２７】
[0144]さらに、一実施形態では、たとえば、図１２〜図１４に示される構成要素は各々、ＭＵワイヤレスネットワークにおける複数のワイヤレス局についての様々なＵＬ電力制御調整を達成するための回路または回路要素を含み得る。たとえば、ＡＰ  ＵＬ電力制御構成要素１２１５は、デバイス１２０５で受信されたＡＰ  ＲＸ電力に従ってワイヤレス局をグループ化し、通信するワイヤレス局からのＵＬ送信のための目標ＡＰ  ＲＸ電力を決定し、経路損失を推定し、ＳＴＡ  ＴＸ電力を決定し、たとえば、ＣＴＸフレームまたは電力制御フレームを介して１つまたは複数のワイヤレス局に送信され得る電力制御パラメータを生成するための回路または回路要素を含み得る。
【０１２８】
[0145]図１５は、本開示の様々な態様による、ワイヤレス通信のための局において使用するための装置１５０５のブロック図１５００を示す。いくつかの例では、装置１５０５は、図１、図２Ａ〜図２Ｄ、図４Ａ、図６Ａ、図９Ａ〜図９Ｄ、図１０Ａ、および図１０Ｂを参照しながら説明したワイヤレス局１１０のうちの１つまたは複数の態様の一例であり得る。装置１５０５はまた、プロセッサ（図示せず）であるか、またはそれを含み得る。装置１５０５は、ＳＴＡ受信機構成要素１５１０、ＳＴＡ  ＵＬ電力制御構成要素１５１５、および／またはＳＴＡ送信機構成要素１５２０を含み得る。これらの構成要素の各々は、互いに通信し得る。
【０１２９】
[0146]装置１５０５は、ＳＴＡ受信機構成要素１５１０、ＳＴＡ  ＵＬ電力制御構成要素１５１５、および／またはＳＴＡ送信機構成要素１５２０を介して、本明細書に記載の機能を実行するように構成され得る。たとえば、装置１５０５は、ＳＴＡ  ＴＸ電力の設定と、ＵＬおよびＤＬ経路損失ならびにＵＬ／ＤＬ経路損失の不均衡の決定と、電力制御情報を含み得るＣＴＸおよび電力制御フレームの受信および復号とを含む様々なＵＬ送信電力制御機能を実行するように構成され得る。
【０１３０】
[0147]装置１５０５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的または部分的に、１つまたは複数の汎用または特定用途向けプロセッサによって実行されるようにフォーマットされた、メモリに組み込まれた命令を用いて実装され得る。各構成要素の機能は、回路として、または回路要素内に実装することもできる。
【０１３１】
[0148]ＳＴＡ受信機構成要素１５１０は、パケット、ユーザデータ、および／または様々な情報チャネル（たとえば、制御チャネル、データチャネルなど）に関連付けられた制御情報などの情報を受信し得る。ＳＴＡ受信機構成要素１５１０は、たとえば、ＵＬ送信電力制御情報を含み得るＡＰから信号１５２５を受信するように構成され得る。たとえば、ＳＴＡ受信機構成要素１５１０は、電力制御情報を含むＣＴＸまたは電力制御フレームを受信し得る。受信された情報は、信号１５３０を介してＳＴＡ  ＵＬ電力制御構成要素１５１５に、および装置１５０５の他の構成要素に渡され得る。
【０１３２】
[0149]ＳＴＡ  ＵＬ電力制御構成要素１５１５は、信号１５３０に含まれる電力制御情報を受信し、ＵＬ送信のためのＳＴＡ  ＴＸ電力を設定するために、この情報を使用し得る。さらに、ＵＬおよびＤＬ経路損失を推定するため、ならびにＵＬ／ＤＬ経路損失の不均衡を推定するために、ＳＴＡ  ＵＬ電力制御構成要素１５１５が使用され得る。経路損失情報を提供するために、ＡＰと通信するとき、ＳＴＡ  ＵＬ電力制御構成要素１５１５は、既知のＴＸ電力でＵＬ送信を構成することもできる。ＳＴＡ  ＵＬ電力制御構成要素１５１５は、たとえば、ＤＬフレームの信号強度を測定することもできる。ＳＴＡ  ＵＬ電力制御構成要素１５１５によって生成された電力制御情報は、信号１５３５を介してＳＴＡ送信機構成要素１５２０に伝達され得る。
【０１３３】
[0150]ＳＴＡ送信機構成要素１５２０は、信号１５３５を介して電力制御情報を受信し、装置１５０５の他の構成要素から受信された１つまたは複数の信号を送信し得る。ＳＴＡ送信機構成要素１５２０は、上記で説明したように、ＳＵまたはＭＵデータフレームまたは電力関連情報を含む他のパケットなど、様々なＵＬフレーム１５４０を送信し得る。いくつかの例では、ＳＴＡ送信機構成要素１５２０は、トランシーバ構成要素においてＳＴＡ受信機構成要素１５１０とコロケートされ得る。ＳＴＡ送信機構成要素１５２０は、単一のアンテナを含み得る、または複数のアンテナを含み得る。
【０１３４】
[0151]図１６は、様々な例による、ワイヤレス通信のためのワイヤレス局において使用される装置１５０５−ａのブロック図１６００を示す。装置１５０５−ａは、図１、図２Ａ〜図２Ｄ、図４Ａ、図６Ａ、図９Ａ〜図９Ｄ、図１０Ａ、および図１０Ｂを参照しながら説明したワイヤレス局１１０の１つまたは複数の態様の一例であり得る。それはまた、図１５を参照しながら説明した装置１５０５の一例であり得る。装置１５０５−ａは、ＳＴＡ受信機構成要素１５１０−ａ、ＳＴＡ  ＵＬ電力制御構成要素１５１５−ａ、および／またはＳＴＡ送信機構成要素１５２０−ａを含み得、これらは、装置１５０５の対応する構成要素の例であり得る。ＳＴＡ受信機構成要素１５１０−ａは、ＣＴＸまたは電力制御フレームの形で電力制御信号１５２５−ａを受信し得、電力関連情報を抽出し、信号１５３０−ａを介して電力関連情報をＳＴＡ  ＵＬ電力制御構成要素１５１５−ａに伝達し得る。ＳＴＡ  ＵＬ電力制御構成要素１５１５−ａは、電力制御情報を生成し得、信号１５３５−ａを介してこの情報をＳＴＡ送信機構成要素１５２０−ａに送信し得る。ＳＴＡ送信機構成要素１５２０−ａは、上記で説明したように、ＵＬ電力制御を含み得る、またはこれに関連し得る信号１５４０−ａを送信し得る。装置１５０５−ａは、プロセッサ（図示せず）をも含み得る。これらの構成要素の各々は互いと通信していることがある。ＳＴＡ  ＵＬ電力制御構成要素１５１５−ａは、ＳＴＡ経路損失推定構成要素１６０５と、ＳＴＡ  ＴＸ電力構成要素１６１０と、既知電力ＴＸ構成要素１６１５と、ＳＴＡ  ＲＸ電力決定構成要素１６２０と、ＳＴＡ  ＣＴＸフレーム構成要素１６２５と、ＳＴＡ電力制御フレーム構成要素１６３０とを含み得る。ＳＴＡ受信機構成要素１５１０−ａおよびＳＴＡ送信機構成要素１５２０−ａは、それぞれ、図１５のＳＴＡ受信機構成要素１５１０およびＳＴＡ送信機構成要素１５２０の機能を実行し得る。
【０１３５】
[0152]ＳＴＡ経路損失推定構成要素１６０５は、ＵＬまたはＤＬ経路損失、ならびにＵＬ／ＤＬ経路損失の不均衡を決定するために、装置１５０５−ａによって使用され得る。ＳＴＡ経路損失推定構成要素１６０５は、経路損失を決定するためにＡＰ  ＴＸおよびＲＸ電力に加えてＳＴＡ  ＲＸおよびＴＸ電力の知識を使用し得る。
【０１３６】
[0153]決定されたＵＬ経路損失およびＵＬ／ＤＬ経路損失の不均衡は、適切なＳＴＡ  ＴＸ電力を決定するために、ＳＴＡ  ＴＸ電力構成要素１６１０によって使用され得る。ＳＴＡ  ＴＸ電力は、ＡＰによってすでに決定されたＳＴＡ  ＴＸ電力の受信によって、または目標ＡＰ  ＲＸ電力の受信によって決定されてもよい。さらに、ＳＴＡ  ＴＸ電力は、ＳＴＡ  ＴＸ電力を表す関数Ｆ内の構成要素であり得る電力制御パラメータの受信後に決定され得る。
【０１３７】
[0154]既知の電力ＴＸ構成要素１６１５は、ＡＰが既知のＴＸ電力でのパケットの送信を要求する状況で使用されるＳＴＡ  ＴＸ電力を決定するために、装置１５０５−ａによって使用され得る。既知の電力ＴＸ構成要素１６１５は、基準を参照することによって、またはＡＰから既知のＴＸ電力を受信することによって、既知のＴＸを決定し得る。代替的に、既知の電力ＴＸ構成要素１６１５は、ＳＵフレームのためのそれ自体のＴＸ電力を決定し、次いで、受信側ＡＰにＴＸ電力の値をシグナリングし得る。
【０１３８】
[0155]ＳＴＡ  ＲＸ電力決定構成要素１６２０は、装置１５０５−ａによって受信されたＤＬフレームのためのＳＴＡ  ＲＸ電力を測定するために装置１５０５−ａによって使用され得る。たとえば、ＡＰは、様々なＤＬフレームを装置１５０５−ａに送信し得る。これらのうちのいくつかは、ＳＴＡ  ＴＸ電力を決定するために、装置１５０５−ａによって使用され得る電力制御パラメータを含むＣＴＸまたは電力制御フレームを含み得る。ＳＴＡ  ＴＸ電力の決定は、ＤＬフレームの受信信号強度を考慮して行うこともできる。たとえば、上記で説明したように、ＳＴＡ  ＴＸ電力が調整されるべきかどうかを決定するために、ＲＳＳＩが測定され得る。
【０１３９】
[0156]ＳＴＡ  ＣＴＸフレーム構成要素１６２５およびＳＴＡ電力制御フレーム構成要素１６３０は、ＣＴＸまたは電力制御フレームのいずれかに埋め込まれた電力制御情報（電力制御パラメータなど）を受信し解釈するために使用され得る。
【０１４０】
[0157]図１７を参照すると、ＭＵワイヤレスネットワーク環境においてＵＬ送信電力制御を受信し、可能にするように構成されたワイヤレス局１１０−ｈを示す図１７００が示されている。ワイヤレス局１１０−ｈは、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなど含まれるか、またはそれらの一部であり得る。ワイヤレス局１１０−ｈは、モバイル動作を容易にするために、小型バッテリーなどの内部電源（図示せず）を有する場合がある。ワイヤレス局１１０−ｈは、図１、図２Ａ〜図２Ｄ、図４Ａ、図６Ａ、図９Ａ〜図９Ｄ、図１０Ａ、および図１０Ｂのワイヤレス局１１０の一例であり得る。
【０１４１】
[0158]ワイヤレス局１１０−ｈは、ＳＴＡプロセッサ構成要素１７１０、ＳＴＡメモリ構成要素１７２０、ＳＴＡトランシーバ構成要素１７４０、ＳＴＡアンテナ１７５０、およびＳＴＡ  ＵＬ電力制御構成要素１５１５−ｂを含み得る。ＳＴＡ  ＵＬ電力制御構成要素１５１５−ｂは、図１５および図１６のＳＴＡ  ＵＬ電力制御構成要素１５１５の一例であり得る。これらの構成要素の各々は、少なくとも１つのバス１７０５を介して、直接または間接的に、互いに通信していることがある。
【０１４２】
[0159]ＳＴＡメモリ構成要素１７２０は、ＲＡＭおよびＲＯＭを含み得る。ＳＴＡメモリ構成要素１７２０は、実行されたとき、ＡＰ  ＤＬフレームに応答してＵＬ電力制御を実施するための本明細書で説明する様々な機能をＳＴＡプロセッサ構成要素１７１０に実行させるように構成された命令を含んでいるコンピュータ可読、コンピュータ実行可能ソフトウェア（ＳＷ）コード１７２５を記憶し得る。代替的に、ソフトウェアコード１７２５は、ＳＴＡプロセッサ構成要素１７１０によって直接的に実行可能でないことがあるが、（たとえば、コンパイルされ実行されたとき）本明細書で説明する機能をコンピュータに実行させるように構成され得る。
【０１４３】
[0160]ＳＴＡプロセッサ構成要素１７１０は、インテリジェントハードウェアデバイス、たとえば、ＣＰＵ、マイクロコントローラ、ＡＳＩＣなどを含み得る。ＳＴＡプロセッサ構成要素１７１０は、ＳＴＡトランシーバ構成要素１７４０を介して受信された、および／またはＳＴＡアンテナ１７５０を介した送信のためにＳＴＡトランシーバ構成要素１７４０に送られる情報を処理することができる。ＳＴＡプロセッサ構成要素１７１０は、単独で、またはＳＴＡ  ＵＬ電力制御構成要素１５１５−ｂと関連して、ＵＬ送信電力制御のための様々な態様を処理し得る。
【０１４４】
[0161]ＳＴＡトランシーバ構成要素１７４０は、図１、図２Ａ〜図２Ｄ、図４Ａ、図６Ａ、図９Ａ〜図９Ｄ、図１０Ａ、および図１０ＢのＡＰ１０５と双方向に通信するように構成され得る。ＳＴＡトランシーバ構成要素１７４０は、少なくとも１つの送信機構成要素および少なくとも１つの別個の受信機構成要素として実装され得る。ＳＴＡトランシーバ構成要素１７４０は、パケットを変調し、変調されたパケットを送信のためにＳＴＡアンテナ１７５０に与え、ＳＴＡアンテナ１７５０から受信されたパケットを復調するように構成されたモデムを含み得る。ワイヤレス局１１０−ｈは単一のアンテナを含み得るが、ワイヤレス局１１０−ｈが複数のＳＴＡアンテナ１７５０を含み得る態様があり得る。
【０１４５】
[0162]図１７のアーキテクチャによれば、ワイヤレス局１１０−ｈは、ＳＴＡ通信管理構成要素１７３０をさらに含み得る。ＳＴＡ通信管理構成要素１７３０は様々なＡＰとの通信を管理し得る。ＳＴＡ通信管理構成要素１７３０は、少なくとも１つのバス１７０５上でワイヤレス局１１０−ｈの他の構成要素の一部または全部と通信しているワイヤレス局１１０−ｈの構成要素であり得る。代替的には、ＳＴＡ通信管理構成要素１７３０の機能は、ＳＴＡトランシーバ構成要素１７４０の構成要素として、コンピュータプログラム製品として、および／あるいはＳＴＡプロセッサ構成要素１７１０の少なくとも１つのコントローラ要素として実装され得る。
【０１４６】
[0163]ワイヤレス局１１０−ｈの構成要素は、図１〜図１１、図１５、および図１６に関して上記で論じた態様を実装するように構成され得、それらの態様は簡潔のためにここでは繰り返され得ない。さらに、ワイヤレス局１１０−ｈの構成要素は、図１８および図１９に関して下記で論じる態様を実装するように構成され得、それらの態様も簡潔のためにここでは繰り返され得ない。
【０１４７】
[0164]さらに、一実施形態では、たとえば、図１５〜図１７に示される構成要素は各々、ＭＵワイヤレスネットワークにおけるワイヤレス局についての様々なＵＬ電力制御調整を達成するための回路または回路要素を含み得る。たとえば、ＳＴＡ  ＵＬ電力制御構成要素１５１５は、ＵＬ送信のためのＳＴＡ  ＴＸ電力を設定するため、ＵＬ／ＤＬ経路損失を推定するため、ＵＬ／ＤＬ経路損失の不均衡を推定するため、ＡＰに経路損失情報を提供するため、既知のＴＸ電力でＵＬ送信を構成するため、ＤＬフレームの信号強度を測定するための回路または回路要素をたとえば含み得る。
【０１４８】
[0165]図１８は、本開示の様々な態様による、ワイヤレス通信のための方法１８００の例を示すフローチャートである。明確にするために、方法１８００について、図１、図２Ａ〜図２Ｄ、図４Ａ、図６Ａ、図９Ａ〜図９Ｄ、図１０Ａ、図１０Ｂ、図１４、および図１７を参照しながら説明したＡＰまたはワイヤレス局のうちの１つまたは複数の態様、および／あるいは図１２、図１３、図１５、および図１６を参照しながら説明したデバイスまたは装置のうちの１つまたは複数の態様を参照しながら以下で説明する。いくつかの例では、ＡＰまたはワイヤレス局のいずれかは、以下で説明される機能を実行するようにＡＰまたはワイヤレス局の機能要素を制御するためのコードの１つまたは複数のセットを実行し得る。加えて、または代替的に、ＡＰまたはワイヤレス局は、以下で説明される使用目的のハードウェア、機能の１つまたは複数を実行することができる。
【０１４９】
[0166]ブロック１８０５において、方法１８００は、免許不要のワイヤレスネットワークにおけるＡＰと複数の局のうちの少なくとも１つの局との間の第１のワイヤレス通信に参加することを含み得る。いくつかの例では、第１のワイヤレス通信はプローブ通信であってもよい。ブロック１８０５における動作は、図１２〜図１７を参照して説明したＡＰ  ＵＬ電力制御構成要素１２１５またはＳＴＡ  ＵＬ電力制御構成要素１５１５のいずれかを使用して実施され得る。
【０１５０】
[0167]ブロック１８１０において、方法１８００は、少なくとも１つの局とＡＰとの間のＵＬ送信のＵＬ電力制御を調整するために、ＡＰによって生成されたＵＬ送信電力パラメータを使用することを含み得、ここにおいて、ＵＬ電力制御は、少なくとも１つの局からのＵＬ送信電力の制御を指す。いくつかの状況では、ＵＬ送信電力パラメータは、上述したＰＣパラメータであってもよい。いくつかの状況では、ＵＬ送信電力パラメータは、第１のワイヤレス通信の間に受信された情報に少なくとも部分的に基づいて決定され得る。いくつかの状況では、ＵＬ送信電力パラメータは、ワイヤレス局からの受信された送信のＡＰ  ＲＸ電力に基づいてＡＰによって決定されたワイヤレス局グループ化を含み得る。ブロック１８０５における動作は、図１２〜図１７を参照して説明したＡＰ  ＵＬ電力制御構成要素１２１５またはＳＴＡ  ＵＬ電力制御構成要素１５１５のいずれかを使用して実施され得る。
【０１５１】
[0168]このようにして、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０１５２】
[0169]図１９は、本開示の様々な態様による、ワイヤレス通信のための方法１９００の一例を示すフローチャートである。明確にするために、方法１９００について、図１、図２Ａ〜図２Ｄ、図４Ａ、図６Ａ、図９Ａ〜図９Ｄ、図１０Ａ、図１０Ｂ、および図１４を参照しながら説明したＡＰのうちの１つまたは複数の態様、および／あるいは図１２および図１３を参照しながら説明したデバイスのうちの１つまたは複数の態様を参照しながら以下で説明する。いくつかの例では、ＡＰは、以下で説明する機能を実行するようにＡＰの機能要素を制御するためのコードの１つまたは複数のセットを実行し得る。加えて、または代替的に、ＡＰは、以下で説明される使用目的のハードウェア、機能の１つまたは複数を実行することができる。
【０１５３】
[0170]ブロック１９０５において、方法１９００は、免許不要のワイヤレスネットワークにおけるＡＰと複数の局のうちの少なくとも１つの局との間の第１のワイヤレス通信に参加することを含む。上記で説明したように、免許不要のワイヤレスネットワークは、ＯＦＤＭＡまたはＭＵ  ＭＩＭＯワイヤレスネットワークであってもよい。
【０１５４】
[0171]ブロック１９１０において、方法１９００は、第１のワイヤレス通信の結果として、少なくとも１つの局とＡＰとの間のＵＬ経路損失を決定することを含み得る。ＵＬ経路損失は、たとえば、少なくとも１つの局が既知のＴＸ電力でパケットを送信することを要求することによって決定され得る。
【０１５５】
[0172]ブロック１９１５において、方法１９００は、第１のワイヤレス通信の結果として、少なくとも１つの局とＡＰとの間のアップリンクダウンリンク（ＵＬ／ＤＬ）経路損失の不均衡を決定することを含み得る。いくつかの例では、これは、ＡＰがＡＰ  ＴＸ電力およびＲＸ電力と、ＳＴＡ  ＲＸ電力およびＴＸ電力とを決定することによって達成され得る。
【０１５６】
[0173]ブロック１９２０において、方法１９００は、ＵＬ経路損失およびＵＬ／ＤＬ経路損失の不均衡のうちの少なくとも１つに基づいてＵＬ送信電力パラメータを生成することを含み得る。ＵＬ送信電力パラメータは、絶対的ＳＴＡ  ＴＸ電力、差分ＳＴＡ  ＴＸ電力量、またはＳＴＡ  ＴＸ電力の関数Ｆであるパラメータであり得る。いくつかの例では、ＵＬ送信電力パラメータは、上記で論じたＰＣパラメータである。
【０１５７】
[0174]ブロック１９２５において、方法１９００は、トリガフレームまたは電力制御フレームのいずれかを使用してＵＬ送信電力パラメータを少なくとも１つの局に送信することを含み得る。トリガフレームは、ＣＴＸフレームであってもよく、電力制御フレームは、ＣＴＸまたは他のトリガフレームの前に送信される制御フレームであってもよい。
【０１５８】
[0175]このようにして、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０１５９】
[0176]いくつかの例では、方法１８００、１９００のうちの２つまたはそれ以上からの態様は、組み合わせられ得る。方法１８００および１９００は例示的な実装形態にすぎず、方法１８００および１９００の動作は、他の実装形態が可能であるように、並べ替えられるかまたは場合によっては変更され得ることに留意されたい。
【０１６０】
[0177]添付の図面に関して上記に記載された発明を実施するための形態は、例について説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味しない。発明を実施するための形態は、説明する技法の理解を与えるための具体的な詳細を含む。ただし、これらの技法は、これらの具体的な詳細なしに実践され得る。場合によっては、説明する例の概念を不明瞭にすることを回避するために、よく知られている構造および装置はブロック図の形態で示されている。
【０１６１】
[0178]情報および信号は、様々な異なる技術および技法のいずれかを使用して表され得る。たとえば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１６２】
[0179]本明細書の本開示に関して説明する様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。本明細書の本開示に関連して説明された様々な例示的なブロックおよび構成要素は、回路または回路要素として実装されてもよい。
【０１６３】
[0180]本明細書で説明する機能は、ハードウェア、プロセッサによって実行されるソフトウェア、ファームウェア、またはそれらの任意の組合せで実装され得る。プロセッサによって実行されるソフトウェアにおいて実装される場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲および趣旨内に入る。たとえば、ソフトウェアの性質により、上述した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置され得る。特許請求の範囲を含めて、本明細書で使用される場合、「および／または」という用語は、２つ以上の項目の列挙中で使用されるとき、列挙された項目のうちのいずれか１つが単独で用いられ得ること、または列挙された項目のうちの２つ以上の任意の組合せが用いられ得ることを意味する。たとえば、組成が構成要素Ａ、Ｂ、および／またはＣを含んでいるものとして説明される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１６４】
[0181]コンピュータ可読媒体は、コンピュータプログラムのある場所から別の場所への転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれる。
【０１６５】
[0182]本開示の前述の説明は、当業者が本開示を作成または使用することができるように与えたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
[Ｃ１]  Ｗｉ−Ｆｉ（登録商標）システムにおけるワイヤレス通信のための方法であって、
免許不要のワイヤレスネットワークにおける複数の局のうちの少なくとも１つの局とアクセスポイント（ＡＰ）の間の第１のワイヤレス通信に参加することと、
前記少なくとも１つの局と前記ＡＰとの間のアップリンク（ＵＬ）送信のＵＬ電力制御を調整するために、前記ＡＰにおいて生成されたＵＬ送信電力パラメータを使用することと、ここにおいて、ＵＬ電力制御が、前記少なくとも１つの局からのＵＬ送信電力の制御を指す、
を備える方法。
[Ｃ２]  前記少なくとも１つの局と前記ＡＰとの間のＵＬ経路損失を決定することと、
前記ＵＬ経路損失に少なくとも部分的に基づいて前記ＵＬ送信電力パラメータを生成することと
をさらに備えるＣ１に記載の方法。
[Ｃ３]  前記少なくとも１つの局と前記ＡＰとの間のアップリンク／ダウンリンク（ＵＬ／ＤＬ）経路損失の不均衡を決定することと、
前記ＵＬ／ＤＬ経路損失の不均衡に少なくとも部分的に基づいて前記ＵＬ送信電力パラメータを生成することと
をさらに備えるＣ１に記載の方法。
[Ｃ４]  前記少なくとも１つの局と前記ＡＰとの間の前記ＵＬ送信をトリガするトリガフレームで前記ＵＬ送信電力パラメータを送信すること
をさらに備えるＣ１に記載の方法。
[Ｃ５]  前記少なくとも１つの局と前記ＡＰとの間の前記ＵＬ送信をトリガするトリガフレームとは別の電力制御フレームで前記ＵＬ送信電力パラメータを送信すること
をさらに備えるＣ１に記載の方法。
[Ｃ６]  前記第１のワイヤレス通信に参加することが、
直交周波数分割多元接続（ＯＦＤＭＡ）またはマルチユーザ（ＭＵ）多入力多出力（ＭＩＭＯ）環境において通信すること
を備える、Ｃ１に記載の方法。
[Ｃ７]  前記少なくとも１つの局と前記ＡＰとの間の前記ＵＬ送信のための受信電力を決定することと、
前記ＡＰへのＵＬ送信が前記少なくとも１つの局についての前記受信電力と実質的に同じである受信電力を有する前記複数の局のうちの他の局を識別することと、
前記ＵＬ送信電力パラメータとして、前記少なくとも１つの局および実質的に同じ受信電力を有する前記他の局の識別を記憶することと、
前記少なくとも１つの局と、前記ＵＬ送信電力パラメータによって識別された前記他の局とにトリガフレームを送信することと
をさらに備えるＣ１に記載の方法。
[Ｃ８]  前記少なくとも１つの局と前記ＡＰとの間のＵＬ送信の前記電力を調整するために開ループ電力制御を使用すること
をさらに備えるＣ１に記載の方法。
[Ｃ９]  前記少なくとも１つの局から前記ＡＰへのＵＬ送信のための目標受信電力を決定することと、
前記目標受信電力とＡＰ送信電力を前記少なくとも１つの局に伝達するために、前記ＵＬ送信電力パラメータを使用することと
をさらに備えるＣ８に記載の方法。
[Ｃ１０]  前記目標受信電力で前記少なくとも１つの局から前記ＵＬ送信を受信すること
をさらに備えるＣ９に記載の方法。
[Ｃ１１]  前記ＵＬ送信電力パラメータを介して、目標受信電力とＡＰ送信電力とを受信することと、
前記ＡＰ送信電力に基づいてダウンリンク（ＤＬ）経路損失を決定することと、
前記ＤＬ経路損失に基づいて、前記少なくとも１つの局から前記ＡＰへのＵＬ経路損失を推定することと、
前記ＵＬ送信が前記目標受信電力を有する前記ＡＰに到着し、前記ＵＬ経路損失を考慮するように、前記少なくとも１つの局と前記ＡＰとの間のＵＬ送信のための前記ＵＬ送信電力を決定することと、
前記ＵＬ送信電力を使用して前記ＵＬ送信を送信することと
をさらに備えるＣ８に記載の方法。
[Ｃ１２]  前記少なくとも１つの局と前記ＡＰとの間の前記ＵＬ送信電力を調整するために閉ループ電力制御を使用すること
をさらに備えるＣ１に記載の方法。
[Ｃ１３]  前記少なくとも１つの局と前記ＡＰとの間のＵＬ経路損失を決定することと、
前記少なくとも１つの局から前記ＡＰへのＵＬ送信のための目標受信電力を決定することと、
前記少なくとも１つの局から前記目標受信電力に対応する前記ＡＰへの前記ＵＬ送信のための前記ＵＬ送信電力を決定することと、
前記ＵＬ送信電力を前記少なくとも１つの局に伝達するために、前記ＵＬ送信電力パラメータを使用することと
をさらに備えるＣ１２に記載の方法。
[Ｃ１４]  前記目標受信電力で前記少なくとも１つの局から前記ＵＬ送信を受信すること
をさらに備えるＣ１３に記載の方法。
[Ｃ１５]  前記ＡＰが前記少なくとも１つの局と前記ＡＰとの間のＵＬ経路損失を決定することができるように、前記ＵＬ送信電力でパケットを前記少なくとも１つの局から前記ＡＰに送信すること
をさらに備えるＣ１２に記載の方法。
[Ｃ１６]  前記ＡＰによって決定された前記ＵＬ経路損失を考慮した前記ＵＬ送信電力を含む、前記ＡＰによって決定された前記ＵＬ送信電力パラメータを前記ＡＰから受信することと、
前記受信されたＵＬ送信電力を使用して前記ＵＬ送信を送信することと
をさらに備えるＣ１５に記載の方法。
[Ｃ１７]  前記少なくとも１つの局と前記ＡＰとの間のＵＬ経路損失を決定することと、
前記少なくとも１つの局から前記ＡＰへのＵＬ送信のための目標受信電力を決定することと、
前記少なくとも１つの局から前記ＡＰへのＵＬ送信のための前記目標受信電力に基づいて前記ＵＬ送信電力パラメータを決定することと
をさらに備えるＣ１に記載の方法。
[Ｃ１８]  前記目標受信電力で前記少なくとも１つの局から前記ＵＬ送信を受信すること
をさらに備えるＣ１７に記載の方法。
[Ｃ１９]  前記ＵＬ送信電力パラメータが前記複数の局のうちの前記少なくとも１つの局および他の局に適用可能であるという表示を、前記少なくとも１つの局および前記他の局に送信すること
をさらに備えるＣ１７に記載の方法。
[Ｃ２０]  前記ＵＬ送信電力パラメータを、前記少なくとも１つの局および前記他の局の関数として調整すること
をさらに備えるＣ１９に記載の方法。
[Ｃ２１]  前記少なくとも１つの局または前記他の局と前記ＡＰとの間のアップリンク／ダウンリンク（ＵＬ／ＤＬ）経路損失の不均衡を補償するために、前記ＵＬ送信電力パラメータを調整すること
をさらに備えるＣ１９に記載の方法。
[Ｃ２２]  前記ＵＬ送信電力パラメータを決定することが、
前記少なくとも１つの局から前記目標受信電力に対応する前記ＡＰへの前記ＵＬ送信のための前記ＵＬ送信電力を決定すること、ここにおいて、前記ＵＬ送信電力が、前記少なくとも１つの局と前記ＡＰとの間のＵＬ経路損失を考慮する、
を備える、Ｃ１７に記載の方法。
[Ｃ２３]  前記ＵＬ送信電力パラメータを決定することが、
前記少なくとも１つの局から前記ＡＰへの前記ＵＬ送信のための前記ＵＬ送信電力を定義する関数を使用すること、ここにおいて、前記関数が、ダウンリンク（ＤＬ）信号強度と前記ＵＬ送信電力パラメータとを含む、
を備える、Ｃ１７に記載の方法。
[Ｃ２４]  前記ＵＬ送信電力パラメータを決定することが、
前記目標受信電力に対応するために、前記少なくとも１つの局から前記ＡＰへの前記ＵＬ送信のための前記ＵＬ送信電力が変更されるべき量を示すオフセット値を決定すること
を備える、Ｃ１７に記載の方法。
[Ｃ２５]  前記ＡＰが前記少なくとも１つの局と前記ＡＰとの間のＵＬ経路損失を決定することができるように、既知の送信電力でパケットを前記少なくとも１つの局から前記ＡＰに送信することと、
前記ＵＬ経路損失に基づいて前記ＡＰによって決定されたＵＬ送信のための目標受信電力に基づいて前記ＵＬ送信電力パラメータを受信することと、
前記ＡＰから受信されたダウンリンク（ＤＬ）フレームから受信信号強度を決定することと、
前記受信信号強度と前記ＵＬ送信電力パラメータとに基づいてＵＬ送信電力を決定することと、
前記決定されたＵＬ送信電力を使用してＵＬ送信を前記ＡＰに送信することと
をさらに備えるＣ１に記載の方法。
[Ｃ２６]  前記ＡＰと前記少なくとも１つの局との間の前記第１のワイヤレス通信に参加することが、
前記少なくとも１つの局から前記ＡＰへの送信を受信することと、前記送信が、前記少なくとも１つの局から前記送信が送られた既知の電力を有する、または前記少なくとも１つの局から前記送信が送られた電力を示す、
前記少なくとも１つの局と前記ＡＰとの間のＵＬ経路損失を決定することと、
前記ＵＬ経路損失に基づいて前記ＵＬ送信電力パラメータを生成することと
を備える、Ｃ１に記載の方法。
[Ｃ２７]  前記少なくとも１つの局から前記ＡＰへの前記送信を要求すること
をさらに備えるＣ２６に記載の方法。
[Ｃ２８]  前記送信が、メディアアクセス制御（ＭＡＣ）ヘッダ、または前記少なくとも１つの局から前記送信が送られた前記電力が示されているラッパーフレーム(a wrapper frame)を含む、Ｃ２６に記載の方法。
[Ｃ２９]  前記ＡＰと前記少なくとも１つの局との間の前記第１のワイヤレス通信に参加することが、
前記少なくとも１つの局から前記ＡＰへの送信を送ること、前記送信が、前記少なくとも１つの局から前記送信が送られた既知の電力を有する、または前記少なくとも１つの局から前記送信が送られた電力を示す、
を備える、Ｃ１に記載の方法。
[Ｃ３０]  前記送信を送ることが、
前記送信を定期的に送ること
を備えるＣ２９に記載の方法。
[Ｃ３１]  前記送信を送ることが、
推定されたビーコン受信信号強度指示（ＲＳＳＩ）が、前記少なくとも１つの局と前記ＡＰとの間の以前の送信に関して所定のしきい値量を超えて変化したとき、前記送信を送ること
を備える、Ｃ２９に記載の方法。
[Ｃ３２]  前記送信を送ることが、
前記ＡＰによる要求に応答して前記送信を送ること
を備える、Ｃ２９に記載の方法。
[Ｃ３３]  前記ＡＰと前記少なくとも１つの局との間の前記第１のワイヤレス通信に参加することが、
前記ＡＰから前記少なくとも１つの局にダウンリンク（ＤＬ）フレームを送信することと、
前記少なくとも１つの局からＵＬフレームを受信することと、
前記受信されたＵＬフレームに基づいて、前記少なくとも１つの局と前記ＡＰとの間のＵＬ／ＤＬ経路損失の不均衡を決定することと、
前記ＵＬ／ＤＬ経路損失の不均衡に基づいて前記ＵＬ送信電力パラメータを生成することと
を備える、Ｃ１に記載の方法。
[Ｃ３４]  前記送信することが、
前記少なくとも１つの局が、前記ＵＬフレームの送信電力を決定する際に前記経路損失の表示を使用することができるように、前記ＡＰから前記少なくとも１つの局に経路損失の表示を送信すること
を備える、Ｃ３３に記載の方法。
[Ｃ３５]  前記送信することが、
前記少なくとも１つの局が前記ＵＬフレームの前記送信電力を使用して前記ＵＬフレームを送信することができるように、前記ＡＰから前記少なくとも１つの局に前記ＵＬフレームの送信電力を送信すること
を備える、Ｃ３３に記載の方法。
[Ｃ３６]  前記ＤＬフレームが、メディアアクセス制御（ＭＡＣ）ヘッダ、ラッパーフレーム、または前記少なくとも１つの局と前記ＡＰとの間の前記ＵＬ送信をトリガするトリガフレームを含む、Ｃ３３に記載の方法。
[Ｃ３７]  前記ＡＰと前記少なくとも１つの局との間の前記第１のワイヤレス通信に参加することが、
前記少なくとも１つの局から前記ＡＰにＵＬフレームを送信することと、
前記ＵＬフレームに応答して前記ＡＰからダウンリンク（ＤＬ）フレームを受信することと、
前記受信されたＤＬフレームに基づいて、前記少なくとも１つの局と前記ＡＰとの間のＵＬ／ＤＬ経路損失の不均衡を決定することと、
前記ＵＬ／ＤＬ経路損失の不均衡に基づいて前記ＵＬ送信電力を生成することと
を備える、Ｃ１に記載の方法。
[Ｃ３８]  前記送信することが、
前記ＡＰが前記ＤＬフレームのＤＬ送信電力を決定する際に前記経路損失の表示を使用することができるように、前記少なくとも１つの局から前記ＡＰに経路損失の表示を送信すること
を備える、Ｃ３７に記載の方法。
[Ｃ３９]  前記送信することが、
前記ＡＰが前記ＤＬフレームの所望の送信電力を使用して前記ＤＬフレームを送信することができるように、前記少なくとも１つの局から前記ＡＰに前記ＤＬフレームの所望の送信電力を送信すること
を備える、Ｃ３７に記載の方法。
[Ｃ４０]  前記ＵＬ送信電力パラメータが、前記第１のワイヤレス通信に少なくとも部分的に基づく、Ｃ１に記載の方法。
[Ｃ４１]  Ｗｉ−Ｆｉシステムにおけるワイヤレス通信のための装置であって、
免許不要のワイヤレスネットワークにおけるアクセスポイント（ＡＰ）と複数の局のうちの少なくとも１つの局との間の第１のワイヤレス通信に参加するためのトランシーバ構成要素と、
前記少なくとも１つの局と前記ＡＰとの間のＵＬ送信のＵＬ電力制御を調整するために、前記ＡＰにおいて生成されたＵＬ送信電力パラメータを使用するためのアップリンク（ＵＬ）電力制御構成要素と、ここにおいて、ＵＬ電力制御が、前記少なくとも１つの局からのＵＬ送信電力の制御を指す、
を備える装置。
[Ｃ４２]  前記少なくとも１つの局と前記ＡＰとの間のＵＬ経路損失を決定するための経路損失推定構成要素、ここにおいて、前記ＵＬ送信電力パラメータが、前記ＵＬ経路損失に少なくとも部分的に基づく、
をさらに備えるＣ４１に記載の装置。
[Ｃ４３]  前記少なくとも１つの局と前記ＡＰとの間のアップリンク／ダウンリンク（ＵＬ／ＤＬ）経路損失の不均衡を決定するための経路損失推定構成要素、ここにおいて、前記ＵＬ送信電力パラメータが、前記ＵＬ／ＤＬ経路損失の不均衡に少なくとも部分的に基づく、
をさらに備えるＣ４１に記載の装置。
[Ｃ４４]  前記少なくとも１つの局と前記ＡＰとの間の前記ＵＬ送信をトリガするトリガフレームで前記ＵＬ送信電力パラメータを送信するためのトリガフレーム構成要素
をさらに備えるＣ４１に記載の装置。
[Ｃ４５]  前記少なくとも１つの局と前記ＡＰとの間の前記ＵＬ送信をトリガするトリガフレームとは別の電力制御フレームで前記ＵＬ送信電力パラメータを送信するための電力制御フレーム構成要素
をさらに備えるＣ４１に記載の装置。
[Ｃ４６]  前記免許不要のワイヤレスネットワークが、直交周波数分割多元接続（ＯＦＤＭＡ）またはマルチユーザ（ＭＵ）多入力多出力（ＭＩＭＯ）環境を含む、Ｃ４１に記載の装置。
[Ｃ４７]  前記少なくとも１つの局と前記ＡＰとの間の前記ＵＬ送信のための受信電力を決定し、前記ＡＰへのＵＬ送信が前記少なくとも１つの局についての前記受信電力と実質的に同じである受信電力を有する前記複数の局のうちの他の局を識別し、前記ＵＬ送信電力パラメータとして、前記少なくとも１つの局および実質的に同じ受信電力を有する前記他の局の識別を記憶するための局グループ化構成要素と、
前記少なくとも１つの局と、前記ＵＬ送信電力パラメータによって識別された前記他の局とにトリガフレームを送信するためのトリガフレーム構成要素と
をさらに備えるＣ４１に記載の装置。
[Ｃ４８]  前記少なくとも１つの局から前記ＡＰへのＵＬ送信のための目標受信電力を決定するための目標ＡＰ受信（ＲＸ）電力決定構成要素、ここにおいて、前記ＵＬ送信電力パラメータが、前記目標受信電力およびＡＰ送信電力を前記少なくとも１つの局に伝達するように構成される
をさらに備えるＣ４１に記載の装置。
[Ｃ４９]  前記ＵＬ送信電力パラメータを介して、目標受信電力とＡＰ送信電力とを受信し、前記ＡＰ送信電力に基づいてダウンリンク（ＤＬ）経路損失を決定し、前記ＤＬ経路損失に基づいて、前記少なくとも１つの局から前記ＡＰへのＵＬ経路損失を推定するための経路損失推定構成要素と、
前記ＵＬ送信が前記目標受信電力を有する前記ＡＰに到着し、前記ＵＬ経路損失を考慮するように、前記少なくとも１つの局と前記ＡＰとの間のＵＬ送信のための前記ＵＬ送信電力を決定するための局（ＳＴＡ）送信（ＴＸ）電力決定構成要素と
をさらに備えるＣ４１に記載の装置。
[Ｃ５０]  前記少なくとも１つの局と前記ＡＰとの間のＵＬ経路損失を決定するための経路損失推定構成要素と、
前記少なくとも１つの局から前記ＡＰへのＵＬ送信のための目標受信電力を決定するための目標ＡＰ受信（ＲＸ）電力決定構成要素と、
前記少なくとも１つの局から前記目標受信電力に対応する前記ＡＰへの前記ＵＬ送信のための前記ＵＬ送信電力を決定するための局（ＳＴＡ）送信（ＴＸ）電力決定構成要素と、ここにおいて、前記ＵＬ送信電力パラメータが、前記ＵＬ送信電力を前記少なくとも１つの局に伝達するために使用されるように構成される、
をさらに備えるＣ４１に記載の装置。
[Ｃ５１]  前記ＡＰが前記少なくとも１つの局と前記ＡＰとの間のＵＬ経路損失を決定することができるように、既知の送信電力でパケットを前記少なくとも１つの局から前記ＡＰに送信するための既知の電力送信（ＴＸ）構成要素
をさらに備えるＣ４１に記載の装置。
[Ｃ５２]  前記少なくとも１つの局と前記ＡＰとの間のＵＬ経路損失を決定するための経路損失推定構成要素と、
前記少なくとも１つの局から前記ＡＰへのＵＬ送信のための目標受信電力を決定するための目標ＡＰ受信（ＲＸ）電力決定構成要素と、
前記少なくとも１つの局から前記ＡＰへのＵＬ送信のための前記目標受信電力に基づいて前記ＵＬ送信電力パラメータを決定するための電力制御パラメータ決定構成要素と
をさらに備えるＣ４１に記載の装置。
[Ｃ５３]  前記トランシーバ構成要素が、さらに、前記ＵＬ送信電力パラメータが前記複数の局のうちの前記少なくとも１つの局および前記他の局に適用可能であるという表示を、前記少なくとも１つの局および他の局に送信するために構成される、Ｃ５２に記載の装置。
[Ｃ５４]  前記ＵＬ送信電力パラメータが、前記少なくとも１つの局および前記他の局の関数である、Ｃ５３に記載の装置。
[Ｃ５５]  前記ＵＬ送信電力パラメータが、前記少なくとも１つの局または前記他の局と前記ＡＰとの間のアップリンク／ダウンリンク（ＵＬ／ＤＬ）経路損失の不均衡を補償する、Ｃ５３に記載の装置。
[Ｃ５６]  前記電力制御パラメータ決定構成要素が、さらに、前記少なくとも１つの局から前記目標受信電力に対応する前記ＡＰへの前記ＵＬ送信のための前記ＵＬ送信電力を決定するために構成され、ここにおいて、前記ＵＬ送信電力が、前記少なくとも１つの局と前記ＡＰとの間のＵＬ経路損失を考慮する、Ｃ５２に記載の装置。
[Ｃ５７]  前記電力制御パラメータ決定構成要素が、さらに、前記少なくとも１つの局から前記ＡＰへのＵＬ送信のための前記ＵＬ送信電力を定義する関数を使用するために構成され、ここにおいて、前記関数が、ダウンリンク（ＤＬ）信号強度と前記ＵＬ送信電力パラメータとを含む、Ｃ５２に記載の装置。
[Ｃ５８]  前記電力制御パラメータ決定構成要素が、さらに、前記目標受信電力に対応するために、前記少なくとも１つの局から前記ＡＰへの前記ＵＬ送信のための前記ＵＬ送信電力が変更されるべき量を示すオフセット値を決定するために構成される、Ｃ５２に記載の装置。
[Ｃ５９]  前記ＡＰが前記少なくとも１つの局と前記ＡＰとの間のＵＬ経路損失を決定することができるように、既知の送信電力でパケットを前記少なくとも１つの局から前記ＡＰに送信するための既知の電力送信（ＴＸ）構成要素と、
前記ＵＬ経路損失に基づいて前記ＡＰによって決定されたＵＬ送信のための目標受信電力に基づいて前記ＵＬ送信電力パラメータを受信し、前記ＡＰから受信されたダウンリンク（ＤＬ）フレームから受信信号強度を決定するための局（ＳＴＡ）受信（ＲＸ）電力決定構成要素と、
前記受信信号強度と前記ＵＬ送信電力パラメータとに基づいてＵＬ送信電力を決定するためのＳＴＡ  ＴＸ電力構成要素と
をさらに備えるＣ４１に記載の装置。
[Ｃ６０]  前記少なくとも１つの局から前記ＡＰへの送信を受信するための、前記送信が、前記少なくとも１つの局から前記送信が送られた既知の電力を有する、または前記少なくとも１つの局から前記送信が送られた電力を示す、および前記少なくとも１つの局と前記ＡＰとの間のＵＬ経路損失を決定するための経路損失推定構成要素と、
前記ＵＬ経路損失に基づいて前記ＵＬ送信電力パラメータを生成するための電力制御パラメータ決定構成要素と
をさらに備えるＣ４１に記載の装置。
[Ｃ６１]  前記少なくとも１つの局から前記ＡＰへの送信を送るための既知の電力送信（ＴＸ）構成要素、前記送信が、前記少なくとも１つの局から前記送信が送られた既知の電力を有する、または前記少なくとも１つの局から前記送信が送られた電力を示す、
をさらに備えるＣ４１に記載の装置。
[Ｃ６２]  前記ＡＰから前記少なくとも１つの局にダウンリンク（ＤＬ）フレームを送信し、前記少なくとも１つの局からＵＬフレームを受信し、前記受信されたＵＬフレームに基づいて、前記少なくとも１つの局と前記ＡＰとの間のＵＬ／ＤＬ経路損失の不均衡を決定するための経路損失推定構成要素と、
前記ＵＬ／ＤＬ経路損失の不均衡に基づいて前記ＵＬ送信電力パラメータを生成するための電力制御パラメータ決定構成要素と
をさらに備えるＣ４１に記載の装置。
[Ｃ６３]  前記経路損失推定構成要素が、さらに、前記少なくとも１つの局が、前記ＵＬフレームの送信電力を決定する際に前記経路損失の表示を使用することができるように、前記ＡＰから前記少なくとも１つの局に経路損失の表示を送信するために構成される、Ｃ６２に記載の装置。
[Ｃ６４]  前記少なくとも１つの局から前記ＡＰにＵＬフレームを送信し、前記ＵＬフレームに応答して前記ＡＰからダウンリンク（ＤＬ）フレームを受信し、前記受信されたＤＬフレームに基づいて、前記少なくとも１つの局と前記ＡＰとの間のＵＬ／ＤＬ経路損失の不均衡を決定するための経路損失推定構成要素と、
前記ＵＬ／ＤＬ経路損失の不均衡に基づいて前記ＵＬ送信電力を生成するための局（ＳＴＡ）送信（ＴＸ）電力決定構成要素と
をさらに備えるＣ４１に記載の装置。
[Ｃ６５]  前記経路損失推定構成要素が、さらに、前記ＡＰが前記ＤＬフレームのＤＬ送信電力を決定する際に前記経路損失の表示を使用することができるように、前記少なくとも１つの局から前記ＡＰに経路損失の表示を送信するために構成される、Ｃ６４に記載の装置。
[Ｃ６６]  Ｗｉ−Ｆｉシステムにおけるワイヤレス通信のための装置であって、
免許不要のワイヤレスネットワークにおけるアクセスポイント（ＡＰ）と複数の局のうちの少なくとも１つの局との間の第１のワイヤレス通信に参加するための手段と、
前記少なくとも１つの局と前記ＡＰとの間のアップリンク（ＵＬ）送信のＵＬ電力制御を調整するために、前記ＡＰにおいて生成されたＵＬ送信電力パラメータを使用するための手段と、ここにおいて、ＵＬ電力制御が、前記少なくとも１つの局からのＵＬ送信電力の制御を指す、
を備える装置。
[Ｃ６７]  前記少なくとも１つの局と前記ＡＰとの間のＵＬ経路損失を決定するための手段と、
ＵＬ経路損失に少なくとも部分的に基づいて前記ＵＬ送信電力パラメータを生成するための手段と
をさらに備えるＣ６６に記載の装置。
[Ｃ６８]  前記少なくとも１つの局と前記ＡＰとの間のアップリンク／ダウンリンク（ＵＬ／ＤＬ）経路損失の不均衡を決定するための手段と、
前記ＵＬ／ＤＬ経路損失の不均衡に少なくとも部分的に基づいて前記ＵＬ送信電力パラメータを生成するための手段と
をさらに備えるＣ６６に記載の装置。
[Ｃ６９]  前記少なくとも１つの局と前記ＡＰとの間の前記ＵＬ送信をトリガするトリガフレームで前記ＵＬ送信電力パラメータを送信するための手段
をさらに備えるＣ６６に記載の装置。
[Ｃ７０]  前記少なくとも１つの局と前記ＡＰとの間の前記ＵＬ送信をトリガするトリガフレームとは別の電力制御フレームで前記ＵＬ送信電力パラメータを送信するための手段
をさらに備えるＣ６６に記載の装置。
[Ｃ７１]  Ｗｉ−Ｆｉシステムにおけるワイヤレス通信のためのコンピュータ実行可能コードを記憶する非一時的コンピュータ可読媒体であって、前記コードが、
免許不要のワイヤレスネットワークにおけるアクセスポイント（ＡＰ）と複数の局のうちの少なくとも１つの局との間の第１のワイヤレス通信に参加し、
前記少なくとも１つの局と前記ＡＰとの間のアップリンク（ＵＬ）送信のＵＬ電力制御を調整するために、前記ＡＰにおいて生成されたＵＬ送信電力パラメータを使用する、ここにおいて、ＵＬ電力制御が、前記少なくとも１つの局からのＵＬ送信電力の制御を指す、
ようにプロセッサによって実行可能である、非一時的コンピュータ可読媒体。
[Ｃ７２]  前記少なくとも１つの局と前記ＡＰとの間のＵＬ経路損失を決定し、
前記ＵＬ経路損失に少なくとも部分的に基づいて前記ＵＬ送信電力パラメータを生成する
ようにプロセッサによって実行可能であるコードをさらに備える、Ｃ７１に記載の非一時的コンピュータ可読媒体。
[Ｃ７３]  前記少なくとも１つの局と前記ＡＰとの間のアップリンク／ダウンリンク（ＵＬ／ＤＬ）経路損失の不均衡を決定し、
前記ＵＬ／ＤＬ経路損失の不均衡に少なくとも部分的に基づいて前記ＵＬ送信電力パラメータを生成する
ようにプロセッサによって実行可能であるコードをさらに備える、Ｃ７１に記載の非一時的コンピュータ可読媒体。
[Ｃ７４]  前記少なくとも１つの局と前記ＡＰとの間の前記ＵＬ送信をトリガするトリガフレームで前記ＵＬ送信電力パラメータを送信する
ようにプロセッサによって実行可能であるコードをさらに備える、Ｃ７１に記載の非一時的コンピュータ可読媒体。
[Ｃ７５]  前記少なくとも１つの局と前記ＡＰとの間の前記ＵＬ送信をトリガするトリガフレームとは別の電力制御フレームで前記ＵＬ送信電力パラメータを送信する
ようにプロセッサによって実行可能であるコードをさらに備える、Ｃ７１に記載の非一時的コンピュータ可読媒体。
【図１】
0006640213.tif 000002
【図２Ａ】
0006640213.tif 000003
【図２Ｂ】
0006640213.tif 000004
【図２Ｃ】
0006640213.tif 000005
【図２Ｄ】
0006640213.tif 000006
【図３Ａ】
0006640213.tif 000007
【図３Ｂ】
0006640213.tif 000008
【図４Ａ】
0006640213.tif 000009
【図４Ｂ】
0006640213.tif 000010
【図５Ａ】
0006640213.tif 000011
【図５Ｂ】
0006640213.tif 000012
【図６Ａ】
0006640213.tif 000013
【図６Ｂ】
0006640213.tif 000014
【図７Ａ】
0006640213.tif 000015
【図７Ｂ】
0006640213.tif 000016
【図８】
0006640213.tif 000017
【図９Ａ】
0006640213.tif 000018
【図９Ｂ】
0006640213.tif 000019
【図９Ｃ】
0006640213.tif 000020
【図９Ｄ】
0006640213.tif 000021
【図１０Ａ】
0006640213.tif 000022
【図１０Ｂ】
0006640213.tif 000023
【図１１】
0006640213.tif 000024
【図１２】
0006640213.tif 000025
【図１３】
0006640213.tif 000026
【図１４】
0006640213.tif 000027
【図１５】
0006640213.tif 000028
【図１６】
0006640213.tif 000029
【図１７】
0006640213.tif 000030
【図１８】
0006640213.tif 000031
【図１９】
0006640213.tif 000032